(57)【要約】【課題】割り当て周波数帯域、非割り当て周波数帯域または共有周波数帯域を用いたセルを効率的に制御する。【解決手段】基地局装置と通信する端末装置であって、ある周波数に対するＤＳ設定と、前記周波数に対応するセルに部分サブフレームが設定されるか否かを指示する情報を含む上位層の信号を受信する受信部を備え、前記受信部は、前記ＤＳ設定に、ＣＳＩ−ＲＳ設定が含まれる場合、且つ、前記ＤＳの送信が前記部分サブフレームのＰＤＳＣＨおよび／またはＥＰＤＣＣＨの送信と重複する場合、前記部分サブフレームにおいて、前記ＤＳが送信されないと想定し、参照信号受信電力および参照信号受信品質を測定する。【選択図】図９
2019004194.tif 000002
【特許請求の範囲】
【請求項１】
ある周波数に対するＤＳ（Discovery Signal）設定と、前記周波数に対応するセルに部分サブフレームが設定されるか否かを指示する情報を含む上位層の信号を受信する受信部を備え、
前記受信部は、
前記ＤＳ設定に、ＣＳＩ−ＲＳ（Channel State Information Reference Signal）設定が含まれる場合、且つ、前記ＤＳの送信が前記部分サブフレームのＰＤＳＣＨおよび／またはＥＰＤＣＣＨの送信と重複する場合、前記部分サブフレームにおいて、前記ＤＳが送信されないと想定し、参照信号受信電力および参照信号受信品質を測定する
端末装置。
【請求項２】
前記受信部は、
前記ＤＳ設定に、ＣＳＩ−ＲＳ設定が含まれない場合、前記部分サブフレームにおいて、前記ＤＳを含んで、参照信号受信電力および参照信号受信品質を測定する
請求項１記載の端末装置。
【請求項３】
前記受信部は、
前記ＣＳＩ−ＲＳ設定に基づくＣＳＩ−ＲＳが前記部分サブフレームを構成するＤｗＰＴＳに含まれる場合、前記部分サブフレームにおいて、前記ＤＳを含んで、参照信号受信電力および参照信号受信品質を測定する
請求項１記載の端末装置。
【請求項４】
前記受信部は、
ＣＳＩレポートのためのＣＳＩ−ＲＳ設定がセットされる場合、前記部分サブフレームをＣＳＩリファレンスリソースと想定しない
請求項１記載の端末装置。
【請求項５】
ある周波数に対するＤＳ（Discovery Signal）設定と、前記周波数に対応するセルに部分サブフレームが設定されるか否かを指示する情報を含む上位層の信号を送信する送信部を備え、
前記送信部は、
前記ＤＳ設定に、ＣＳＩ−ＲＳ（Channel State Information Reference Signal）設定を含む場合、前記部分サブフレームにおいて、前記ＤＳを送信しない
基地局装置。
【請求項６】
前記送信部は、
前記ＤＳ設定に、前記ＣＳＩ−ＲＳ設定を含まない場合には、前記部分サブフレームにおいて、前記ＤＳを送信する
請求項５記載の基地局装置。
【請求項７】
前記送信部は、
前記ＣＳＩ−ＲＳ設定に基づくＣＳＩ−ＲＳが前記部分サブフレームを構成するＤｗＰＴＳに含まれる場合、前記ＤＳを送信する
請求項５記載の基地局装置。
【請求項８】
前記送信部は、
ＣＳＩレポートのためのＣＳＩ−ＲＳ設定をセットする場合、前記部分サブフレームにおいて、ＣＳＩ−ＲＳを送信しない
請求項５記載の基地局装置。
【請求項９】
ある周波数に対するＤＳ（Discovery Signal）設定と、前記周波数に対応するセルに部分サブフレームが設定されるか否かを指示する情報を含む上位層の信号を受信するステップと、
前記ＤＳ設定に、ＣＳＩ−ＲＳ（Channel State Information Reference Signal）設定が含まれる場合、且つ、前記ＤＳの送信が前記部分サブフレームのＰＤＳＣＨおよび／またはＥＰＤＣＣＨの送信と重複する場合、前記部分サブフレームにおいて、前記ＤＳが送信されないと想定するステップと、
前記想定に基づいて、参照信号受信電力および参照信号受信品質を測定するステップと、を有する
方法。
【請求項１０】
ある周波数に対するＤＳ（Discovery Signal）設定と、前記周波数に対応するセルに部分サブフレームが設定されるか否かを指示する情報を含む上位層の信号を送信するステップと、
前記ＤＳ設定に、ＣＳＩ−ＲＳ（Channel State Information Reference Signal）設定を含む場合、前記部分サブフレームにおいて、前記ＤＳを送信しないステップと、を有する
方法。
【発明の詳細な説明】
【技術分野】
【０００１】
本発明の実施形態は、効率的な通信を実現する端末装置、基地局装置および方法に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。
【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼
称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。
【０００４】
ヘテロジニアスネットワークのように、セル半径の大きいセル（マクロセル）と、セル半径がマクロセルよりも小さいセル（スモールセル）とが配置される通信システムにおいて、端末装置が、マクロセルとスモールセルとに同時に接続して通信を行うキャリアアグリゲーション（ＣＡ）技術およびデュアルコネクティビティ（ＤＣ）技術が規定されている（非特許文献１）。
【０００５】
一方、非特許文献２において、ライセンス補助アクセス（ＬＡＡ；Licensed-Assisted Access）が、検討されている。ＬＡＡでは、例えば、無線ＬＡＮ（Local Area Network）が利用している非割り当て周波数帯域（Unlicensed spectrum）が、ＬＴＥとして用いら
れる。具体的には、非割り当て周波数帯域がセカンダリセル（セカンダリコンポーネントキャリア）として設定される。ＬＡＡとして用いられているセカンダリセルは、割り当て周波数帯域（Licensed spectrum）で設定されるプライマリセル（プライマリコンポーネ
ントキャリア）によって、接続、通信および／または設定に関して、アシストされる。ＬＡＡによって、ＬＴＥで利用可能な周波数帯域が広がるため、広帯域伝送が可能になる。なお、ＬＡＡは、所定のオペレータ間で共有される共有周波数帯域（shared spectrum）
でも用いられる。
【０００６】
また、無線通信における遅延（レイテンシー）は、安全・安心を目的としたシステムにおいて重要な要素の１つである。ＬＡＡを用いるＬＴＥおよび従来の割り当て周波数帯域を用いるＬＴＥも含むＬＴＥにおいても、その遅延をさらに削減することが重要となる。
【先行技術文献】
【非特許文献】
【０００７】
【非特許文献１】3rd Generation Partnership Project; Technical Specification Group Radio Access Network; Evolved Universal Terrestrial Radio Access (E-UTRA); Physical layer procedures (Release 12), 3GPP TS 36.213 V12.4.0 (2014-12).
【非特許文献２】RP-141664, Ericsson, Qualcomm, Huawei, Alcatel-Lucent, “Study on Licensed-Assisted Access using LTE,” 3GPP TSG RAN Meeting #65, September 2014.
【発明の概要】
【発明が解決しようとする課題】
【０００８】
ＬＡＡでは、非割り当て周波数帯域または共有周波数帯域が用いられる場合、その周波数帯域は他のシステムおよび／または他のオペレータと共有することになる。しかしながら、ＬＴＥは、割り当て周波数帯域または非共有周波数帯域で用いられることを前提に設計されている。そのため、非割り当て周波数帯域または共有周波数帯域で従来のＬＴＥを用いることはできない。また、ＬＡＡを用いるＬＴＥおよび従来の割り当て周波数帯域を用いるＬＴＥも含むＬＴＥにおいて、無線通信における遅延を削減することが求められている。
【０００９】
本発明は上記の点に鑑みてなされたものであり、その目的は、割り当て周波数帯域、非割り当て周波数帯域または共有周波数帯域を用いたセルを効率的に制御することができる端末装置、基地局装置、および方法を提供することである。
【課題を解決するための手段】
【００１０】
（１）上記の目的を達成するために、本発明は、以下のような手段を講じた。すなわち、本発明の一様態による端末装置は、基地局装置と通信する端末装置であって、ある周波数に対するＤＳ（Discovery Signal）設定と、前記周波数に対応するセルに部分サブフレームが設定されるか否かを指示する情報を含む上位層の信号を受信する受信部を備え、前記受信部は、前記ＤＳ設定に、ＣＳＩ−ＲＳ（Channel State Information Reference Signal）設定が含まれる場合、且つ、前記ＤＳの送信が前記部分サブフレームのＰＤＳＣＨおよび／またはＥＰＤＣＣＨの送信と重複する場合、前記部分サブフレームにおいて、前記ＤＳが送信されないと想定し、参照信号受信電力および参照信号受信品質を測定する。
【００１１】
（２）また、本発明の一様態による基地局装置は、端末装置と通信する基地局装置であって、ある周波数に対するＤＳ（Discovery Signal）設定と、前記周波数に対応するセルに部分サブフレームが設定されるか否かを指示する情報を含む上位層の信号を送信する送信部を備え、前記送信部は、前記ＤＳ設定に、ＣＳＩ−ＲＳ（Channel State Information Reference Signal）設定を含む場合、前記部分サブフレームにおいて、前記ＤＳを送信しない。
【００１２】
（３）また、本発明の一様態による方法は、基地局装置と通信する端末装置における方法であって、ある周波数に対するＤＳ（Discovery Signal）設定と、前記周波数に対応するセルに部分サブフレームが設定されるか否かを指示する情報を含む上位層の信号を受信するステップと、前記ＤＳ設定に、ＣＳＩ−ＲＳ（Channel State Information Reference Signal）設定が含まれる場合、且つ、前記ＤＳの送信が前記部分サブフレームのＰＤＳＣＨおよび／またはＥＰＤＣＣＨの送信と重複する場合、前記部分サブフレームにおいて、前記ＤＳが送信されないと想定するステップと、前記想定に基づいて、参照信号受信電力および参照信号受信品質を測定するステップと、を有する。
【００１３】
（４）また、本発明の一様態による方法は、端末装置と通信する基地局装置における方法であって、ある周波数に対するＤＳ（Discovery Signal）設定と、前記周波数に対応するセルに部分サブフレームが設定されるか否かを指示する情報を含む上位層の信号を送信するステップと、前記ＤＳ設定に、ＣＳＩ−ＲＳ（Channel State Information Reference Signal）設定を含む場合、前記部分サブフレームにおいて、前記ＤＳを送信しないステ
ップと、を有する。
【発明の効果】
【００１４】
この発明によれば、基地局装置と端末装置が通信する無線通信システムにおいて、伝送効率を向上させることができる。
【図面の簡単な説明】
【００１５】
【図１】本実施形態に係る下りリンクの無線フレーム構成の一例を示す図である。
【図２】本実施形態に係る上りリンクの無線フレーム構成の一例を示す図である。
【図３】本実施形態に係る基地局装置２のブロック構成の一例を示す概略図である。
【図４】本実施形態に係る端末装置１のブロック構成の一例を示す概略図である。
【図５】本実施形態に係るＬＡＡセルにおける通信手順の一例を示す図である。
【図６】本実施形態に係るＬＡＡセルにおける通信手順の一例を示す図である。
【図７】本実施形態に係るＬＡＡセルにおける通信手順の一例を示す図である。
【図８】１つのＲＢペアにおけるＥＲＥＧ構成の一例を示す。
【図９】第１の部分サブフレームに用いられる第２のＥＰＤＣＣＨに関連付けられるＤＭＲＳの構成の一例を示す図である。
【図１０】第２の部分サブフレームに用いられる第２のＥＰＤＣＣＨに関連付けられるＤＭＲＳの構成の一例を示す図である。
【発明を実施するための形態】
【００１６】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００１７】
なお、本実施形態の説明において、下りリンクに関する説明は、ノーマルセルにおける下りリンクおよびＬＡＡセルにおける下りリンクを含む。例えば、下りリンクサブフレームに関する説明は、ノーマルセルにおける下りリンクサブフレーム、ＬＡＡセルにおけるフルサブフレームおよびＬＡＡセルにおける部分サブフレームを含む。
【００１８】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００１９】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２０】
図１は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣ
Ｈ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッスが付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２１】
なお、ここでは図示していないが、下りリンクサブフレームには、同期シグナル（Ｓｙｎｃｈｒｏｎｉｚａｔｉｏｎ  Ｓｉｇｎａｌｓ）や物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。また、一部のＰＤＳＣＨと同じ送信ポートで送信される端末固有参照信号は、ＰＤＳＣＨに関連付けられる端末固有参照信号またはＤＭＲＳとも呼称される。また、ＥＰＤＣＣＨと同じ送信ポートで送信される復調用参照信号は、ＥＰＤＣＣＨに関連付けられるＤＭＲＳとも呼称される。
【００２２】
なお、ここでは図示していないが、下りリンクサブフレームには、検出信号（ＤＳ：Ｄｉｓｃｏｖｅｒｙ  Ｓｉｇｎａｌ）が配置されてもよい。端末装置は、ＲＲＣシグナリングを通じて設定されるパラメータに基づいて、ＤＭＴＣ（Discovery signals measurement timing configuration）がセットアップ（設定）される。ＤＭＴＣ  Ｏｃｃａｓｉｏｎは６ミリ秒であり、連続する６サブフレームで構成される。また、その端末装置は、ＤＭＴＣ  Ｏｃｃａｓｉｏｎの外のサブフレームにＤＳが送信されないと想定してもよい。
【００２３】
あるセルにおいて、ＤＳ（ＤＳ  Ｏｃｃａｓｉｏｎ）は、連続する所定数のサブフレームの時間期間（ＤＳ期間）で構成される。その所定数は、ＦＤＤ（Frame structure type
1）において１から５であり、ＴＤＤ（Frame structure type 2）において２から５である。その所定数は、ＲＲＣのシグナリングによって設定される。また、ＤＳ期間またはその設定は、ＤＭＴＣ（Discovery signals measurement timing configuration）とも呼称される。端末装置は、そのＤＳが、ＲＲＣのシグナリングによって設定されるパラメータ
dmtc-Periodicityで設定されるサブフレーム毎に、送信（マッピング、発生）していると想定する。また、下りリンクサブフレームにおいて、端末装置は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ（ＮＺＰ−ＣＳＩ−ＲＳ）。その非ゼロ電力ＣＳＩ−ＲＳはＲＲＣのシグナリングによって設定される。
【００２４】
ＦＤＤ（Frequency Division Duplex）は、下りリンクと上りリンクで異なる周波数（
キャリア周波数）を適用することによって、同時に送信および受信が可能な通信方式（アクセス方式）である。ＦＤＤにおいて、同時に送受信を行なう方式をＦＤ−ＦＤＤ（Full
Duplex-FDD）と呼称し、同時に送受信を行なわない方式をＨＤ−ＦＤＤ（Half Duplex-FDD）と呼称する。
【００２５】
ＴＤＤ（Time Division Duplex）は、下りリンクと上りリンクを同じ周波数を適用し、送受信を行なう通信方式である。
【００２６】
端末装置は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００２７】
ＬＡＡセルにおけるＤＳおよびＤＭＴＣは、ＦＤＤにおけるＤＳおよびＤＭＴＣと同じとすることができる。例えば、ＬＡＡセルにおいて、ＤＳ期間は、ＦＤＤと同様に１から５のいずれかであり、そのＤＳ期間の最初のサブフレーム内にＰＳＳが存在する。なお、ＬＡＡセルにおけるＤＳは、ノーマルセルにおけるＤＳと異なって構成されてもよい。例えば、ＬＡＡセルにおけるＤＳは、ＣＲＳを含まない。また、ＬＡＡセルにおけるＤＳは、周波数方向にシフトできるＰＳＳおよびＳＳＳを含む。
【００２８】
また、ＬＡＡセルにおいて、制御情報を含む制御信号および／または制御チャネルが、ＤＳ  Ｏｃｃａｓｉｏｎ内のサブフレームまたはＤＭＴＣ  Ｏｃｃａｓｉｏｎ内のサブフレームで送信できる。その制御情報は、ＬＡＡセルに関する情報を含むことができる。例えば、その制御情報は、そのＬＡＡセルにおける周波数、負荷、混雑度、干渉、送信電力、チャネルの専有時間、および／または送信データに関するバッファの状況に関する情報である。
【００２９】
また、その制御信号および／または制御チャネルは、ＤＳ  Ｏｃｃａｓｉｏｎ内のＤＭＲＳで復調または検出することができる。すなわち、その制御信号および／または制御チャネルは、ＤＳ  Ｏｃｃａｓｉｏｎ内のＤＭＲＳの送信に用いられるアンテナポートで送信される。具体的には、ＤＳ  Ｏｃｃａｓｉｏｎ内のＤＭＲＳは、その制御信号および／または制御チャネルに関連付けられるＤＭＲＳ（復調参照信号）であり、ＰＤＳＣＨまたはＥＰＤＣＣＨに関連付けられるＤＭＲＳと同様に構成できる。
【００３０】
また、その制御信号および／または制御チャネルに関連付けられるＤＭＲＳに用いられるスクランブル系列は、ＰＤＳＣＨまたはＥＰＤＣＣＨに関連付けられるＤＭＲＳに用いられるスクランブル系列とは異なって生成されるようにしてもよい。ここで、ＤＭＲＳに用いられるスクランブル系列は、スロット番号（サブフレーム番号）、第１のパラメータ
および第２のパラメータに基づいて算出される値を初期値として生成される。例えば、ＰＤＳＣＨに関連付けられるＤＭＲＳに用いられるスクランブル系列において、第１のパラメータはセル識別子（セルＩＤ）または上位レイヤによって設定される値であり、第２のパラメータはＤＣＩによって与えられる０または１である。また、第２のパラメータはＤＣＩによって与えられない場合、０に固定される。ＥＰＤＣＣＨに関連付けられるＤＭＲＳに用いられるスクランブル系列において、第１のパラメータはＥＰＤＣＣＨセット毎に上位レイヤによって設定される値であり、第２のパラメータは２に固定される。
【００３１】
その制御信号および／または制御チャネルに関連付けられるＤＭＲＳに用いられるスクランブル系列において、第１のパラメータは上位レイヤによって設定される値であり、そのＬＡＡセルのセル識別子、または、ＤＳ  Ｏｃｃａｓｉｏｎ内の非ゼロ電力ＣＳＩ−ＲＳに対応するセル識別子である。その制御信号および／または制御チャネルに関連付けられるＤＭＲＳに用いられるスクランブル系列において、第２のパラメータは所定の値に固定される値、または上位レイヤによって設定される値である。第２のパラメータが所定の値に固定される場合、ＰＤＳＣＨまたはＥＰＤＣＣＨに関連付けられるＤＭＲＳに用いられるスクランブル系列で用いられる第２のパラメータと同様に０、１または２のいずれかの値、または、ＰＤＳＣＨまたはＥＰＤＣＣＨに関連付けられるＤＭＲＳに用いられるスクランブル系列で用いられる第２のパラメータと異なる値（例えば、３）である。第２のパラメータが上位レイヤによって設定される場合、第２のパラメータは任意の値を設定でき、例えばオペレータに固有の値を設定できる。
【００３２】
また、その制御信号および／または制御チャネルは、ＤＳ  Ｏｃｃａｓｉｏｎ内のＣＲＳで復調または検出することができる。すなわち、その制御信号および／または制御チャネルは、ＤＳ  Ｏｃｃａｓｉｏｎ内のＣＲＳの送信に用いられるアンテナポートで送信される。なお、ＤＳ  Ｏｃｃａｓｉｏｎ内のＣＲＳに用いられるスクランブル系列は、その制御信号および／または制御チャネルに関連付けられるＤＭＲＳに用いられるスクランブル系列で説明した第１のパラメータおよび／または第２のパラメータに基づいて生成できる。
【００３３】
図２は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００３４】
同期シグナルは、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００３５】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００３６】
報知情報として、セル個別の識別子を示すセルグローバル識別子（ＣＧＩ；  Ｃｅｌｌ
Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３７】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３８】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳと称され、拡張物理下りリンク制御チャネル、または物理下りリンク共用チャネルを復調するときのチャネルの伝搬路補償処理のために参照される。
【００３９】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４０】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラン
ト（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４１】
物理制御フォーマットインディケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）は、あるサブフレームにおけるＰＤＣＣＨに用いられるＯＦＤＭシンボルの数を示すために用いられる。この情報は、ＣＦＩと呼称されてもよい。あるサブフレームにおけるＰＤＣＣＨに対して用いることができるＯＦＤＭシンボルのセット（つまり、ＣＦＩ）は、テーブルで管理されてもよい。また、ＣＦＩは、下りリンクのシステム帯域幅と関連付けて、利用可能なＯＦＤＭシンボルの数が制限されてもよい。また、ＣＦＩは、サブフレームの種類に基づいて、利用可能なＯＦＤＭシンボルの数が制限されてもよい。つまり、ＣＦＩを構成するビットの値に対応するＯＦＤＭシンボルの数は、サブフレームやシステム帯域幅の条件によって、解釈が変わってもよい。例えば、ＣＦＩのビット値が“０１”である場合、システム帯域幅が第１の帯域幅であるとすれば、そのビット値に対応するＯＦＤＭシンボルの数は、１であり、ステム帯域幅が第１の帯域幅であるとすれば、そのビット値に対応するＯＦＤＭシンボルの数は、２であってもよい。サブフレームについても同様に対応付けられてもよい。
【００４２】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４３】
ＣＳＩは、受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１のＰＭＩと第２のＰＭＩの２種類のＰＭＩを用いて１つの好適なプレコーディング行列を表現するタイプのＰＭＩが存在する。
【００４４】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャ
ネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４５】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【００４６】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４７】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４８】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４９】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００５０】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよ
い。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【００５１】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５２】
また、端末装置と基地局装置は、キャリアアグリゲーションによって複数の異なる周波数バンドの周波数（コンポーネントキャリア、または周波数帯域）を集約（ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００５３】
例えば、キャリアアグリゲーションによって周波数帯域幅が２０ＭＨｚのコンポーネントキャリアを５つ集約した場合、キャリアアグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５４】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００５５】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００５６】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００５７】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカン
ダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【００５８】
なお、キャリアアグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００５９】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００６０】
言い換えると、キャリアアグリゲーションにおいて、設定された複数のサービングセルは、１つのプライマリセルと１つまたは複数のセカンダリセルとを含む。
【００６１】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリ周波数でオペレーションする。コネクションが（再）構築された時点、または、その後に、セカンダリセルが設定されてもよい。セカンダリセルは、セカンダリ周波数でオペレーションする。なお、コネクションは、ＲＲＣコネクションと称されてもよい。ＣＡをサポートしている端末装置に対して、１つのプライマリセルと１つ以上のセカンダリセルで集約される。
【００６２】
本実施形態では、ＬＡＡ（Licensed Assisted Access）方式が用いられる。ＬＡＡにおいて、プライマリセルには割り当て周波数が設定され（用いられ）、セカンダリセルの少なくとも１つには非割り当て周波数が設定される。非割り当て周波数が設定されるセカンダリセルは、割り当て周波数が設定されるプライマリセルまたはセカンダリセルからアシストされる。例えば、割り当て周波数が設定されるプライマリセルまたはセカンダリセルは、非割り当て周波数が設定されるセカンダリセルに対して、ＲＲＣのシグナリング、ＭＡＣのシグナリング、および／またはＰＤＣＣＨのシグナリングによって、設定および／または制御情報の通知を行う。本実施形態において、プライマリセルまたはセカンダリセルからアシストされるセルはＬＡＡセルとも呼称される。ＬＡＡセルは、プライマリセルおよび／またはセカンダリセルとキャリアアグリゲーションによって、集約（アシスト）できる。また、ＬＡＡセルをアシストするプライマリセルまたはセカンダリセルはアシストセルとも呼称される。また、割り当て周波数が設定されるセルはノーマルセル（従来のセル）とも呼称され、ノーマルセルにおけるサブフレームはノーマルサブフレーム（従来のサブフレーム）とも呼称される。ノーマルサブフレームは、下りリンクサブフレーム、上りリンクサブフレームおよびスペシャルサブフレームを含む。本実施形態において、ノーマルサブフレームは、ＬＡＡセルで用いられるサブフレームと区別して説明される。ＬＡＡセルとは、プライマリセルや一部のサービングセカンダリセルによって、種々のスケ
ジュールやパラメータの設定がアシストされるセルであってもよい。
【００６３】
ＬＡＡセルは、プライマリセルおよび／またはセカンダリセルとデュアルコネクティビティによって、集約（アシスト）されてもよい。
【００６４】
以下では、デュアルコネクティビティの基本構造（アーキテクチャー）について説明する。例えば、端末装置１が、複数の基地局装置２（例えば、基地局装置２−１、基地局装置２−２）と同時に接続している場合を説明する。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００６５】
なお、キャリアアグリゲーションは、複数のセルを一つの基地局装置２が管理し、各セルの周波数が異なるという点がデュアルコネクティビティと異なる。換言すると、キャリアアグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００６６】
端末装置１と基地局装置２は、キャリアアグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００６７】
デュアルコネクティビティにおいて、基地局装置２−１または基地局装置２−２は、ＭＭＥとＳＧＷとバックボーン回線で接続されている。ＭＭＥは、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷは、Ｓｅｒｖｉｎｇ  Ｇａｔｅｗａｙ（Ｓ−ＧＷ）に対応する上位の制御局装置であり、ＭＭＥによって設定された端末装置１へのユーザデータの経路に従ってユーザデータを伝送する役割などを持つ。
【００６８】
また、デュアルコネクティビティにおいて、基地局装置２−１または基地局装置２−２とＳＧＷの接続経路は、ＳＧＷインターフェースと称される。また、基地局装置２−１または基地局装置２−２とＭＭＥの接続経路は、ＭＭＥインターフェースと称される。また、基地局装置２−１と基地局装置２−２の接続経路は、基地局インターフェースと称される。ＳＧＷインターフェースは、ＥＵＴＲＡにおいてＳ１−Ｕインターフェースとも称される。また、ＭＭＥインターフェースは、ＥＵＴＲＡにおいてＳ１−ＭＭＥインターフェースとも称される。また、基地局インターフェースは、ＥＵＴＲＡにおいてＸ２インターフェースとも称される。
【００６９】
デュアルコネクティビティを実現するアーキテクチャーの一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。また、基地局装置２−１は、基地局インターフェースを介して、基地局装置２−２へＭＭＥ、および／またはＳＧＷとの通信経路を提供する。換言すると、基地局装置２−２は、基地局装置２−１を経由してＭＭＥ、および／またはＳＧＷと接続されている。
【００７０】
また、デュアルコネクティビティを実現する別のアーキテクチャーの別の一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。基地局装置２−１は、基地局インターフェースを介して、基地局装置２−２へＭＭＥとの通信経路を提供する。換言すると、基地局装置２−２は、基地局装置２−１を経由してＭＭＥと接続されている。また、基地局装置２−２は、ＳＧＷインターフェースを介してＳＧＷと接続されている。
【００７１】
なお、基地局装置２−２とＭＭＥが、ＭＭＥインターフェースによって直接接続されるような構成であってもよい。
【００７２】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカンダリ基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００７３】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリ基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリ基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【００７４】
デュアルコネクティビティにおいて、プライマリセルは、ＭＣＧに属する。また、ＳＣＧにおいて、プライマリセルに相当するセカンダリセルをプライマリセカンダリセル（ＰＳＣｅｌｌ：Ｐｒｉｍａｒｙ  Ｓｅｃｏｎｄａｒｙ  Ｃｅｌｌ）と称する。なお、ＰＳＣｅｌｌをスペシャルセルやスペシャルセカンダリセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ＰＳＣｅｌｌには、ＰＣｅｌｌの一部の機能だけがサポートされてもよい。例えば、ＰＳＣｅｌｌには、ＰＤＣＣＨを送信する機能がサポートされてもよい。また、ＰＳＣｅｌｌには、ＣＳＳまたはＵＳＳとは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤで設定される値に基づいて決まるサーチスペースなどである。また、ＰＳＣｅｌｌは、常に、起動の状態であってもよい。また、ＰＳＣｅｌｌは、ＰＵＣＣＨを受信できるセルである。
【００７５】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとＰＳＣｅｌｌでは、それぞれ個別にデュプレックスモードが設定さ
れてもよい。デュアルコネクティビティにおいて、ＭＣＧとＳＣＧまたはＰＣｅｌｌとＰＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【００７６】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ＰＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【００７７】
プライマリセルでは、すべての信号が送受信可能であるが、セカンダリセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【００７８】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【００７９】
ＬＡＡセルにデュアルコネクティビティが適用される場合の一例において、ＭＣＧ（基地局装置２−１）はプライマリセルを構成する基地局装置であり、ＳＣＧ（基地局装置２−２）はＬＡＡセルを構成する基地局装置である。すなわち、ＬＡＡセルは、ＳＣＧのＰＳＣｅｌｌとして設定される。
【００８０】
ＬＡＡセルにデュアルコネクティビティが適用される場合の別の一例において、ＭＣＧはプライマリセルを構成する基地局装置であり、ＳＣＧはＰＳＣｅｌｌおよびＬＡＡセルを構成する基地局装置である。すなわち、ＬＡＡセルは、ＳＣＧにおいて、ＰＳＣｅｌｌからアシストされる。なお、ＳＣＧにセカンダリセルがさらに設定された場合、ＬＡＡセルは、そのセカンダリセルからアシストされてもよい。
【００８１】
ＬＡＡセルにデュアルコネクティビティが適用される場合の別の一例において、ＭＣＧはプライマリセルおよびＬＡＡセルを構成する基地局装置であり、ＳＣＧはＰＳＣｅｌｌを構成する基地局装置である。すなわち、ＬＡＡセルは、ＭＣＧにおいて、プライマリセルからアシストされる。なお、ＭＣＧにセカンダリセルがさらに設定された場合、ＬＡＡセルは、そのセカンダリセルからアシストされてもよい。
【００８２】
図３は、本実施形態に係る基地局装置２のブロック構成の一例を示す概略図である。基地局装置２は、上位層（上位層制御情報通知部、上位層処理部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部）５１１を有する。また、下りリンクサブフレーム生成部５０４は、ＰＤＣＣＨおよび／またはＥＰＤＣＣＨなどの下りリンク制御チャネルをマッピングする制御チャネル処理部と、検出信号をマッピングする検出信号処理部を含む。
【００８３】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部、上位層処理部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。また、下りリンクサブフレーム処理部６０３は、ＰＤＣＣＨおよび／またはＥＰＤＣＣＨなどの下りリンク制御チャネルをモニタリングする制御チャネル処理部と、検出信号を検出（モニタリング）する検出信号処理部を含む。
【００８４】
まず、図３および図４を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部５０５
では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。
【００８５】
端末装置１では、受信アンテナ６０１を介して、ＯＦＤＭ信号受信部６０２においてＯＦＤＭ信号が受信され、ＯＦＤＭ復調処理が施される。下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ
Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部６０６に送られる。
【００８６】
次に、上りリンク信号の送受信の流れについて説明する。端末装置１では制御部６０６
の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部６１１において、ＳＣ−ＦＤＭＡ変調が施されＳＣ−ＦＤＭＡ信号が生成され、送信アンテナ６１３を介して送信される。
【００８７】
以下では、ＬＡＡセルの詳細について説明する。
【００８８】
ＬＡＡセルに用いられる周波数（キャリア周波数）は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【００８９】
公平な周波数共用技術の一例は、ＬＢＴ（Listen-Before-Talk）である。ＬＢＴは、ある基地局装置または端末装置がある周波数（コンポーネントキャリア、セル）を用いて信号を送信する前に、その周波数の干渉電力（干渉信号、受信電力、受信信号、雑音電力、雑音信号）などを測定（検出）することにより、その周波数がアイドル状態（空いていない状態、混雑していない状態、Absence、Clear）であるか、またはビジー状態（空いている状態、混雑している状態、Presence、Occupied）であるかを、識別（検出、想定、決定）する。ＬＢＴに基づいて、その周波数がアイドル状態であると識別した場合、そのＬＡＡセルはその周波数における所定のタイミングで信号を送信することができる。ＬＢＴに基づいて、その周波数がビジー状態であると識別した場合、そのＬＡＡセルはその周波数における所定のタイミングでは信号を送信しない。ＬＢＴによって、他の通信システムおよび／または他のＬＴＥオペレータを含む他の基地局装置および／または端末装置が送信している信号に対して、干渉しないように制御できる。
【００９０】
ＬＢＴの手順は、ある基地局装置または端末装置がその周波数（チャネル）を用いる前にＣＣＡチェックを適用するメカニズムとして定義される。そのＣＣＡは、その周波数がアイドル状態かビジー状態かどうかを識別するために、そのチャネルにおいて、他の信号の有無を決定するための電力検出または信号検出を行う。なお、本実施形態において、ＣＣＡの定義はＬＢＴの定義と同等であってもよい。
【００９１】
ＣＣＡにおいて、他の信号の有無を決定する方法は、様々な方法を用いることができる。例えば、ＣＣＡは、ある周波数における干渉電力が、あるしきい値を超えるかどうかに基づいて決定する。また、例えば、ＣＣＡは、ある周波数における所定の信号またはチャネルの受信電力が、あるしきい値を超えるかどうかに基づいて決定する。そのしきい値は予め規定されてもよい。そのしきい値は基地局または他の端末から設定されてもよい。そのしきい値は送信電力（最大送信電力）などの他の値（パラメータ）に少なくとも基づい
て決定（設定）されてもよい。
【００９２】
なお、ＬＡＡセルにおけるＣＣＡは、そのＬＡＡセルに接続している（設定されている）端末が認識する必要はない。
【００９３】
ＬＡＡセルは、割り当て周波数を用いるセカンダリセルとは異なるセルとして定義されてもよい。例えば、ＬＡＡセルは、割り当て周波数を用いるセカンダリセルの設定とは異なって設定される。ＬＡＡセルに設定されるパラメータの一部は、割り当て周波数を用いるセカンダリセルに設定されない。割り当て周波数を用いるセカンダリセルに設定されるパラメータの一部は、ＬＡＡセルに設定されない。本実施形態において、ＬＡＡセルは、プライマリセルおよびセカンダリセルとは異なるセルとして説明するが、ＬＡＡセルはセカンダリセルの１つとして定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【００９４】
また、ＬＡＡセルは、従来のフレーム構成タイプとは異なってもよい。例えば、従来のサービングセルは、第１のフレーム構成タイプ（ＦＤＤ、frame structure type 1）または第２のフレーム構成タイプ（ＴＤＤ、frame structure type 2）が用いられる（設定される）が、ＬＡＡセルは、第３のフレーム構成タイプ（frame structure type 3）が用いられてもよい（設定されてもよい）。
【００９５】
第３のフレーム構成タイプは、ＦＤＤとＴＤＤの両方（両方の構成）が適用可能であってもよい。ただし、基本的には（特に指示、設定がされていなければ）、第１のフレーム構成タイプと同じ定義である。第３のフレーム構成タイプにおける、無線フレーム内の１０サブフレームは、下りリンク送信に対して適用可能である。下りリンク送信がそのサブフレームで検出された、または、規定されていない限り、端末装置は、そのサブフレームにおいて、何れの信号があると仮定せず、空として（つまり、送信が無いものとして）、各サブフレームを扱ってもよい。つまり、端末装置は、何も検出も規定もなければ、そのサブフレームを空とみなして、処理を行なってもよい。なお、第３のフレーム構成タイプは、後述する部分サブフレームが含まれてもよい。
【００９６】
第３のフレーム構成タイプのセルにおいて、ＰＢＣＨは送信されなくてもよい。
【００９７】
ここで、非割り当て周波数は、所定のオペレータに対して専有周波数として割り当てられる割り当て周波数とは異なる周波数である。例えば、非割り当て周波数は、無線ＬＡＮが用いている周波数である。また、例えば、非割り当て周波数は従来のＬＴＥでは設定されない周波数であり、割り当て周波数は従来のＬＴＥで設定可能な周波数である。本実施形態において、ＬＡＡセルに設定される周波数は、非割り当て周波数として説明するが、これに限定されるものではない。すなわち、非割り当て周波数は、ＬＡＡセルに設定される周波数と置き換えることが可能である。例えば、非割り当て周波数は、プライマリセルに設定できない周波数であり、セカンダリセルのみに設定できる周波数である。例えば、非割り当て周波数は、複数のオペレータに対して共有される周波数も含む。また、例えば、非割り当て周波数は、従来のプライマリセルまたはセカンダリセルとは異なる設定、想定および／または処理がされるセルのみに設定される周波数である。
【００９８】
ＬＡＡセルは、ＬＴＥにおける無線フレーム、物理信号、および／または物理チャネルなどの構成および通信手順に関して、従来の方式とは異なる方式を用いるセルとすることができる。
【００９９】
例えば、ＬＡＡセルでは、プライマリセルおよび／またはセカンダリセルで設定（送信）される所定の信号および／またはチャネルが設定（送信）されない。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳおよび／またはＳＩＢなどを含む。例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末装置がそのＬＡＡセルからの送信を期待しない信号および／またはチャネルと読み替えてもよい。
（１）ＬＡＡセルでは、物理レイヤの制御情報は、ＰＤＣＣＨで送信されず、ＥＰＤＣＣＨのみで送信される。
（２）ＬＡＡセルでは、アクティベーション（オン）であるサブフレームにおいても、全てのサブフレームでＣＲＳ、ＤＭＲＳ、ＵＲＳ、ＰＤＣＣＨ、ＥＰＤＣＣＨおよび／またはＰＤＳＣＨが送信されず、端末装置は全てのサブフレームで送信されていることを想定しない。
（３）ＬＡＡセルでは、端末は、アクティベーション（オン）であるサブフレームにおいて、ＤＲＳ、ＰＳＳ、および／またはＳＳＳが送信されていることを想定する。
（４）ＬＡＡセルでは、端末は、ＣＲＳのマッピングに関する情報がサブフレーム毎に通知され、その情報に基づいて、ＣＲＳのマッピングの想定を行う。例えば、ＣＲＳのマッピングの想定は、そのサブフレームの全てのリソースエレメントにマッピングされない。ＣＲＳのマッピングの想定は、そのサブフレームの一部のリソースエレメント（例えば、先頭の２ＯＦＤＭシンボルにおける全てのリソースエレメント）にマッピングされない。ＣＲＳのマッピングの想定は、そのサブフレームの全てのリソースエレメントにマッピングされる。また、例えば、ＣＲＳのマッピングに関する情報は、そのＬＡＡセルまたはそのＬＡＡセルとは異なるセルから通知される。ＣＲＳのマッピングに関する情報は、ＤＣＩに含まれ、ＰＤＣＣＨまたはＥＰＤＣＣＨによって通知される。
【０１００】
また、例えば、ＬＡＡセルでは、プライマリセルおよび／またはセカンダリセルで設定（送信）されない所定の信号および／またはチャネルが設定（送信）される。
【０１０１】
また、例えば、ＬＡＡセルでは、下りリンクコンポーネントキャリアまたはサブフレームのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【０１０２】
また、例えば、ＬＡＡセルでは、対応できるＤＣＩ（Downlink Control Information）フォーマットが、プライマリセルおよび／またはセカンダリセルに対応できるＤＣＩフォーマットと異なる。ＬＡＡセルのみに対応するＤＣＩフォーマットが規定される。ＬＡＡセルに対応するＤＣＩフォーマットは、ＬＡＡセルのみに有効な制御情報を含む。
【０１０３】
また、例えば、ＬＡＡセルでは、信号および／またはチャネルの想定が、従来のセカンダリセルと異なる。
【０１０４】
まず、従来のセカンダリセルにおける信号および／またはチャネルの想定を説明する。以下の条件の一部または全部を満たす端末装置は、ＤＳの送信を除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのセカンダリセルによって送信されないかもしれないと想定する。また、その端末は、ＤＳがそのセカンダリセルによって常に送信されていると想定する。また、その想定は、その端末があるキャリア周波数におけるセカンダリセルにおいてアクティベーションコマンド（活性化するためのコマンド）が受信
されるサブフレームまで継続する。
（１）端末装置がＤＳに関する設定（パラメータ）をサポートする。
（２）端末装置がそのセカンダリセルにおいて、ＤＳに基づくＲＲＭ（Radio Resource Management）測定が設定される。
（３）そのセカンダリセルはデアクティベーション（非活性化された状態）である。
（４）端末装置は、そのセカンダリセルにおいて、上位層によってＭＢＭＳを受信することが設定されていない。
【０１０５】
また、そのセカンダリセルがアクティベーション（活性化された状態）である場合、端末は、設定された所定のサブフレームまたは全てのサブフレームにおいて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳがそのセカンダリセルによって送信されると想定する。
【０１０６】
なお、ＲＲＭ測定には、ＲＳＲＰ（Reference Signal Received Power）測定、ＲＳＲ
Ｑ（Reference Signal Received Quality）測定、ＲＳＳＩ（Received Signal Strength Indicator）測定などが含まれてもよい。
【０１０７】
ＲＳＲＰ測定は、端末装置において、ある周波数のある参照信号の受信電力を測定することである。
【０１０８】
ＲＳＲＱ測定は、端末装置において、ある周波数のある参照信号の受信品質を測定することである。
【０１０９】
ＲＳＳＩ測定は、端末装置において、ある周波数のあるＯＦＤＭシンボルの受信強度を測定することである。
【０１１０】
基地局装置は、端末装置から報告される、これらの測定結果に基づいて、基地局装置は、端末装置に対してスケジュールするリソースを決定する。
【０１１１】
次に、ＬＡＡセルにおける信号および／またはチャネルの想定の一例を説明する。以下の条件の一部または全部を満たす端末装置は、ＤＳの送信を含めて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのＬＡＡセルによって送信されないかもしれないと想定する。また、その想定は、その端末装置があるキャリア周波数におけるセカンダリセルにおいてアクティベーションコマンド（活性化するためのコマンド）が受信されるサブフレームまで継続する。
（１）端末装置がＤＳに関する設定（パラメータ）をサポートする。
（２）端末装置がそのＬＡＡセルにおいて、ＤＳに基づくＲＲＭ測定が設定される。
（３）そのＬＡＡセルはデアクティベーション（非活性化された状態）である。
（４）端末装置は、そのＬＡＡセルにおいて、上位層によってＭＢＭＳを受信することが設定されていない。
【０１１２】
また、ＬＡＡセルにおける信号および／またはチャネルの想定の別の一例を説明する。そのＬＡＡセルがデアクティベーション（非活性化された状態）である場合、そのＬＡＡセルにおける信号および／またはチャネルの想定は、従来のセカンダリセルにおける信号および／またはチャネルの想定と同じである。そのＬＡＡセルがアクティベーション（活性化された状態）である場合、そのＬＡＡセルにおける信号および／またはチャネルの想定は、従来のセカンダリセルにおける信号および／またはチャネルの想定と異なる。例えば、そのＬＡＡセルがアクティベーション（活性化された状態）である場合、端末は、そ
のＬＡＡセルが、そのＬＡＡセルに設定された所定のサブフレームを除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが送信されないかもしれないと想定する。その詳細は後述する。
【０１１３】
次に、ＬＡＡセルにおける通信手順の詳細を説明する。ＬＡＡセルでは、ＬＢＴに基づいて、サブフレームの境界（Subframe boundary）に依存しないタイミングでチャネルお
よび／または信号の送信が開始できる。また、ＬＡＡセルでは、ＬＢＴと送信可能な最大バースト長に基づいて、サブフレームの境界（Subframe boundary）に依存しないタイミ
ングでチャネルおよび／または信号の送信が終了できる。すなわち、チャネルおよび／または信号は、部分サブフレームで送信できる。部分サブフレームは、例えば、以下のように定義できる。ここで、本実施形態において、部分サブフレームが示す送信可能なＯＦＤＭシンボルは、端末装置がチャネルおよび／または信号のそれぞれまたは全ての送信を想定するものとして定義できる。
（１）あるサブフレームにおいて、そのサブフレームの途中のＯＦＤＭシンボルから、そのサブフレームの最後のＯＦＤＭシンボル（サブフレームの境界）までの領域が送信できる。本実施形態において、第１の部分サブフレームとも呼称される。
（２）あるサブフレームにおいて、そのサブフレームの最初のＯＦＤＭシンボル（サブフレームの境界）から、そのサブフレームの途中のＯＦＤＭシンボルまでの領域が送信できる。本実施形態において、第２の部分サブフレームとも呼称される。
（３）あるサブフレームにおいて、そのサブフレームの途中のＯＦＤＭシンボルから、そのサブフレームの途中のＯＦＤＭシンボルまでの領域が送信できる。本実施形態において、第３の部分サブフレームとも呼称される。
【０１１４】
また、部分サブフレームにおいて、サブフレームの途中のＯＦＤＭシンボルは、所定数に制限できる。例えば、その所定数は２、３および／または４であってもよい。つまり、部分サブフレームを構成するＯＦＤＭシンボルの数は、所定の数に制限されてもよい。それは、上位層シグナリングによって提供されてもよいし、予め所定の値に規定されてもよいし、所定のパラメータの値と関連付けられて規定されてもよい。
【０１１５】
また、その所定数が２である場合、例えば、１スロットまたは１サブフレーム（２スロット）のいずれかとすることができる。すなわち、第２のＥＰＤＣＣＨの時間方向の単位が、１スロットまたは１サブフレームとなる。第２のＥＰＤＣＣＨの時間方向の単位が１スロットである場合、その第２のＥＰＤＣＣＨでスケジューリングされるＰＤＳＣＨの時間方向の単位も１スロットにすることができる。換言すると、従来のＬＴＥと同様に１サブフレームを単位とする通信方法（方式）と、従来のＬＴＥの半分である１スロットを単位とする通信方法とが、切り替えて用いられる。１スロットを単位とすることにより、無線通信における遅延を削減することが可能となる。これにより、従来のＬＴＥと同様の通信方法に加えて、無線通信における遅延を削減できる通信方法もさらに実現できる通信方法が可能となる。これは、ＬＡＡセルのみならず、従来の割り当て周波数帯域で用いられるＬＴＥにも適用できる。すなわち、本実施形態で説明する全ての方法や構成は、ＬＡＡセルのみならず、従来の割り当て周波数帯域で用いられるＬＴＥにも適用できる。
【０１１６】
ここで、ＬＡＡセルでは、ＬＢＴに基づいて、チャネルおよび／または信号の送信が可能になった場合にそのＬＡＡセルが送信できる期間が規定される。その期間は最大バースト長とも呼称され、その期間に送信されるチャネルおよび／または信号はバースト（送信バースト）とも呼称される。例えば、最大バースト長は４ミリ秒（４サブフレーム長）である。そのため、それぞれのバーストにおいて、バーストの先頭のサブフレームは、第１の部分サブフレームであり、バーストの最後のサブフレームは、第２の部分サブフレームである。なお、部分サブフレームは、浮動サブフレームとも呼称される。送信バーストは
、１つ以上の連続するフルサブフレームおよび／または部分サブフレームで構成されてもよい。換言すると、送信バーストは、１つ以上の連続するサブフレームを専有し、その連続するサブフレームの最後のサブフレームは、フルサブフレームまたはＤｗＰＴＳであってもよい。なお、ＤｗＰＴＳは、スペシャルサブフレーム設定と同一または類似の設定に基づいてＤｗＰＴＳ長（ＤｗＰＴＳ期間）が設定されてもよい。この設定またはこの設定と関連付けられた情報／物理チャネルは、ＤｗＰＴＳが送信される可能性のあるサブフレームのＯＦＤＭシンボル＃０にマップされてもよい。また、この設定またはこの設定と関連付けられた情報／物理チャネルは、ＤｗＰＴＳが送信される可能性のあるサブフレームの１つ以上前のサブフレームにマップされてもよい。つまり、この設定またはこの設定と関連付けられた情報／物理チャネルは、送信バーストのいずれかのサブフレームにマップされてもよい。また、部分サブフレームは、本実施形態で説明されるチャネルおよび／または信号が送信されない（送信できない）シンボル／サブフレームを含むサブフレームであってもよい。
【０１１７】
部分サブフレームに割り当てられる物理チャネルおよび／または物理信号を、フルサブフレームに割り当てられる物理チャネルおよび／物理信号と区別するために、部分物理チャネルや部分物理信号と呼称されてもよい。なお、部分物理チャネルや部分物理信号は、部分ＴＴＩ（Transmit Time Interval）で送信されてもよい。部分物理チャネルや部分物理信号または部分ＴＴＩに用いられるＯＦＤＭシンボルの数は、上位層シグナリングによって提供されてもよいし、予め所定の値に規定されてもよいし、所定のパラメータの値と関連付けられて規定されてもよい。部分ＴＴＩで用いられるＯＦＤＭシンボルの数は、ＴＴＩで用いられるＯＦＤＭシンボルの数より少ないことが好ましい。
【０１１８】
第１の部分サブフレームは、スタート部分サブフレームと呼称されてもよい。第２の部分サブフレームは、エンド部分サブフレームと呼称されてもよい。
【０１１９】
あるサブフレームがスタート部分サブフレームであるか否かは、そのサブフレームにおいて初期信号を検出したか否かに基づいてもよい。つまり、あるサブフレームにおいて、初期信号を検出した場合、端末装置は、そのサブフレームをスタート部分サブフレームであると想定してもよい。その想定に基づいて、ＥＰＤＣＣＨやＰＤＣＣＨ、ＰＤＳＣＨ、ＰＳＳ／ＳＳＳ、ＣＲＳ、ＣＳＩ−ＲＳ、ＤＳを検出してもよい。
【０１２０】
また、あるサブフレームがスタート部分サブフレームであるか否かは、そのサブフレームの第１のＯＦＤＭシンボル（サブフレームを構成する第１のスロットの第１のＯＦＤＭシンボル、ＯＦＤＭシンボル＃０）で、ＣＲＳを検出できるか否かに基づいてもよい。つまり、ＯＦＤＭシンボル＃０以外のＯＦＤＭシンボルにおいて、ＣＲＳを検出した場合には、端末装置は、そのサブフレームをスタート部分サブフレームと想定してもよい。また、端末装置は、ＯＦＤＭシンボル＃０でＣＲＳを検出した場合には、そのサブフレームをフルサブフレームと想定してもよい。
【０１２１】
あるサブフレームがエンド部分サブフレームであるか否かは、そのサブフレームにおいて、エンド部分サブフレームであるか否かを示す制御情報または制御情報ビットを検出できるか否かに基づいてもよい。例えば、そのサブフレームのＯＦＤＭシンボル＃０において、エンド部分サブフレームであるか否かを示す物理チャネルがマップされてもよい。その制御情報は、エンド部分サブフレームであるか否かを示すだけでなく、エンド部分サブフレームを構成するＯＦＤＭシンボルの数が示されてもよい。このＯＦＤＭシンボルの数がフルサブフレームを構成するＯＦＤＭシンボルの数と一致する場合には、端末装置は、そのサブフレームをフルサブフレームと想定してもよい。
【０１２２】
端末装置は、上記の想定に基づいて、ＥＰＤＣＣＨやＰＤＣＣＨ、ＰＤＳＣＨ、ＰＳＳ
／ＳＳＳ、ＣＲＳ、ＣＳＩ−ＲＳ、ＤＳを検出してもよい。
【０１２３】
また、あるサブフレームにおいて、そのサブフレームの最初のＯＦＤＭシンボル（サブフレームの境界）から、そのサブフレームの最後のＯＦＤＭシンボル（サブフレームの境界）までの領域が送信できるサブフレームは、フルサブフレームとも呼称される。フルサブフレームは、部分サブフレーム以外のサブフレームである。フルサブフレームは、それぞれのバーストにおいて、バーストの先頭のサブフレームまたはバーストの最後のサブフレーム以外のサブフレームである。フルサブフレームは、本実施形態で説明されるチャネルおよび／または信号が送信されない（送信できない）シンボル／サブフレームを含まないサブフレームであってもよい。また、ＬＡＡセルにおけるフルサブフレームは、ノーマルセルにおけるノーマルサブフレームと同一の構成および／または処理を行うサブフレームであってもよい。例えば、サブフレームの時間長（サブフレーム長）が１ｍｓで構成される場合、つまり、サブフレームの境界が１ｍｓである場合、フルサブフレーム／ノーマルサブフレームの時間長は、１ｍｓであり、部分サブフレームの時間長は、それよりも短くなってもよい。
【０１２４】
図５は、あるＬＡＡセルにおける通信手順の一例を示す図である。図５は、サブフレーム＃０〜９で示した１０個のサブフレームと、サブフレーム＃３におけるシンボル＃０〜１３の１４個のシンボル（ＯＦＤＭシンボル）を示している。また、この一例では、ＬＡＡセルは最大４ミリ秒（４サブフレームに相当）の信号を送信でき、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図５では、ＬＡＡセルは、サブフレーム＃３におけるシンボル＃６からサブフレーム＃６における所定のシンボルまで信号を送信する。
【０１２５】
図５において、チャネルおよび／または信号が送信されない（送信できない）シンボル／サブフレームで示されたシンボルまたはサブフレームでは、そのＬＡＡは何も送信しないことを示している。また、図５において、チャネルおよび／または信号が送信される（送信できる）シンボル／サブフレームで示されたシンボルまたはサブフレームでは、そのＬＡＡは少なくともＰＤＳＣＨと、ＰＤＳＣＨに関連付けられる端末固有参照信号とを送信することを示している。また、ＰＤＳＣＨは、リソースブロックペアを単位として、それぞれの端末に対してマッピング（スケジューリング）される。そのマッピング（スケジューリング）に関する情報は、それぞれのサブフレームで送信されるＰＤＣＣＨまたはＥＰＤＣＣＨを通じて通知される。あるサブフレームにおけるＰＤＳＣＨに対するマッピング情報は、同じサブフレームで通知されてもよいし、別のサブフレームで通知されてもよい。
【０１２６】
図５において、ＬＡＡセルがサブフレーム＃３におけるシンボル＃６〜１３を用いてＰＤＳＣＨを送信する場合、そのＰＤＳＣＨを受信する端末は、そのＰＤＳＣＨがサブフレーム＃３におけるシンボル＃６〜１３にマッピングされていることを認識する必要がある。
【０１２７】
その認識する方法の一例では、そのＬＡＡセルの所定のサブフレーム（例えば、サブフレーム＃３）において、チャネルおよび／または信号が送信されるシンボルを認識するための情報が用いられる。例えば、その情報は以下のいずれか、またはそれらを組み合わせた情報である。
（１）その情報は、その所定のサブフレームにおいて、チャネルおよび／または信号が送信されるシンボルのスタートシンボルを示す情報である。スタートシンボルを示す情報は、０から１３のいずれかであり、それぞれの値がスタートシンボルとなるシンボル番号を示す。
（２）その情報は、その所定のサブフレームにおいて、チャネルおよび／または信号が送信されるシンボルのスタートシンボルを示す情報である。スタートシンボルを示す情報は、０から１３の値から予め規定された値がインデックス化されたインデックス情報である。
（３）その情報は、その所定のサブフレームにおいて、チャネルおよび／または信号が送信されるシンボルを示すビットマップの情報である。ビットマップの情報は、１４ビットで構成される。ビットマップの情報において、各ビットが一方の状態（例えば、１）である場合、チャネルおよび／または信号が送信されるシンボルを示し、各ビットがもう一方の状態（例えば、０）である場合、チャネルおよび／または信号が送信されないシンボルを示す。
（５）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３のいずれかであり、それぞれの値がその最後のシンボルとなるシンボル番号を示す。例えば、そのシンボル数を示す情報は、１から１４のいずれかであり、それぞれの値がそのシンボル数を示す。
（６）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３の値から予め規定された値がインデックス化されたインデックス情報である。例えば、そのシンボル数を示す情報は、１から１４の値から予め規定された値がインデックス化されたインデックス情報である。
【０１２８】
また、チャネルおよび／または信号が送信されるシンボルを認識するための情報の通知方法は、例えば、以下のような方法を用いる。
（１）その情報は、ＲＲＣのシグナリングまたはＭＡＣのシグナリングを通じて、そのＬＡＡセルに対して設定（通知）されるパラメータにより通知される。あるサービングセルがＬＡＡセルである場合、あるサブフレームにおいて、設定されたシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１であると設定される。チャネルおよび／または信号が送信されないシンボルは、あるサブフレームにおいて、シンボル＃２〜１３であると設定される。また、この設定は、チャネルおよび／または信号によって異なっても（独立であっても）よい。例えば、あるサブフレームにおいて、端末は、ＥＰＤＣＣＨがシンボル＃２〜１３にマッピングされると設定され、ＰＤＳＣＨがシンボル＃１〜１３にマッピングされると設定される。また、例えば、ＬＡＡセルに対して設定されるＰＤＳＣＨのスタートシンボルの範囲（取りうる値）は、従来のセカンダリセルに対して設定されるＰＤＳＣＨのスタートシンボルの範囲（１〜４）とは異なることができる。ＬＡＡセルに対して設定されるＰＤＳＣＨおよび／またはＥＰＤＣＣＨのスタートシンボルの範囲は、０〜１３である。
（２）その情報は、そのＬＡＡセル、またはそのＬＡＡセルとは異なるサービングセル（アシストセル、プライマリセル、またはセカンダリセル）から送信されるＰＤＣＣＨまたはＥＰＤＣＣＨにより通知される。ＰＤＣＣＨまたはＥＰＤＣＣＨにより運ばれる（送信される）ＤＣＩはその情報を含む。
（３）その情報は、その情報を通知するためのチャネルまたは信号により通知される。その情報を通知するためのチャネルまたは信号は、ＬＡＡセルのみに対して送信される。その情報を通知するためのチャネルまたは信号は、そのＬＡＡセル、またはそのＬＡＡセルとは異なるサービングセル（アシストセル、プライマリセル、またはセカンダリセル）から送信される。
（４）その情報の候補は、ＲＲＣのシグナリングまたはＭＡＣのシグナリングを通じ
て、そのＬＡＡセルに対して、設定（通知）される。その情報の候補の中から、ＰＤＣＣＨまたはＥＰＤＣＣＨにより運ばれる（送信される）ＤＣＩに含まれる情報に基づいて、選択される。例えば、ＲＲＣのシグナリングまたはＭＡＣのシグナリングを通じて、４つのスタートシンボルを示す情報が設定され、それらの１つを示す２ビットの情報がＰＤＣＣＨまたはＥＰＤＣＣＨのシグナリングによって通知される。
（５）その情報は、あるサブフレームにおける所定のリソースエレメントにマッピングされるチャネルまたは信号によって通知される。例えば、その所定のリソースエレメントは、所定のシンボルにおける複数のリソースエレメントである。例えば、所定のシンボルは、そのサブフレームにおける最後のシンボルである。その情報を通知するためのチャネルまたは信号がマッピングされるサブフレームは、ＬＡＡセルにおける全てのサブフレームであってもよいし、予め規定されたサブフレームまたはＲＲＣのシグナリングによって設定されたサブフレームであってもよい。
（６）その情報は、予め規定される。あるサービングセルがＬＡＡセルである場合、あるサブフレームにおいて、所定のシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１である。チャネルおよび／または信号が送信されないシンボルは、あるサブフレームにおいて、シンボル＃２〜１３である。また、この規定は、チャネルおよび／または信号によって異なっても（独立であっても）よい。例えば、あるサブフレームにおいて、端末装置は、ＥＰＤＣＣＨがシンボル＃２〜１３にマッピングされると想定し、ＰＤＳＣＨがシンボル＃１〜１３にマッピングされると想定する。
【０１２９】
その認識する方法の別の一例では、そのＬＡＡセルの所定のサブフレーム（例えば、サブフレーム＃３）において、端末装置がチャネルおよび／または信号が送信されるシンボルを検出する。また、端末は、その検出を行うためのアシスト情報が設定されてもよい。例えば、その検出の方法は、以下のような方法を用いる。
（１）その検出は、その所定のサブフレームにマッピングされる所定の信号に基づいて行われる。端末は、その所定のサブフレームにおいて、予め規定された信号または設定された信号が検出されたかどうかに基づいて、チャネルおよび／または信号が送信されるシンボルを検出する。端末は、その所定のサブフレームのあるシンボルにおいて、予め規定された信号または設定された信号が検出された場合、その所定のサブフレームにおいて、そのあるシンボル以降のシンボルがチャネルおよび／または信号が送信されるシンボルとして認識する。例えば、予め規定された信号または設定された信号は、ＣＲＳ、ＤＭＲＳ、および／またはＵＲＳである。
（２）その検出は、その所定のサブフレームにマッピングされる所定のチャネルに基づいて行われる。端末は、その所定のサブフレームにおいて、予め規定されたチャネルまたは設定されたチャネルが検出されたかどうかに基づいて、チャネルおよび／または信号が送信されるシンボルを検出する。端末は、その所定のサブフレームのあるシンボルにおいて、予め規定されたチャネルまたは設定されたチャネルが検出された場合、その所定のサブフレームにおいて、そのあるシンボル以降のシンボルがチャネルおよび／または信号が送信されるシンボルとして認識する。例えば、予め規定されたチャネルまたは設定されたチャネルは、ＥＰＤＣＣＨである。具体的には、端末は、その所定のサブフレームにおいて、あるシンボル以降のシンボルにＥＰＤＣＣＨがマッピングされていると想定して、ＥＰＤＣＣＨのモニタリング（検出処理、ブラインド検出）を行う。ここで、端末は、ＥＰＤＣＣＨがマッピングされていると想定するスタートシンボルをブラインド検出してもよい。また、ＥＰＤＣＣＨがマッピングされていると想定するスタートシンボルまたはスタートシンボルの候補は、予め規定されてもよいし、設定されてもよい。
【０１３０】
また、図５のサブフレーム＃３において、ＰＤＣＣＨ、ＥＰＤＣＣＨおよび／またはＰＤＳＣＨのリソースエレメントへのマッピング方法が、他のサブフレームにおけるマッピ
ング方法と異なってもよい。例えば、そのマッピング方法は、以下の方法を用いることができる。なお、以下のマッピング方法（マッピング順序）は、参照信号や同期信号などの他の信号にも適用できる。
（１）そのマッピング方法は、ＰＤＣＣＨ、ＥＰＤＣＣＨおよび／またはＰＤＳＣＨがそのサブフレームにおける最後のシンボルからマッピングされる。すなわち、ＰＤＣＣＨ、ＥＰＤＣＣＨおよび／またはＰＤＳＣＨのリソースエレメント（ｋ，ｌ）へのマッピングは、割り当てられた物理リソースブロックであり、マッピングが可能なリソースエレメントにおいて、ＯＦＤＭシンボル番号ｌが最大のＯＦＤＭシンボル（すなわち、スロットにおける最後のシンボル）から順にマッピングされる。また、マッピングは、サブフレームの最後のスロット（２番目のスロット）から順に行われる。また、それぞれのＯＦＤＭシンボルでは、それらのチャネルはサブキャリア番号ｋが最小のサブキャリアから順にマッピングされる。
（２）そのマッピング方法は、ＰＤＣＣＨ、ＥＰＤＣＣＨおよび／またはＰＤＳＣＨは、チャネルおよび／または信号が送信されないシンボルをスキップして、チャネルおよび／または信号が送信されるシンボル内のリソースエレメントに対してマッピングされる。すなわち、ＰＤＣＣＨ、ＥＰＤＣＣＨおよび／またはＰＤＳＣＨのマッピングにおいて、チャネルおよび／または信号が送信されないシンボルのリソースエレメントはレートマッチングされる。
（３）そのマッピング方法は、ＰＤＣＣＨ、ＥＰＤＣＣＨおよび／またはＰＤＳＣＨは、チャネルおよび／または信号が送信されないシンボルをスキップせずに、チャネルおよび／または信号が送信されるシンボル内のリソースエレメントに対してマッピングされる。換言すると、ＰＤＣＣＨ、ＥＰＤＣＣＨおよび／またはＰＤＳＣＨは、チャネルおよび／または信号が送信されるシンボルとチャネルおよび／または信号が送信されないシンボルとを区別せずにマッピングが適用されるが、チャネルおよび／または信号が送信されないシンボルにマッピングされるチャネルは送信されず、チャネルおよび／または信号が送信されるシンボルにマッピングされるチャネルが送信される。すなわち、ＰＤＣＣＨ、ＥＰＤＣＣＨおよび／またはＰＤＳＣＨのマッピングにおいて、チャネルおよび／または信号が送信されないシンボルのリソースエレメントはパンクチャリングされる。
【０１３１】
図６は、あるＬＡＡセルにおける通信手順の一例を示す図である。以下では、図５で説明した内容との違いを説明する。この一例では、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。ＬＡＡセルは、サブフレーム＃３におけるシンボル＃５からサブフレーム＃６における所定のシンボルまで信号を送信する。
【０１３２】
図６の一例では、サブフレーム＃３におけるシンボル＃６および７は、予約信号が送信されるシンボルである。予約信号は、ＣＣＡを行うシンボル（すなわち、シンボル＃５）の直後から、チャネルおよび／または信号が送信されるシンボル（すなわち、シンボル＃６）の直前まで、送信される。この予約信号による効果は以下の通りである。図５で説明したように、チャネルおよび／または信号が送信されるシンボルの候補が、予め規定される場合または設定される場合においても、ＬＡＡセルは、ＣＣＡをその候補の数に依存せずに柔軟に行うことができる。
【０１３３】
予約信号は、そのＬＡＡセルから送信されるチャネルおよび／または信号を受信する端末であっても、受信（認識）されなくてもよい。すなわち、予約信号は、ＣＣＡを行った後にチャネルおよび／または信号を送信できない場合、そのＣＣＡを行ったＬＡＡセルがその周波数を確保（予約）するために送信される。
【０１３４】
予約信号が送信されるシンボルは、チャネルおよび／または信号が送信されるシンボル
で送信されるチャネルおよび／または信号とは異なるチャネルおよび／または信号がマッピングされてもよい。すなわち、予約信号が送信されるシンボルにマッピングされるチャネルおよび／または信号は、端末に認識（受信）される。例えば、端末は、予約信号が送信されるシンボルにマッピングされるチャネルおよび／または信号に基づいて、チャネルおよび／または信号が送信されるシンボルを識別する。また、例えば、端末は、予約信号が送信されるシンボルにマッピングされるチャネルおよび／または信号を用いて、そのＬＡＡセルと同期（同定）する。
【０１３５】
また、本実施形態における予約信号は、初期信号とも呼称される。初期信号は、バーストの先頭で送信される信号であり、そのバースト内のＰＤＳＣＨ、ＥＰＤＣＣＨ、ＰＤＣＣＨおよび／または参照信号とは区別できる。また、初期信号は、そのバーストに関する制御情報、そのバースト内のチャネルおよび／または信号に関する制御情報、またはそのバーストを送信しているセルに関する制御情報を含むことができる。
【０１３６】
図７は、あるＬＡＡセルにおける通信手順の一例を示す図である。以下では、図５で説明した内容との違いを説明する。この一例では、図５の一例と同様に、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図７では、ＬＡＡセルは、サブフレーム＃３におけるシンボル＃６から、４ミリ秒後のサブフレーム＃７におけるシンボル＃５まで信号を送信する。
【０１３７】
図７の一例では、ＬＡＡセルは、ＣＣＡを行うシンボルを含むサブフレームにおいて、ＣＣＡを行うシンボル直後のシンボルから最後のシンボルまで、予約信号を送信する。また、ＬＡＡセルは、ＣＣＡを行うシンボルを含むサブフレームの次のサブフレームから、チャネルおよび／または信号を送信する。また、図７における予約信号は、図６で説明された予約信号を含む。
【０１３８】
例えば、図７において、端末は、サブフレーム＃４以降のサブフレームで、チャネルおよび／または信号が送信されると想定することができる。これにより、端末は、サブフレームの最初のシンボルからチャネルおよび／または信号が送信されると想定する。そのため、ＬＡＡセルを含む基地局は、その端末に対して、チャネルおよび／または信号の送信と、そのチャネルおよび／または信号のための制御情報の通知に関して、従来と同様の方法を用いることができる。
【０１３９】
また、図７では、ＬＡＡセルは、サブフレーム＃７において、最初のシンボルからシンボル＃５まで、チャネルおよび／または信号を送信できる。例えば、ＬＡＡセルは、端末に対して、サブフレーム＃７における所定のシンボルからシンボル＃５までのリソースにマッピングされるＰＤＳＣＨおよび／またはＥＰＤＣＣＨを送信できる。また、ＬＡＡセルは、端末に対して、サブフレーム＃７における最初のシンボルから所定のシンボルまでのリソースにマッピングされるＰＤＣＣＨを送信できる。例えば、所定のシンボルは、ＰＣＦＩＣＨで送信される情報であり、ＰＤＣＣＨの送信のために用いられるＯＦＤＭシンボルの数についての情報に基づいて決まる。また、例えば、所定のシンボルは、ＲＲＣのシグナリングによって設定される制御情報であり、ＥＰＤＣＣＨ、ＰＤＣＣＨによってスケジューリングされるＰＤＳＣＨ、およびＥＰＤＣＣＨによってスケジューリングされるＰＤＳＣＨのためのＯＦＤＭスタートシンボルを示す情報に基づいて決まる。
【０１４０】
また、図７では、ＬＡＡセルは、サブフレーム＃７において、チャネルおよび／または信号が送信される最後のシンボルを、端末に通知または設定することができる。ＬＡＡセルのあるサブフレームにおいて、端末がその最後のシンボルを認識するための情報とその情報の通知方法は、図５の一例で説明された方法を使用できる。図５の一例で説明された
方法は、図５におけるチャネルおよび／または信号が送信されるシンボルを認識するための情報とその情報の通知方法である。例えば、ＬＡＡセルは、その最後のシンボルに関する情報を、サブフレーム＃７で送信されるＰＤＣＣＨまたはＥＰＤＣＣＨで通知されるＤＣＩに含める。これにより、ＬＡＡセルは、図７におけるサブフレーム＃７のように、チャネルおよび／または信号をサブフレームの途中のシンボルまで送信できる場合に、効率よくリソースを使用できる。また、例えば、ＬＡＡセルは、その最後のシンボルに関する情報を、ＲＲＣのシグナリングまたはＭＡＣのシグナリングによって設定される情報に含める。
【０１４１】
また、図７において、サブフレーム＃３における送信方法とサブフレーム＃７における送信方法とが組み合わせて用いられる方法が説明されたが、これに限定されるものではない。サブフレーム＃３における送信方法とサブフレーム＃７における送信方法はそれぞれ独立に用いられてもよい。また、図５〜７で説明された方法の一部または全部が、それぞれ組み合わせて用いられてもよい。
【０１４２】
また、図７のサブフレーム＃７において、ＰＤＣＣＨ、ＥＰＤＣＣＨおよび／またはＰＤＳＣＨのリソースエレメントへのマッピングが、他のサブフレームにおけるマッピングと異なってもよい。
【０１４３】
また、ＬＡＡセルにおいて、１つのサブフレームにおける全てのＯＦＤＭシンボルにチャネルおよび／または信号を送信できるサブフレーム（すなわち、図５〜７におけるサブフレーム＃４〜６）は、１つのサブフレームにおける一部のＯＦＤＭシンボルにチャネルおよび／または信号を送信できないサブフレーム（すなわち、図５〜７におけるサブフレーム＃３、および図７におけるサブフレーム＃７）とは異なるサブフレームとして、認識、設定、または通知されてもよい。例えば、１つのサブフレームにおける全てのＯＦＤＭシンボルにチャネルおよび／または信号を送信できるサブフレームは、従来のサービングセルにおけるサブフレームと同等である。
【０１４４】
本実施形態において、１つのサブフレームにおける全てのＯＦＤＭシンボルにチャネルおよび／または信号を送信できないサブフレームは、第１のＬＡＡサブフレームとも呼称される。１つのサブフレームにおける一部のＯＦＤＭシンボルにチャネルおよび／または信号を送信できないサブフレームは、第２のＬＡＡサブフレームとも呼称される。１つのサブフレームにおける全てのＯＦＤＭシンボルにチャネルおよび／または信号を送信できるサブフレームは、第３のＬＡＡサブフレームとも呼称される。また、第２のＬＡＡサブフレームは、部分サブフレームとも呼称され、第３のＬＡＡサブフレームは、フルサブフレームとも呼称される。なお、第２のＬＡＡサブフレームは、第１の部分サブフレーム、第２の部分サブフレーム、および／または第３の部分サブフレームを含む。
【０１４５】
また、端末が第１のＬＡＡサブフレームと第２のＬＡＡサブフレームと第３のＬＡＡサブフレームとを認識するための方法は、本実施形態において説明された方法を用いることができる。例えば、それらを認識するための方法は、チャネルおよび／または信号が送信されるシンボルを認識するための情報と、その通知方法を用いる。
【０１４６】
また、端末が第１のＬＡＡサブフレームと第２のＬＡＡサブフレームと第３のＬＡＡサブフレームとを認識するための方法は、ＰＤＣＣＨまたはＲＲＣのシグナリングによって、明示的に通知または設定されてもよい。
【０１４７】
また、端末が第１のＬＡＡサブフレームと第２のＬＡＡサブフレームと第３のＬＡＡサブフレームとを認識するための方法は、ＰＤＣＣＨまたはＲＲＣのシグナリングによって通知または設定される情報（パラメータ）に基づいて、黙示的に通知または設定されても
よい。例えば、端末は、ＣＲＳのマッピングに関する情報に基づいて、第１のＬＡＡサブフレームと第２のＬＡＡサブフレームと第３のＬＡＡサブフレームとを認識する。
【０１４８】
また、端末が、あるサブフレームが第２のＬＡＡサブフレームであると認識した場合、そのあるサブフレームの次のサブフレーム以降の所定数のサブフレームが第３のＬＡＡサブフレームであると認識する。また、端末は、第３のＬＡＡサブフレームであると認識した最後のサブフレームの次のサブフレーム以降のサブフレームが、第２のＬＡＡサブフレームであると認識するまで、第１のＬＡＡサブフレームであると認識する。また、その所定数（すなわち、第３のＬＡＡサブフレームであると認識するサブフレーム数）は、予め規定されてもよい。その所定数は、ＬＡＡセルにおいて設定されてもよい。その所定数は、第２のＬＡＡサブフレームにマッピングされるチャネルおよび／または信号によって通知されてもよい。
【０１４９】
また、第２のＬＡＡサブフレームと第３のＬＡＡサブフレームにおいて、ＰＤＳＣＨおよび／またはＥＰＤＣＣＨのスタートシンボルがそれぞれ独立に規定または設定される。
【０１５０】
また、図５〜７において、ＣＣＡは、１つのサブフレームで行われることを示したが、ＣＣＡを行う時間（期間）はこれに限定されるものではない。ＣＣＡを行う時間は、ＬＡＡセル毎、ＣＣＡのタイミング毎、ＣＣＡの実行毎に変動してもよい。例えば、ＣＣＡは、所定の時間スロット（時間間隔、時間領域）に基づいた時間で行う。その所定の時間スロットは、１つのサブフレームを所定数に分割した時間で規定または設定されてもよい。その所定の時間スロットは、所定数のサブフレームで規定または設定されてもよい。
【０１５１】
また、本実施形態において、ＣＣＡを行う時間（時間スロット）や、あるサブフレームにおいてチャネルおよび／または信号が送信される（送信できる）時間などの、時間領域におけるフィールドのサイズは、所定の時間ユニットを用いて表現できる。例えば、時間領域におけるフィールドのサイズは、いくつかの時間ユニットＴｓとして表現される。Ｔｓは、1/(15000*2048)秒である。例えば、１つのサブフレームの時間は、30720*Ts（１ミリ秒）である。
【０１５２】
また、図５〜７におけるサブフレーム＃３のように、ＬＡＡセルがあるサブフレームにおける途中のシンボルから、チャネルおよび／または信号（予約信号を含む）を送信できるか否かが、端末またはＬＡＡセルに対して設定されてもよい。例えば、端末は、ＲＲＣのシグナリングによって、ＬＡＡセルに関する設定において、そのような送信が可能かどうかを示す情報が設定される。端末は、その情報に基づいて、ＬＡＡセルにおける受信（モニタリング、認識、復号）に関する処理を切り替える。
【０１５３】
また、途中のシンボルから送信が可能なサブフレーム（途中のシンボルまで送信が可能なサブフレームも含む）は、ＬＡＡセルにおける全てのサブフレームでもよい。また、途中のシンボルから送信が可能なサブフレームは、ＬＡＡセルに対して予め規定されたサブフレームまたは設定されたサブフレームでもよい。
【０１５４】
また、途中のシンボルから送信が可能なサブフレーム（途中のシンボルまで送信が可能なサブフレームも含む）は、ＴＤＤの上りリンク下りリンク設定（ＵＬ／ＤＬ設定）に基づいて設定、通知または決定されることができる。例えば、そのようなサブフレームは、ＵＬ／ＤＬ設定でスペシャルサブフレームと通知（指定）されたサブフレームである。ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグ
ナリングによって設定または通知されてもよい。この設定は、ＤｗＰＴＳ、ＧＰおよびＵｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。すなわち、あるサブフレームにおいて送信が可能な時間の長さは、ＤｗＰＴＳ、ＧＰおよびＵｐＰＴＳのいずれかに基づいて決まる。
【０１５５】
また、本実施形態において、予約信号は、その予約信号を送信しているＬＡＡセルとは異なるＬＡＡセルが受信できる信号とすることができる。例えば、その予約信号を送信しているＬＡＡセルとは異なるＬＡＡセルは、その予約信号を送信しているＬＡＡセルに隣接しているＬＡＡセル（隣接ＬＡＡセル）である。例えば、その予約信号は、そのＬＡＡセルにおける所定のサブフレームおよび／またはシンボルの送信状況（使用状況）に関する情報を含む。ある予約信号を送信しているＬＡＡセルとは異なるＬＡＡセルがその予約信号を受信した場合、その予約信号を受信したＬＡＡセルは、その予約信号に基づいて、所定のサブフレームおよび／またはシンボルの送信状況を認識し、その状況に応じてスケジューリングを行う。
【０１５６】
また、その予約信号を受信したＬＡＡセルは、チャネルおよび／または信号を送信する前に、ＬＢＴを行ってもよい。そのＬＢＴは、受信した予約信号に基づいて行われる。例えば、そのＬＢＴにおいて、予約信号を送信したＬＡＡセルが送信する（送信すると想定される）チャネルおよび／または信号を考慮して、リソース割り当てやＭＣＳの選択などを含むスケジューリングを行う。
【０１５７】
また、その予約信号を受信したＬＡＡセルがその予約信号に基づいてチャネルおよび／または信号を送信するスケジューリングを行った場合、所定の方法により、その予約信号を送信したＬＡＡセルを含む１つ以上のＬＡＡセルにそのスケジューリングに関する情報を通知することができる。例えば、その所定の方法は、予約信号を含む所定のチャネルおよび／または信号を送信する方法である。また、例えば、その所定の方法は、Ｘ２インターフェースなどのバックホールを通じて通知する方法である。
【０１５８】
また、キャリアアグリゲーションおよび／またはデュアルコネクティビティにおいて、従来の端末は５つまでのサービングセルを設定することができたが、本実施形態における端末は設定できるサービングセルの最大数を拡張することができる。すなわち、本実施形態における端末は、５つを超えるサービングセルを設定できる。例えば、本実施形態における端末は１６個または３２個までのサービングセルを設定できる。例えば、本実施形態における端末に設定される５つを超えるサービングセルは、ＬＡＡセルを含む。また、本実施形態における端末に設定される５つを超えるサービングセルは、全てＬＡＡセルであってもよい。
【０１５９】
また、５つを超えるサービングセルを設定できる場合において、一部のサービングセルに関する設定は従来のサービングセル（すなわち、従来のセカンダリセル）の設定と異なってもよい。例えば、その設定に関して、以下が異なる。以下で説明する設定は、組み合わせて用いられてもよい。
（１）端末は、従来のサービングセルが５つまで設定され、従来とは異なるサービングセルが１１個または２７個まで設定される。すなわち、端末は、従来のプライマリセルに加えて、従来のセカンダリセルが４つまで設定され、従来とは異なるセカンダリセルが１１個または２７個まで設定される。
（２）従来とは異なるサービングセル（セカンダリセル）に関する設定は、ＬＡＡセルに関する設定を含む。例えば、端末は、従来のプライマリセルに加えて、ＬＡＡセルに
関する設定を含まないセカンダリセルが４つまで設定され、従来とは異なるセカンダリセルが１１個または２７個まで設定される。
【０１６０】
また、５つを超えるサービングセルを設定できる場合において、基地局（ＬＡＡセルを含む）および／または端末は、５つまでのサービングセルを設定する場合と異なる処理または想定を行うことができる。例えば、その処理または想定に関して、以下が異なる。以下で説明する処理または想定は、組み合わせて用いられてもよい。
（１）端末は、５つを超えるサービングセルが設定された場合でも、ＰＤＣＣＨ、ＥＰＤＣＣＨおよび／またはＰＤＳＣＨは最大５つのサービングセルから同時に送信される（受信する）と想定する。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（２）端末は、５つを超えるサービングセルが設定された場合、それらのサービングセルにおいて、ＰＤＳＣＨに対するＨＡＲＱ−ＡＣＫのバンドリングを行うセルの組み合わせ（グループ）が設定される。例えば、全てのサービングセル、全てのセカンダリセル、全てのＬＡＡセル、または全ての従来とは異なるセカンダリセルは、それぞれサービングセル間におけるＨＡＲＱ−ＡＣＫのバンドリングに関する情報（設定）を含む。例えば、サービングセル間におけるＨＡＲＱ−ＡＣＫのバンドリングに関する情報は、そのバンドリングを行う識別子（インデックス、ＩＤ）である。例えば、ＨＡＲＱ−ＡＣＫは、そのバンドリングを行う識別子が同じセルを渡って、バンドリングされる。そのバンドリングは、対象となるＨＡＲＱ−ＡＣＫに対して論理積演算によって行われる。また、そのバンドリングを行う識別子の最大数は５にすることができる。また、そのバンドリングを行う識別子の最大数は、そのバンドリングを行わないセルの数を含めて５にすることができる。すなわち、サービングセルを超えてバンドリングを行うグループの数を最大５にすることができる。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（３）端末は、５つを超えるサービングセルが設定された場合、それらのサービングセルにおいて、ＰＤＳＣＨに対するＨＡＲＱ−ＡＣＫの多重（multiplexing）を行うセルの組み合わせ（グループ）が設定される。ＰＤＳＣＨに対するＨＡＲＱ−ＡＣＫの多重を行うセルの組み合わせ（グループ）が設定される場合、多重されたＨＡＲＱ−ＡＣＫは、そのグループに基づいてＰＵＣＣＨまたはＰＵＳＣＨにより送信される。それぞれのグループにおいて、多重されるサービングセルの最大数が規定または設定される。その最大数は、端末に設定されるサービングセルの最大数に基づいて規定または設定される。例えば、その最大数は、端末に設定されるサービングセルの最大数と同数、または、端末に設定されるサービングセルの最大数の半数である。また、同時に送信されるＰＵＣＣＨの最大数は、それぞれのグループにおいて多重されるサービングセルの最大数と、端末に設定されるサービングセルの最大数とに基づいて、規定または設定される。
【０１６１】
換言すると、設定される第１のサービングセル（すなわち、プライマリセルおよび／またはセカンダリセル）の数は所定数（すなわち、５）以下であり、設定される前記第１のサービングセルと前記第２のサービングセル（すなわち、ＬＡＡセル）の合計は前記所定数を超える。
【０１６２】
次に、ＬＡＡに関連する端末ケイパビリティを説明する。端末は、基地局からの指示に基づいて、ＲＲＣのシグナリングによって、その端末のケイパビリティ（能力、機能）に関する情報（端末ケイパビリティ）を基地局に通知（送信）する。ある機能（特徴）に対する端末ケイパビリティは、その機能（特徴）をサポートする場合に通知（送信）され、その機能（特徴）をサポートしない場合に通知（送信）されない。また、ある機能（特徴）に対する端末ケイパビリティは、その機能（特徴）のテストおよび／または実装が完了
しているかどうかを示す情報であってもよい。例えば、本実施形態における端末ケイパビリティは、以下の通りである。以下で説明する端末ケイパビリティは、組み合わせて用いられてもよい。
（１）ＬＡＡセルのサポートに関する端末ケイパビリティと、５つを超えるサービングセルの設定のサポートに関する端末ケイパビリティは、それぞれ独立に定義される。例えば、ＬＡＡセルをサポートする端末は、５つを超えるサービングセルの設定をサポートする。すなわち、５つを超えるサービングセルの設定をサポートしない端末は、ＬＡＡセルをサポートしない。その場合、５つを超えるサービングセルの設定をサポートする端末は、ＬＡＡセルをサポートしてもよいし、しなくてもよい。
（２）ＬＡＡセルのサポートに関する端末ケイパビリティと、５つを超えるサービングセルの設定のサポートに関する端末ケイパビリティは、それぞれ独立に定義される。例えば、５つを超えるサービングセルの設定をサポートする端末は、ＬＡＡセルをサポートする。すなわち、ＬＡＡセルをサポートしない端末は、５つを超えるサービングセルの設定をサポートしない。その場合、ＬＡＡセルをサポートする端末は、５つを超えるサービングセルの設定をサポートしてもよいし、しなくてもよい。
（３）ＬＡＡセルにおける下りリンクに関する端末ケイパビリティと、ＬＡＡセルにおける上りリンクに関する端末ケイパビリティは、それぞれ独立に定義される。例えば、ＬＡＡセルにおける上りリンクをサポートする端末は、ＬＡＡセルにおける下りリンクをサポートする。すなわち、ＬＡＡセルにおける下りリンクをサポートしない端末は、ＬＡＡセルにおける上りリンクをサポートしない。その場合、ＬＡＡセルにおける下りリンクをサポートする端末は、ＬＡＡセルにおける上りリンクをサポートしてもよいし、サポートしなくてもよい。
（４）ＬＡＡセルのサポートに関する端末ケイパビリティは、ＬＡＡセルのみに設定される送信モードのサポートを含む。
（５）５つを超えるサービングセルの設定における下りリンクに関する端末ケイパビリティと、５つを超えるサービングセルの設定における上りリンクに関する端末ケイパビリティは、それぞれ独立に定義される。例えば、５つを超えるサービングセルの設定における上りリンクをサポートする端末は、５つを超えるサービングセルの設定における下りリンクをサポートする。すなわち、５つを超えるサービングセルの設定における下りリンクをサポートしない端末は、５つを超えるサービングセルの設定における上りリンクをサポートしない。その場合、５つを超えるサービングセルの設定における下りリンクをサポートする端末は、５つを超えるサービングセルの設定における上りリンクをサポートしてもよいし、サポートしなくてもよい。
（６）５つを超えるサービングセルの設定における端末ケイパビリティにおいて、最大１６個の下りリンクサービングセル（コンポーネントキャリア）の設定をサポートする端末ケイパビリティと、最大３２個の下りリンクサービングセルの設定をサポートする端末ケイパビリティは、それぞれ独立に定義される。また、最大１６個の下りリンクサービングセルの設定をサポートする端末は、少なくとも１つの上りリンクサービングセルの設定をサポートする。最大３２個の下りリンクサービングセルの設定をサポートする端末は、少なくとも２つの上りリンクサービングセルの設定をサポートする。すなわち、最大１６個の下りリンクサービングセルの設定をサポートする端末は、２つ以上の上りリンクサービングセルの設定をサポートしなくてもよい。
（７）ＬＡＡセルのサポートに関する端末ケイパビリティは、ＬＡＡセルで用いられる周波数（バンド）に基づいて通知される。例えば、端末がサポートする周波数または周波数の組み合わせの通知において、通知される周波数または周波数の組み合わせがＬＡＡセルで用いられる周波数を少なくとも１つ含む場合、その端末はＬＡＡセルをサポートすることを黙示的に通知する。すなわち、通知される周波数または周波数の組み合わせがＬＡＡセルで用いられる周波数を全く含まない場合、その端末はＬＡＡセルをサポートしないことを黙示的に通知する。
【０１６３】
次に、第２のＥＰＤＣＣＨに関連する端末ケイパビリティを説明する。本実施形態における端末ケイパビリティの一例において、第２のＥＰＤＣＣＨに関連する端末ケイパビリティのフィールドは、端末が第２のＥＰＤＣＣＨのＵＳＳおよび／またはＣＳＳにおけるＤＣＩを受信できるかどうかを定義する。すなわち、その端末が第２のＥＰＤＣＣＨのＵＳＳおよび／またはＣＳＳにおけるＤＣＩを受信できる場合、その端末は第２のＥＰＤＣＣＨに関連する端末ケイパビリティのフィールドでサポートしていること（Supported）
を通知する。また、その端末が第２のＥＰＤＣＣＨのＵＳＳおよび／またはＣＳＳにおけるＤＣＩを受信できない場合、その端末は第２のＥＰＤＣＣＨに関連する端末ケイパビリティのフィールドを通知しない。
【０１６４】
また、その端末が第２のＥＰＤＣＣＨのＵＳＳおよび／またはＣＳＳにおけるＤＣＩを受信できる場合、その端末は第１のＥＰＤＣＣＨのＵＳＳにおけるＤＣＩを受信する能力を有する。すなわち、その端末が第２のＥＰＤＣＣＨに関連する端末ケイパビリティのフィールドでサポートしていること（Supported）を通知する場合、第１のＥＰＤＣＣＨに
関連する端末ケイパビリティのフィールドでサポートしていること（Supported）を通知
する。また、その端末が第２のＥＰＤＣＣＨに関連する端末ケイパビリティのフィールドでサポートしていること（Supported）を通知する場合、その端末は第１のＥＰＤＣＣＨ
のＵＳＳにおけるＤＣＩを受信する能力を有することを示すようにしてもよい。
【０１６５】
また、その端末が第２のＥＰＤＣＣＨのＵＳＳおよび／またはＣＳＳにおけるＤＣＩを受信できる場合、その端末はＬＡＡに関する能力（例えば、上記で説明したものを含む）も有する。すなわち、その端末が第２のＥＰＤＣＣＨに関連する端末ケイパビリティのフィールドでサポートしていること（Supported）を通知する場合、ＬＡＡに関連する端末
ケイパビリティのフィールドでサポートしていること（Supported）を通知する。また、
その端末が第２のＥＰＤＣＣＨに関連する端末ケイパビリティのフィールドでサポートしていること（Supported）を通知する場合、その端末はＬＡＡに関する能力も有すること
を示すようにしてもよい。
【０１６６】
また、本実施形態において、ＬＡＡセルが、そのＬＡＡセルで送信されるＰＤＳＣＨのためのＤＣＩを通知するＰＤＣＣＨまたはＥＰＤＣＣＨを、送信する場合（すなわち、セルフスケジューリングの場合）を説明したが、これに限定されるものではない。例えば、ＬＡＡセルとは異なるサービングセルが、そのＬＡＡセルで送信されるＰＤＳＣＨのためのＤＣＩを通知するＰＤＣＣＨまたはＥＰＤＣＣＨを、送信する場合（すなわち、クロスキャリアスケジューリングの場合）においても、本実施形態で説明された方法は適用できる。
【０１６７】
また、本実施形態において、チャネルおよび／または信号が送信されるシンボルを認識するための情報は、チャネルおよび／または信号が送信されないシンボルに基づいてもよい。例えば、その情報は、チャネルおよび／または信号が送信されないシンボルの最後のシンボルを示す情報である。また、チャネルおよび／または信号が送信されるシンボルを認識するための情報は、他の情報またはパラメータに基づいて決まってもよい。
【０１６８】
また、本実施形態において、チャネルおよび／または信号が送信されるシンボルは、チャネルおよび／または信号に対して独立に設定（通知、規定）されてもよい。すなわち、チャネルおよび／または信号が送信されるシンボルを認識するための情報と、その通知方法は、チャネルおよび／または信号に対して、それぞれ独立に設定（通知、規定）できる。例えば、チャネルおよび／または信号が送信されるシンボルを認識するための情報と、その通知方法は、ＰＤＳＣＨとＥＰＤＣＣＨでそれぞれ独立に設定（通知、規定）できる。
【０１６９】
また、本実施形態において、チャネルおよび／または信号が送信されない（送信できない）シンボル／サブフレームは、端末の観点から、チャネルおよび／または信号が送信される（送信できる）と想定されないシンボル／サブフレームとしてもよい。すなわち、その端末は、そのＬＡＡセルがそのシンボル／サブフレームでチャネルおよび／または信号を送信していないと見なすことができる。
【０１７０】
また、本実施形態において、チャネルおよび／または信号が送信される（送信できる）シンボル／サブフレームは、端末の観点から、チャネルおよび／または信号が送信されるかもしれないと想定するシンボル／サブフレームとしてもよい。すなわち、その端末は、そのＬＡＡセルがそのシンボル／サブフレームでチャネルおよび／または信号を送信しているかもしれないし、送信していないかもしれないと見なすことができる。
【０１７１】
また、本実施形態において、チャネルおよび／または信号が送信される（送信できる）シンボル／サブフレームは、端末の観点から、チャネルおよび／または信号が必ず送信されていると想定するシンボル／サブフレームとしてもよい。すなわち、その端末は、そのＬＡＡセルがそのシンボル／サブフレームでチャネルおよび／または信号を必ず送信していると見なすことができる。
【０１７２】
また、本実施形態において、ＬＡＡセルは、所定の周波数バンドを用いるサービングセルとしてもよい。
【０１７３】
次に、拡張物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）について説明する。なお、ＥＰＤＣＣＨは、ＰＤＳＣＨなどの他の物理チャネルと同様、リソースエレメント（ＲＥ：Ｒｅｓｏｕｒｃｅ  Ｅｌｅｍｅｎｔ）を用いて送受信される。アンテナポートＰに対するリソースグリッド（送信される信号をスロット毎に、サブキャリアとＯＦＤＭシンボルとのグリッドによって記載したもの）の各要素（１つのサブキャリアかつ１つのＯＦＤＭシンボルに対応する要素）は、ＲＥと呼ばれ、１つのスロット内でインデクスのペアであるｋ（０から開始し、周波数軸方向に昇順なインデクス）およびｌ（０から開始し、時間軸方向に昇順なインデクス）によって一意に識別される。
【０１７４】
ＥＰＤＣＣＨは、ノーマルセルにおけるノーマルサブフレーム、ＬＡＡセルにおける部分サブフレーム、および／またはＬＡＡセルにおけるフルサブフレームで、その構成および／または処理をそれぞれ異なってもよい。例えば、部分サブフレームにおいて、ノーマルサブフレームおよび／またはフルサブフレームで用いられるＥＰＤＣＣＨよりも少ないＯＦＤＭシンボルで構成されるＥＰＤＣＣＨが用いられる。本実施形態において、ノーマルサブフレームで用いられるＥＰＤＣＣＨは、第１のＥＰＤＣＣＨとも呼称され、部分サブフレームで用いられるＥＰＤＣＣＨは、第２のＥＰＤＣＣＨとも呼称される。なお、フルサブフレームにおいて、第１のＥＰＤＣＣＨおよび／または第２のＥＰＤＣＣＨが用いられてもよい。
【０１７５】
図８は、１つのＲＢペアにおけるＥＲＥＧ構成の一例を示す。ＥＲＥＧ（Ｅｎｈａｎｃｅｄ  ＲＥ  Ｇｒｏｕｐ）は、ＥＰＤＣＣＨのＲＥへのマッピングを規定するために用いられる。リソースブロックペア毎に、０から１５までの番号が振られた１６個のＥＲＥＧがある。１つのＰＲＢペア内で、通常のＣＰ（Ｃｙｃｌｉｃ  Ｐｒｅｆｉｘ）に対してアンテナポート１０７、１０８、１０９および１１０のための、拡張のＣＰに対してアンテナポート１０７および１０８のためのＤＭＲＳを運ぶＲＥを除くすべてのＲＥに、周波数が先で時間が後の昇順で、０から１５まで循環的に番号が振られる。図８において、斜線で網掛けしたリソースエレメントはＤＭＲＳを運ぶために用いられる。そのＰＲＢペア内の番号ｉが振られたすべてのＲＥが、ｉの番号が振られたＥＲＥＧを構成する。ここで、
ＣＰとは、下りリンクにおけるＯＦＤＭシンボル（上りリンクの場合はＳＣ−ＦＤＭＡシンボル）の有効シンボル区間の前方に付加される信号であり、有効シンボル区間内の一部（通常は最後部）がコピーされた信号である。ＣＰ長には通常の長さ（例えば有効シンボル長２０４８サンプルに対して１６０サンプルあるいは１４４サンプル）の通常のＣＰと、通常のＣＰよりも長い（例えば有効シンボル長２０４８サンプルに対して５１２サンプルあるいは１０２４サンプル）拡張のＣＰの２種類がある。
【０１７６】
ここで、ＥＲＥＧの構成は、第１のＥＰＤＣＣＨまたは第２のＥＰＤＣＣＨに関わらず同一にすることができる。すなわち、第１のＥＰＤＣＣＨまたは第２のＥＰＤＣＣＨにおけるＥＲＥＧは、リソースブロックペア毎に、通常のＣＰ（Ｃｙｃｌｉｃ  Ｐｒｅｆｉｘ）に対してアンテナポート１０７、１０８、１０９および１１０のための、拡張のＣＰに対してアンテナポート１０７および１０８のためのＤＭＲＳを運ぶＲＥを除くすべてのＲＥに対して規定される。これにより、ＤＭＲＳの構成が異なる場合でも、ＥＲＥＧを構成するためのＲＥは異なるが、ＥＲＥＧを構成するための定義は同じである。
【０１７７】
図８で示すように、１つＲＢペアは、２つのＲＢで構成される。それぞれのＲＢは、時間方向に７つのＯＦＤＭシンボルと、周波数方向に１２のサブキャリアとで示されるリソースエレメントで構成される。図８において、ＤＭＲＳは、斜線で網掛けしたリソースエレメントにマッピングされる。また、それぞれのＤＭＲＳは、２チップの直交符号で構成され、２つまでのＤＭＲＳが符号分割多重できる。アンテナポート１０７および１０８のＤＭＲＳは、それぞれのスロットにおけるＯＦＤＭシンボル番号５および６であり、サブキャリア番号０、５および１０であるＲＥにマッピングされる。アンテナポート１０９および１１０のＤＭＲＳは、それぞれのスロットにおけるＯＦＤＭシンボル番号５および６であり、サブキャリア番号１、６および１１であるＲＥにマッピングされる。ここで、第１のＥＰＤＣＣＨに関連付けられるＤＭＲＳは、図８で説明したＤＭＲＳを用いることができる。
【０１７８】
第２のＥＰＤＣＣＨに関連付けられるＤＭＲＳの一例は、図８で説明したＤＭＲＳを用いることができる。すなわち、第２のＥＰＤＣＣＨに関連付けられるＤＭＲＳは、第１のＥＰＤＣＣＨに関連付けられるＤＭＲＳと同様の構成を用いることができるが、第２のＥＰＤＣＣＨが送信できないＯＦＤＭシンボルにＤＭＲＳが含まれる場合、そのＤＭＲＳは送信されない。例えば、スロット１におけるＯＦＤＭシンボル＃０〜６の部分サブフレームにおいて、第２のＥＰＤＣＣＨに関連付けられるＤＭＲＳは、スロット１におけるＯＦＤＭシンボル＃５および６のみにマッピングされ、スロット０におけるＯＦＤＭシンボル＃５および６のみにマッピングされない。また、２チップの直交符号がマッピングされる２つＯＦＤＭシンボルのうちいずれかのＯＦＤＭシンボルが送信できない場合、そのＤＭＲＳは送信されないと想定される。
【０１７９】
第２のＥＰＤＣＣＨに関連付けられるＤＭＲＳの別の一例は、第２のＥＰＤＣＣＨの送信に用いられるＯＦＤＭシンボルに応じて決まる。具体的には、第２のＥＰＤＣＣＨの送信に用いられるＯＦＤＭシンボルの構成に応じて、第２のＥＰＤＣＣＨに関連付けられるＤＭＲＳがマッピングされるＲＥがそれぞれ規定される。第２のＥＰＤＣＣＨの送信に用いられるＯＦＤＭシンボルの構成は、所定数のパターンが予め規定できる。すなわち、第２のＥＰＤＣＣＨに関連付けられるＤＭＲＳの構成も、同様に所定数のパターンが予め規定できる。
【０１８０】
図９は、第１の部分サブフレームに用いられる第２のＥＰＤＣＣＨに関連付けられるＤＭＲＳの構成の一例を示す図である。図９において、斜線で網掛けされたＲＥは、第２のＥＰＤＣＣＨに関連付けられるＤＭＲＳがマッピングされるＲＥを示す。点で網掛けされたＲＥは、第２のＥＰＤＣＣＨの送信に用いられないＲＥ（ＯＦＤＭシンボル）を示す。
すなわち、図９の（ａ）では、スロット０のＯＦＤＭシンボル＃０が第２のＥＰＤＣＣＨのスタートシンボルであり、図９の（ｂ）では、スロット０のＯＦＤＭシンボル＃３が第２のＥＰＤＣＣＨのスタートシンボルであり、図９の（ｃ）では、スロット１のＯＦＤＭシンボル＃０が第２のＥＰＤＣＣＨのスタートシンボルであり、図９の（ｄ）では、スロット１のＯＦＤＭシンボル＃０が第２のＥＰＤＣＣＨのスタートシンボルであり、図９の（ｅ）では、スロット１のＯＦＤＭシンボル＃３が第２のＥＰＤＣＣＨのスタートシンボルである。図９に示すように、第２のＥＰＤＣＣＨのスタートシンボルに応じて、第２のＥＰＤＣＣＨに関連付けられるＤＭＲＳの構成はそれぞれ規定できる。
【０１８１】
図１０は、第２の部分サブフレームに用いられる第２のＥＰＤＣＣＨに関連付けられるＤＭＲＳの構成の一例を示す図である。図１０において、斜線で網掛けされたＲＥは、第２のＥＰＤＣＣＨに関連付けられるＤＭＲＳがマッピングされるＲＥを示す。点で網掛けされたＲＥは、第２のＥＰＤＣＣＨの送信に用いられないＲＥ（ＯＦＤＭシンボル）を示す。すなわち、図１０の（ａ）では、スロット１のＯＦＤＭシンボル＃６が第２のＥＰＤＣＣＨのエンドシンボルであり、図１０の（ｂ）では、スロット１のＯＦＤＭシンボル＃３が第２のＥＰＤＣＣＨのエンドシンボルであり、図１０の（ｃ）では、スロット１のＯＦＤＭシンボル＃１が第２のＥＰＤＣＣＨのエンドシンボルであり、図１０の（ｄ）では、スロット０のＯＦＤＭシンボル＃６が第２のＥＰＤＣＣＨのエンドシンボルであり、図１０の（ｅ）では、スロット０のＯＦＤＭシンボル＃４が第２のＥＰＤＣＣＨのエンドシンボルである。図１０に示すように、第２のＥＰＤＣＣＨのエンドシンボルに応じて、第２のＥＰＤＣＣＨに関連付けられるＤＭＲＳの構成はそれぞれ規定できる。また、第２の部分サブフレームに用いられる第２のＥＰＤＣＣＨに関連付けられるＤＭＲＳの構成は、ＤｗＰＴＳで用いられるＤＭＲＳの構成と同じにすることができる。
【０１８２】
ＥＰＤＣＣＨは、スケジューリング割り当てを運ぶ。１つのＥＰＤＣＣＨは１つあるいはいくつかの連続するＥＣＣＥ（Ｅｎｈａｎｃｅｄ  Ｃｏｎｔｒｏｌ  Ｃｈａｎｎｅｌ  Ｅｌｅｍｅｎｔ）の集合体（アグリゲーション）を用いて送信される。ここで、各ＥＣＣＥは複数のＥＲＥＧから構成される。１つのＥＰＤＣＣＨのために用いられるＥＣＣＥの数は、そのＥＰＤＣＣＨのフォーマットと、ＥＣＣＥ毎のＥＲＥＧの数とに依存する。局所的送信と分散的送信の両方がサポートされる。１つのＥＰＤＣＣＨは、ＥＣＣＥのＥＲＥＧおよびＰＲＢペアへのマッピングが異なる局所的送信と分散的送信のいずれかを用いることができる。
【０１８３】
また、第１のＥＰＤＣＣＨは、ＥＰＤＣＣＨセット毎に局所的送信と分散的送信のいずれかをＲＲＣシグナリングを通じて設定することができる。第２のＥＰＤＣＣＨは、全てのＥＰＤＣＣＨセットに対して局所的送信と分散的送信のいずれかを予め規定できる。例えば、第２のＥＰＤＣＣＨは、全てのＥＰＤＣＣＨセットに対して分散的送信を予め規定できる。
【０１８４】
端末装置は、後述するように複数のＥＰＤＣＣＨをモニタリングする。端末装置がＥＰＤＣＣＨ送信をモニタする１つあるいは２つのＰＲＢペアの設置が設定されることができる。上位層によって設定されるように、ＥＰＤＣＣＨセットＸｍにおけるすべてのＥＰＤＣＣＨ候補は、局所的送信のみあるいは分散的送信のみが用いる。サブフレームｉのＥＰＤＣＣＨセットＸｍにおいて、ＥＰＤＣＣＨの送信に利用可能なＥＣＣＥは、０からＮＥＣＣＥ、ｍ、ｉ−１までの番号が振られる。ここで、ＮＥＣＣＥ、ｍ、ｉはサブフレームｉのＥＰＤＣＣＨセットＸｍにおけるＥＰＤＣＣＨの送信に利用可能なＥＣＣＥの数である。番号ｎのＥＣＣＥは、局所的マッピングの場合、インデクスがｆｌｏｏｒ（ｎ／ＮＲＢＥＣＣＥ）であるＰＲＢ中の（ｎ  ｍｏｄ  ＮＲＢＥＣＣＥ）＋ｊＮＲＢＥＣＣＥの番号が振られたＥＲＥＧに対応し、分散的マッピングの場合、インデクスが（ｎ＋ｊ  ｍａｘ（１、ＮＸｍＲＢ／ＮＥＣＣＥＥＲＥＧ））ｍｏｄ  ＮＸｍＲＢであるＰＲＢ中のｆｌ
ｏｏｒ（ｎ／ＮＸｍＲＢ）＋ｊＮＲＢＥＣＣＥの番号が振られたＥＲＥＧに対応する。ここで、ｊ＝０、１、・・・、ＮＥＣＣＥＥＲＥＧ−１であり、ＮＥＣＣＥＥＲＥＧはＥＣＣＥあたりのＥＲＥＧの数である。また、ＮＲＢＥＣＣＥは１６／ＮＥＣＣＥＥＲＥＧに等しく、ＰＲＢペアあたりのＥＣＣＥの数である。また、ｆｌｏｏｒとｍｏｄとｍａｘはそれぞれ床関数と剰余関数（ｍｏｄ関数）と最大値関数（ｍａｘ関数）である。なお、ここでは、ＥＰＤＣＣＨセットＸｍを構成するＰＲＢペアは、０からＮＸｍＲＢ−１まで昇順に番号かふられているものとする。
【０１８５】
第１のＥＰＤＣＣＨにおいて、ＮＥＣＣＥＥＲＥＧは、ＣＰとサブフレームのタイプに基づいて決まる。より具体的には、通常のＣＰかつ通常のサブフレーム（通常の下りリンクサブフレーム）の場合、あるいは通常のＣＰかつスペシャルサブフレーム設定が３、４あるいは８のスペシャルサブフレームの場合は、ＮＥＣＣＥＥＲＥＧは４である。通常のＣＰかつスペシャルサブフレーム設定が１、２、６、７あるいは９のスペシャルサブフレーム（つまりＤｗＰＴＳが６個以上かつ１０個以下のＯＦＤＭシンボルで構成されるスペシャルサブフレーム）の場合、拡張のＣＰかつ通常のサブフレームの場合、あるいは拡張のＣＰかつスペシャルサブフレーム設定が１、２、３、５あるいは６のスペシャルサブフレーム（つまりＤｗＰＴＳが６個以上かつ１０個以下のＯＦＤＭシンボルで構成されるスペシャルサブフレーム）の場合は、ＮＥＣＣＥＥＲＥＧは８である。なお、スペシャルサブフレーム設定の詳細に関しては後述する。
【０１８６】
第２のＥＰＤＣＣＨにおけるＮＥＣＣＥＥＲＥＧの一例は、ＮＥＣＣＥＥＲＥＧは予め規定された値である。例えば、第２のＥＰＤＣＣＨにおけるＮＥＣＣＥＥＲＥＧは、第１のＥＰＤＣＣＨにおいて通常のＣＰかつスペシャルサブフレーム設定が１、２、６、７あるいは９のスペシャルサブフレームの場合と同じであり、８である。また、例えば、第２のＥＰＤＣＣＨにおけるＮＥＣＣＥＥＲＥＧは、１つのリソースブロックペアで構成されるＥＲＥＧの数と同じであり、１６である。
【０１８７】
第２のＥＰＤＣＣＨにおけるＮＥＣＣＥＥＲＥＧの別の一例は、ＮＥＣＣＥＥＲＥＧは、検出される（想定される、モニタリングされる）第２のＥＰＤＣＣＨにおけるｎＥＰＤＣＣＨ（後述）に依存して決まる。具体的には、第２のＥＰＤＣＣＨにおけるｎＥＰＤＣＣＨが所定数以上である場合、ＮＥＣＣＥＥＲＥＧは４（または８）であり、その所定数よりも小さい場合、ＮＥＣＣＥＥＲＥＧは８（または１６）である。その所定数は、予め規定されてもよいし、ＲＲＣシグナリングを通じてセル固有または端末固有に設定されてもよい。例えば、その所定数は、第１のＥＰＤＣＣＨにおいて用いられる所定数と同じであり、１０４である。また、例えば、その所定数は、第１のＥＰＤＣＣＨにおいて用いられる所定数と異なってもよい。
【０１８８】
また、ｎＥＰＤＣＣＨに対する所定数が複数個規定または設定されてもよい。具体的には、第２のＥＰＤＣＣＨにおけるｎＥＰＤＣＣＨが第１の所定数以上である場合、ＮＥＣＣＥＥＲＥＧは４であり、第２の所定数以上であり第１の所定数よりも小さい場合、ＮＥＣＣＥＥＲＥＧは８であり、第２の所定数よりも小さい場合、ＮＥＣＣＥＥＲＥＧは１６である。例えば、第１の所定数は、第１のＥＰＤＣＣＨにおいて用いられる所定数と同じであり、１０４である。第２の所定数は、第１の所定数よりも小さい値である。
【０１８９】
第２のＥＰＤＣＣＨにおけるＮＥＣＣＥＥＲＥＧの別の一例は、ＮＥＣＣＥＥＲＥＧは、検出される（想定される、モニタリングされる）第２のＥＰＤＣＣＨにおけるＯＦＤＭシンボルの数に依存して決まる。具体的には、第２のＥＰＤＣＣＨにおけるＯＦＤＭシンボルの数が所定数以上である場合、ＮＥＣＣＥＥＲＥＧは４（または８）であり、その所定数よりも小さい場合、ＮＥＣＣＥＥＲＥＧは８（または１６）である。その所定数は、予め規定されてもよいし、ＲＲＣシグナリングを通じてセル固有または端末固有に設定さ
れてもよい。
【０１９０】
また、ＯＦＤＭシンボルの数に対する所定数が複数個規定または設定されてもよい。具体的には、第２のＥＰＤＣＣＨにおけるＯＦＤＭシンボルの数が第１の所定数以上である場合、ＮＥＣＣＥＥＲＥＧは４であり、第２の所定数以上であり第１の所定数よりも小さい場合、ＮＥＣＣＥＥＲＥＧは８であり、第２の所定数よりも小さい場合、ＮＥＣＣＥＥＲＥＧは１６である。例えば、第２の所定数は、第１の所定数よりも小さい値である。
【０１９１】
第２のＥＰＤＣＣＨにおけるＮＥＣＣＥＥＲＥＧの別の一例は、第１のＥＰＤＣＣＨと同様、ＣＰとサブフレームのタイプに基づいて決まるが、ＮＥＣＣＥＥＲＥＧは第１のＥＰＤＣＣＨに対して２倍の値である。より具体的には、通常のＣＰかつ通常のサブフレーム（通常の下りリンクサブフレーム）の場合、あるいは通常のＣＰかつスペシャルサブフレーム設定が３、４あるいは８のスペシャルサブフレームの場合は、ＮＥＣＣＥＥＲＥＧは８である。通常のＣＰかつスペシャルサブフレーム設定が１、２、６、７あるいは９のスペシャルサブフレーム（つまりＤｗＰＴＳが６個以上かつ１０個以下のＯＦＤＭシンボルで構成されるスペシャルサブフレーム）の場合、拡張のＣＰかつ通常のサブフレームの場合、あるいは拡張のＣＰかつスペシャルサブフレーム設定が１、２、３、５あるいは６のスペシャルサブフレーム（つまりＤｗＰＴＳが６個以上かつ１０個以下のＯＦＤＭシンボルで構成されるスペシャルサブフレーム）の場合は、ＮＥＣＣＥＥＲＥＧは１６である。
【０１９２】
ＥＰＤＣＣＨフォーマットとＥＰＤＣＣＨあたりのＥＣＣＥの数（アグリゲーションレベル）との対応を規定することができる。また、その対応は、第１のＥＰＤＣＣＨと第２のＥＰＤＣＣＨとでそれぞれ異なって規定できる。
【０１９３】
第１のＥＰＤＣＣＨにおいて、ＥＰＤＣＣＨフォーマットとＥＰＤＣＣＨあたりのＥＣＣＥの数（アグリゲーションレベル）との対応は、ケースＡとケースＢの複数のケースを規定できる。ケースＡは、後述するケース１に対応する条件が満たされる場合に用いられ、その他の場合はケースＢが用いられる。ケースＡにおけるアグリゲーションレベルは、局所的送信の場合、２、４、８および１６であり、分散的送信の場合、２、４、８、１６および３２である。ケースＢにおけるアグリゲーションレベルは、局所的送信の場合、１、２、４および８であり、分散的送信の場合、１、２、４、８および１６である。すなわち、ケースＡにおけるアグリゲーションレベルは、ケースＢにおけるアグリゲーションレベルよりも大きい。これにより、ＥＰＤＣＣＨにおけるＥＲＥＧのそれぞれに用いられるＲＥの数が少ない場合でも、アグリゲーションレベルを大きくすることで、ＥＰＤＣＣＨに対する所定の受信特性が得られる。
【０１９４】
ＬＡＡセル以外のセルにおいて、特定の端末装置に対する数量であるｎＥＰＤＣＣＨは、ＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、下記の（ａ１）から（ａ４）の基準の全てまたは一部を満たす下りリンクＲＥの数として定義される。
（ａ１）そのＰＲＢペア内の１６個のＥＲＥＧのうちのいずれか１つの一部である。
（ａ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ａ３）その端末装置によってＣＳＩＲＳとして用いられないと想定される。ここで
、そのサービングセルにおけるゼロ電力ＣＳＩＲＳの設定（ゼロ電力ＣＳＩＲＳのための設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ａ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０１９５】
ＬＡＡセルにおいて、特定の端末装置に対する数量であるｎＥＰＤＣＣＨは、所定のＥＰＤＣＣＨセット（例えば、複数個までのＥＰＤＣＣＨセットのうちの最初のＥＰＤＣＣＨセット）のＥＰＤＣＣＨ送信のために設定された１つのＰＲＢペア内で、上記の（ａ１）から（ａ４）に加えて、下記の（ａ５）から（ａ６）の基準のうち、全てまたは一部を満たす下りリンクＲＥの数として定義される。また、ＬＡＡセルにおいて、特定の端末装置に対する数量であるｎＥＰＤＣＣＨは、それぞれのＥＰＤＣＣＨセットにおいて個別に定義されてもよい。なお、詳細は後述する。
（ａ５）その端末装置によって検出信号（ＤＳ）のために用いられないと想定される。
（ａ６）その端末装置によって検出信号（ＤＳ）の候補のために用いられないと想定される。
【０１９６】
第２のＥＰＤＣＣＨにおいて、ＥＰＤＣＣＨフォーマットとＥＰＤＣＣＨあたりのＥＣＣＥの数（アグリゲーションレベル）との対応の一例は、第１のＥＰＤＣＣＨと同じである。
【０１９７】
第２のＥＰＤＣＣＨにおいて、ＥＰＤＣＣＨフォーマットとＥＰＤＣＣＨあたりのＥＣＣＥの数（アグリゲーションレベル）との対応の別の一例は、１つのケースが予め規定される。例えば、第２のＥＰＤＣＣＨにおいて、ＥＰＤＣＣＨフォーマットとＥＰＤＣＣＨあたりのＥＣＣＥの数（アグリゲーションレベル）との対応は、ケースＡが予め規定される。
【０１９８】
第２のＥＰＤＣＣＨにおいて、ＥＰＤＣＣＨフォーマットとＥＰＤＣＣＨあたりのＥＣＣＥの数（アグリゲーションレベル）との対応の別の一例は、ケースＡとケースＢとケースＣの複数のケースを規定できる。ケースＡにおけるアグリゲーションレベルとケースＢにおけるアグリゲーションレベルは、第１のＥＰＤＣＣＨと同じである。ケースＣにおけるアグリゲーションレベルは、ケースＡにおけるアグリゲーションレベルよりも大きくすることができる。例えば、ケースＣにおけるアグリゲーションレベルは、局所的送信の場合、４、８、１６および３２であり、分散的送信の場合、４、８、１６、３２および６４である。
【０１９９】
また、特定の端末装置に対する数量であるｎＥＰＤＣＣＨの一例は、ｎＥＰＤＣＣＨが第１のＥＰＤＣＣＨと第２のＥＰＤＣＣＨとでそれぞれ独立である。第１のＥＰＤＣＣＨにおいて、ｎＥＰＤＣＣＨは、第１のＥＰＤＣＣＨにおけるＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てを満たす下りリンクＲＥの数として定義される。また、第２のＥＰＤＣＣＨにおいて、ｎＥＰＤＣＣＨは、第２のＥＰＤＣＣＨにおけるＥＰＤＣＣＨセットＸ０（１つ以上のＥＰＤＣ
ＣＨセットのうちの最初のＥＰＤＣＣＨセット）のＥＰＤＣＣＨ送信のために設定された１つのＰＲＢペア内で、上記の（ａ１）から（ａ４）の基準の全てまたは一部を満たす下りリンクＲＥの数として定義される。
【０２００】
また、特定の端末装置に対する数量であるｎＥＰＤＣＣＨの一例は、ｎＥＰＤＣＣＨが第１のＥＰＤＣＣＨと第２のＥＰＤＣＣＨとで共通である。具体的には、第２のＥＰＤＣＣＨにおけるｎＥＰＤＣＣＨは、第１のＥＰＤＣＣＨにおけるｎＥＰＤＣＣＨと同じである。すなわち、第２のＥＰＤＣＣＨにおいて、ｎＥＰＤＣＣＨは、第１のＥＰＤＣＣＨにおけるＥＰＤＣＣＨセットＸ０（２つまでのＥＰＤＣＣＨセットのうちの最初のＥＰＤＣＣＨセット）のＥＰＤＣＣＨ送信のために設定された１つのＰＲＢペア内で、上記の（ａ１）から（ａ４）の基準の全てを満たす下りリンクＲＥの数として定義される。
【０２０１】
１つのサブフレームにおける１つのＥＰＤＣＣＨ上で送信されるビットのブロックであるｂ（０）、・・・、ｂ（Ｍｂｉｔ−１）は、ｈ（ｉ）＝（ｂ（ｉ）＋ｃ（ｉ））ｍｏｄ
２に基づいてスクランブルされ、その結果ｈ（０）、・・・、ｈ（Ｍｂｉｔ−１）というスクランブルされたビットのブロックになる。ここで、Ｍｂｉｔは１つのＥＰＤＣＣＨで送信されるビットの数であり、ｃ（ｉ）はパラメータｃｉｎｉｔで初期化される端末装置固有のスクランブリング系列である。このスクランブリング系列生成器は、ｃｉｎｉｔ＝ｆｌｏｏｒ（ｎｓ／２）２９＋ｎＥＰＤＣＣＨＩＤ，ｍである。ｍはＥＰＤＣＣＨセットの番号である。ｎｓは無線フレーム中のスロット番号である。ｎＥＰＤＣＣＨＩＤ，ｍは上位層シグナリングによりＥＰＤＣＣＨセット毎に設定可能なＤＭＲＳスクランブリング初期化パラメータであり、０から５０３のいずれかの値を取ることできる。
【０２０２】
スクランブルされたビットのブロックであるｈ（０）、・・・、ｈ（Ｍｂｉｔ−１）は変調され、その結果ｄ（０）、・・・、ｄ（Ｍｓｙｍｂ−１）という複素値変調シンボルのブロックになる。ここで、Ｍｓｙｍｂは１つのＥＰＤＣＣＨで送信される変調シンボルの数である。ＥＰＤＣＣＨの変調方法はＱＰＳＫ（Ｑｕａｄｒａｔｕｒｅ  Ｐｈａｓｅ  Ｓｈｉｆｔ  Ｋｅｙｉｎｇ）である。複素値変調シンボルのブロックはｙ（ｉ）＝ｄ（ｉ）の関係式に基づき、単一レイヤにマッピングされてプレコーディングされる。ここで、ｉ＝０、・・・。Ｍｓｙｍｂ−１であり、ｙはプレコーディングされた変調シンボルである。
【０２０３】
ＬＡＡセル以外のセルにおいて、複素値シンボルのブロックであるｙ（０）、・・・、ｙ（Ｍｓｙｍｂ−１）は下記の（ｍ１）から（ｍ４）の基準のすべてを満たすような関連するアンテナポート上のＲＥ（ｋとｌで決まる位置のＲＥ）に、ｙ（０）からスタートして順にマッピングされる。
（ｍ１）ＥＰＤＣＣＨ送信のために割り当てられたＥＲＥＧの一部である。
（ｍ２）その端末装置によってＣＲＳとして用いられないと想定される。ここで、ＣＲＳのアンテナポート数と周波数シフトのパラメータに対して他の値が提供されない限り、そのサービングセルにおけるこれらのパラメータ（ＰＢＣＨと同じアンテナポート設定によるアンテナポート数および物理セル識別子に基づいて得られる周波数シフト）によってＣＲＳの位置が与えられる。逆に、端末装置に上位層パラメータであるｒｅ−ＭａｐｐｉｎｇＱＣＬ−ＣｏｎｆｉｇＩＤ−ｒ１１によってこれらのパラメータの組が設定された場合には、そのパラメータを用いてＣＲＳの位置が決定する。
（ｍ３）その端末装置によってＣＳＩＲＳとして用いられないと想定される。ここで、そのサービングセルにおけるゼロ電力ＣＳＩＲＳの設定（ゼロ電力ＣＳＩＲＳのための設定に対して他の値が提供されない場合）と非ゼロ電力ＣＳＩＲＳの設定とによってＣＳＩＲＳの位置が与えられる。逆に、端末装置に上位層パラメータであるｒｅ−ＭａｐｐｉｎｇＱＣＬ−ＣｏｎｆｉｇＩＤ−ｒ１１によってゼロ電力ＣＳＩＲＳが設定された場合には、そのパラメータを用いてＣＳＩＲＳの位置が決定する。
（ｍ４）サブフレーム中の第１スロット内のインデクスｌがｌＥＰＤＣＣＨＳｔａｒｔ以上であることを満たす。すなわち、１つのサブフレーム中でｌＥＰＤＣＣＨＳｔａｒｔ以降のＯＦＤＭシンボル上のＲＥにマッピングされる。ここで、ｌは、スロット内のＯＦＤＭシンボルに振られるインデクスであり、スロット内の先頭のＯＦＤＭシンボルから順に、時間方向において０から昇順に振られる。ｌＥＰＤＣＣＨＳｔａｒｔに関しては後述する。
【０２０４】
ＬＡＡセルにおいて、複素値シンボルのブロックであるｙ（０）、・・・、ｙ（Ｍｓｙｍｂ−１）は上記の（ｍ１）から（ｍ４）に加えて、下記の（ｍ５）から（ｍ６）の基準のうち、すべてまたは一部を満たすような関連するアンテナポート上のＲＥ（ｋとｌで決まる位置のＲＥ）に、ｙ（０）からスタートして順にマッピングされる。なお、詳細は後述する。
（ｍ５）その端末装置によって検出信号（ＤＳ）のために用いられないと想定される。
（ｍ６）その端末装置によって検出信号（ＤＳ）の候補のために用いられないと想定される。
【０２０５】
アンテナポートＰにおける上記の基準を満たすＲＥ（ｋとｌで決まる位置のＲＥ）へのマッピングは、インデクスＫが先でその後にインデクスｌに対して昇順（ｋとｌが増える方向）であり、これはサブフレームにおける第１スロットから開始して第２スロットで終了する。
【０２０６】
ここでアンテナポートＰは、論理的なアンテナのポートである。１つのアンテナポートが１つの物理アンテナに対応してもよいし、１つのアンテナポートの信号が、実際は複数の物理アンテナで送信されてもよい。あるいは、複数のアンテナポートの信号が、実際は同じ物理アンテナで送信されてもよい。アンテナポートが同じであれば、同じチャネル特性が得られる。ここでは、アンテナポート０から３までがＣＲＳの送信に関連する（用いられる）アンテナポートであり、アンテナポート４がＭＢＳＦＮ（Ｍｕｌｔｉｍｅｄｉａ
Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）用参照信号の送信に関連する（用いられる）アンテナポートであり、アンテナポート５および７から１４までがＰＤＳＣＨに関連した端末装置固有参照信号の送信に関連する（用いられる）アンテナポートであり、アンテナポート１０７から１１０までがＥＰＤＣＣＨに関連した復調参照信号の送信に関連する（用いられる）アンテナポートであり、アンテナポート６がポジショニング参照信号の送信に関連する（用いられる）アンテナポートであり、アンテナポート１５から２２までがＣＳＩＲＳの送信に関連する（用いられる）アンテナポートである。
【０２０７】
局所的送信では、用いる単一のアンテナポートＰは、ｎ’＝ｎＥＣＣＥ、ｌｏｗ  ｍｏｄ  ＮＲＢＥＣＣＥ＋ｎＲＮＴＩ  ｍｏｄ  ｍｉｎ（ＮＥＰＤＣＣＨＥＣＣＥ，ＮＲＢＥＣＣＥ）で算出されるｎ’と下記の（ｎ１）から（ｎ４）とで与えられる。ここで、ｎＥＣＣＥ、ｌｏｗはそのＥＰＤＣＣＨセットにおけるこのＥＰＤＣＣＨ送信により用いられる最低のＥＣＣＥインデクスであり、ｎＲＮＴＩはＲＮＴＩ（Ｒａｄｉｏ  Ｎｅｔｗｏｒｋ  Ｔｅｍｐｏｒａｒｙ  Ｉｄｅｎｔｉｆｉｅｒ）の１つであるＣ−ＲＮＴＩ（Ｃｅｌｌ−ＲＮＴＩ）に等しい。また、ＮＥＰＤＣＣＨＥＣＣＥはこのＥＰＤＣＣＨのために用いられたＥＣＣＥの数である。また、ｍｉｎは最大値関数（ｍａｘ関数）である。
（ｎ１）通常のＣＰ、かつ通常のサブフレームあるいはスペシャルサブフレーム設定３、４、あるいは８のスペシャルサブフレームの場合、ｎ’＝０はＰ＝１０７に対応する。通常のＣＰ、かつスペシャルサブフレーム設定１、２、６、７あるいは９のスペシャルサブフレームの場合、ｎ’＝０はＰ＝１０７に対応する。拡張のＣＰの場合、いずれのサブフレームタイプであっても、ｎ’＝０はＰ＝１０７に対応する。
（ｎ２）通常のＣＰ、かつ通常のサブフレームあるいはスペシャルサブフレーム設定３、４、あるいは８のスペシャルサブフレームの場合、ｎ’＝１はＰ＝１０８に対応する。通常のＣＰ、かつスペシャルサブフレーム設定１、２、６、７あるいは９のスペシャルサブフレームの場合、ｎ’＝１はＰ＝１０９に対応する。拡張のＣＰの場合、いずれのサブフレームタイプであっても、ｎ’＝１はＰ＝１０８に対応する。
（ｎ３）通常のＣＰ、かつ通常のサブフレームあるいはスペシャルサブフレーム設定３、４、あるいは８のスペシャルサブフレームの場合、ｎ’＝２はＰ＝１０９に対応する。 
（ｎ４）通常のＣＰ、かつ通常のサブフレームあるいはスペシャルサブフレーム設定３、４、あるいは８のスペシャルサブフレームの場合、ｎ’＝３はＰ＝１１０に対応する。 
【０２０８】
分散的送信では、１つのＥＲＥＧにおける各ＲＥはアンテナポート１０７からスタートし、交互にする規則に従って、２つのアンテナポートのうちの１つに関連付けられる。ここで、通常のＣＰでは、２つのアンテナポートはアンテナポート１０７とアンテナポート１０９であり、拡張のＣＰでは、２つのアンテナポートはアンテナポート１０７とアンテナポート１０８である。
【０２０９】
それぞれのサービングセルに対して、基地局装置はＵＥに対して、ＥＰＤＣＣＨのモニタリングのための１つまたは２つのＥＰＤＣＣＨ−ＰＲＢセット（ＥＰＤＣＣＨが配置され得るＰＲＢペアの集合、ＥＰＤＣＣＨセットとも称す）を、上位層のシグナリングで設定することができる。ここで、１つのＥＰＤＣＣＨ−ＰＲＢセットに対応する複数のＰＲＢペア（１つのＥＰＤＣＣＨ−ＰＲＢセットに対応するＰＲＢペアの個数およびそのＥＰＤＣＣＨ−ＰＲＢセットがいずれのＰＲＢペアに対応するか）も上位層のシグナリングで示される。それぞれのＥＰＤＣＣＨ−ＰＲＢセットは、０番からＮＥＣＣＥ、ｐ、ｋ−１番までの番号が振られたＥＣＣＥの組（ｓｅｔ）で構成される。ここで、ＮＥＣＣＥ、ｐ、ｋ−１はサブフレームｋにおけるＥＰＤＣＣＨ−ＰＲＢセットｐ（ｐ＋１番目のＥＰＤＣＣＨ−ＰＲＢセット、ｐは０または１）内のＥＣＣＥの数である。それぞれのＥＰＤＣＣＨ−ＰＲＢセットは、局所的ＥＰＤＣＣＨ送信か分散的ＥＰＤＣＣＨ送信のいずれかが設定されることができる。すなわち、局所的ＥＰＤＣＣＨ送信が設定されたＥＰＤＣＣＨ−ＰＲＢセットでは、１つのＥＰＤＣＣＨが周波数方向に比較的局所的に配置され、分散的ＥＰＤＣＣＨ送信が設定されたＥＰＤＣＣＨ−ＰＲＢセットでは、１つのＥＰＤＣＣＨが周波数方向に比較的分散的に配置される。
【０２１０】
ＥＰＤＣＣＨセットは、第１のＥＰＤＣＣＨと第２のＥＰＤＣＣＨとでそれぞれ独立に設定できる。例えば、第１のＥＰＤＣＣＨのためのＥＰＤＣＣＨセットと第２のＥＰＤＣＣＨのためのＥＰＤＣＣＨセットとはそれぞれ異なるパラメータを用いて設定できる。
【０２１１】
また、端末は、あるサービングセルにおいて、第１のＥＰＤＣＣＨのためのＥＰＤＣＣＨセットと第２のＥＰＤＣＣＨのためのＥＰＤＣＣＨセットとが同時に設定されないようにしてもよい。例えば、第１のＥＰＤＣＣＨのためのＥＰＤＣＣＨセットは、従来のＬＴＥを用いるサービングセルに対して設定され、第２のＥＰＤＣＣＨのためのＥＰＤＣＣＨセットは、ＬＡＡセルに対して設定される。また、例えば、端末が、そのサービングセルにおいて、従来のＬＴＥと同様に１サブフレームを時間方向の単位とする方法（モード）が設定される場合、第１のＥＰＤＣＣＨのためのＥＰＤＣＣＨセットが設定され、１スロットを時間方向の単位とする方法（モード）が設定される場合、第２のＥＰＤＣＣＨのためのＥＰＤＣＣＨセットが設定される。
【０２１２】
また、端末は、あるサービングセルにおいて、第１のＥＰＤＣＣＨのためのＥＰＤＣＣＨセットと第２のＥＰＤＣＣＨのためのＥＰＤＣＣＨセットとが同時に設定されるように
してもよい。例えば、ＬＡＡセルにおいて、部分サブフレームでは、第１のＥＰＤＣＣＨのためのＥＰＤＣＣＨセットに基づいて、第１のＥＰＤＣＣＨがモニタリングされ、フルサブフレームでは、第２のＥＰＤＣＣＨのためのＥＰＤＣＣＨセットに基づいて、第２のＥＰＤＣＣＨがモニタリングされる。
【０２１３】
第１のＥＰＤＣＣＨのためのＥＰＤＣＣＨセットと第２のＥＰＤＣＣＨのためのＥＰＤＣＣＨセットとでそれぞれ異なるパラメータを用いて設定される一例は、１つのＥＰＤＣＣＨセットに対応するＰＲＢペアの設定できる数である。例えば、第１のＥＰＤＣＣＨのためのＥＰＤＣＣＨセットにおいて、１つのＥＰＤＣＣＨセットに対応するＰＲＢペアの設定できる数は、２、４、または８である。第２のＥＰＤＣＣＨのためのＥＰＤＣＣＨセットにおいて、１つのＥＰＤＣＣＨセットに対応するＰＲＢペアの設定できる数は、第１のＥＰＤＣＣＨのためのＥＰＤＣＣＨセットに対して２倍となる、４、８、または１６である。また、第２のＥＰＤＣＣＨのためのＥＰＤＣＣＨセットにおいて、想定される第２のＥＰＤＣＣＨのスタートシンボルまたはエンドシンボルに応じて、１つのＥＰＤＣＣＨセットに対応するＰＲＢペアの数が決まるように規定してもよい。例えば、第２のＥＰＤＣＣＨの送信に用いられるＯＦＤＭシンボルの数が少なくなるほど、１つのＥＰＤＣＣＨセットに対応するＰＲＢペアの数が多くなるように規定される。
【０２１４】
第１のＥＰＤＣＣＨのためのＥＰＤＣＣＨセットと第２のＥＰＤＣＣＨのためのＥＰＤＣＣＨセットとでそれぞれ異なるパラメータを用いて設定される一例は、部分サブフレームに関するパラメータである。例えば、第２のＥＰＤＣＣＨのスタートシンボルおよび／またはエンドシンボル、または、その候補を示すパラメータが含まれる。
【０２１５】
また、第２のＥＰＤＣＣＨのスタートシンボルの一例は、ＲＲＣシグナリングを通じてＥＰＤＣＣＨセット毎に対して独立または共通に設定される。例えば、第２のＥＰＤＣＣＨのスタートシンボルとして、スロット０のＯＦＤＭシンボル＃０から６と、スロット１のＯＦＤＭシンボル＃０から６のいずれか１つが設定される。また、例えば、第２のＥＰＤＣＣＨのスタートシンボルとして、スロット０のＯＦＤＭシンボル＃０から６と、スロット１のＯＦＤＭシンボル＃０から６の中から所定数が予め候補として規定され、その候補のいずれか１つが設定される。また、例えば、第２のＥＰＤＣＣＨのスタートシンボルとして、スロット０のＯＦＤＭシンボル＃０、またはスロット１のＯＦＤＭシンボル＃０のいずれかが設定される。また、例えば、第２のＥＰＤＣＣＨのスタートシンボルは、初期信号を検出したＯＦＤＭシンボルに基づいて決まる。具体的には、第２のＥＰＤＣＣＨのスタートシンボルは、初期信号を検出したＯＦＤＭシンボル、または、初期信号を検出したＯＦＤＭシンボルから所定数後のＯＦＤＭシンボルである。また、例えば、第２のＥＰＤＣＣＨのスタートシンボルは、複数の候補が規定または設定されたＯＦＤＭシンボルであって、初期信号を検出したＯＦＤＭシンボル以降の直近のＯＦＤＭシンボルである。
【０２１６】
また、第２のＥＰＤＣＣＨのエンドシンボルの一例は、ＲＲＣシグナリングを通じてＥＰＤＣＣＨセット毎に対して独立または共通に設定される。例えば、第２のＥＰＤＣＣＨのエンドシンボルとして、スロット０のＯＦＤＭシンボル＃０から６と、スロット１のＯＦＤＭシンボル＃０から６のいずれか１つが設定される。また、例えば、第２のＥＰＤＣＣＨのエンドシンボルとして、スロット０のＯＦＤＭシンボル＃０から６と、スロット１のＯＦＤＭシンボル＃０から６の中から所定数が予め候補として規定され、その候補のいずれか１つが設定される。また、例えば、第２のＥＰＤＣＣＨのエンドシンボルとして、スロット０のＯＦＤＭシンボル＃６、またはスロット１のＯＦＤＭシンボル＃６のいずれかが設定される。また、例えば、第２のＥＰＤＣＣＨのエンドシンボルは、そのバーストにおける第２のＥＰＤＣＣＨのスタートシンボルに基づいて決まる。また、例えば、第２のＥＰＤＣＣＨのエンドシンボルは、そのバーストにおける第２のＥＰＤＣＣＨのスタートシンボルと、そのバーストの最大の長さに基づいて決まる。また、例えば、第２のＥＰ
ＤＣＣＨのエンドシンボルは、そのバーストにおける初期信号に含まれる制御情報に基づいて決まる。具体的には、その制御情報は、第２のＥＰＤＣＣＨのエンドシンボルを示す情報を含む。また、例えば、第２のＥＰＤＣＣＨのエンドシンボルは、その部分サブフレームで送信される所定のチャネルおよび／または信号に含まれる制御情報に基づいて決まる。
【０２１７】
端末装置は、制御情報のために上位層シグナリングによって設定されるように、１つ以上の有効なサービングセルにおいてＥＰＤＣＣＨ候補の組をモニタする。ここで、モニタリング（モニターすること）とは、モニタされるＤＣＩフォーマットに応じて、ＥＰＤＣＣＨ候補の組におけるＥＰＤＣＣＨのそれぞれのデコードを試行することを暗に意味している。ＥＰＤＣＣＨのＵＳＳ（ＵＥ−ｓｐｅｃｉｆｉｃ  Ｓｅａｒｃｈ  Ｓｐａｃｅ）において、モニタすべきＥＰＤＣＣＨ候補の組が規定される。ここでＵＳＳは、端末装置固有に設定される論理的な領域であり、下りリンク制御情報の伝送に用いられうる領域である。モニタリングは、ブラインド検出とも呼称される。
【０２１８】
また、第２のＥＰＤＣＣＨのスタートシンボルおよび／または第２のＥＰＤＣＣＨのエンドシンボルは、複数のＯＦＤＭシンボルの候補から端末によってブラインド検出（モニタリング）されてもよい。例えば、端末は、第２のＥＰＤＣＣＨのスタートシンボルおよび／または第２のＥＰＤＣＣＨのエンドシンボルに関して、複数の候補が規定または設定され、それらの候補となるＯＦＤＭシンボルに基づいて送信されたと想定される第２のＥＰＤＣＣＨをモニタリングする。すなわち、第２のＥＰＤＣＣＨ候補の組における第２のＥＰＤＣＣＨのそれぞれは、想定されるスタートシンボルおよび／またはエンドシンボルが独立にしてもよい（異なってもよい）。
【０２１９】
それぞれのサービングセルに対して、ＵＥがＥＰＤＣＣＨ  ＵＳＳをモニタするサブフレームは、上位層によって設定される。より具体的には、アクティブタイム（間欠受信による非活性タイマー起動期間ではない期間、非受信期間ではない期間、端末装置が起きている総期間）中であって、ＦＤＤハーフデュープレックス端末装置のための上りリンク送信を要求されるサブフレームではなく、かつメジャメントギャップの一部ではないサブフレームにおいて、上位層はＥＰＤＣＣＨのモニタリングを設定する。ここで、間欠受信とは、端末装置のバッテリー消費適正化のために、一部の期間を除いて、端末装置が起きている（活性状態である）必要がない（非活性であってもよい）という動作である。ＦＤＤ（Ｆｒｅｑｕｅｎｃｙ  Ｄｉｖｉｓｉｏｎ  Ｄｕｐｌｅｘ）ハーフデュープレックス端末装置とは、ＦＤＤバンドにおいて、上りリンク送信と下りリンク受信を同時に（同じサブフレームで）行う機能を有しない端末装置である。また、メジャメントギャップとは、モビリティ（ハンドオーバ）のためのメジャメント（サービングセル以外のセルの受信電力測定）を行うために、サービングセルにおける送受信を停止する期間であり、メジャメントギャップのパターンはＲＲＣにより設定される。
【０２２０】
端末装置は、下記（ｅ１）から（ｅ４）の場合にはＥＰＤＣＣＨをモニタしない。
（ｅ１）ＴＤＤかつ通常の下りリンクＣＰにおいて、スペシャルサブフレーム設定０および５のスペシャルサブフレーム（ＤｗＰＴＳ内のＯＦＤＭシンボル数が６個より少ないスペシャルサブフレーム）である場合。
（ｅ２）ＴＤＤかつ拡張の下りリンクＣＰにおいて、スペシャルサブフレーム設定０、４、および７のスペシャルサブフレーム（ＤｗＰＴＳ内のＯＦＤＭシンボル数が６個より少ないスペシャルサブフレーム）である場合。
（ｅ３）上位層によりＰＭＣＨ（Ｐｈｙｓｉｃａｌ  Ｍｕｌｔｉｃａｓｔ  Ｃｈａｎｎｅｌ）のデコードを指示されたサブフレームである場合。
（ｅ４）ＴＤＤかつプライマリセルとセカンダリセルとで異なるＵＬ／ＤＬ設定が設定され、セカンダリセルにおける下りリンクサブフレームであって、プライマリセルにお
ける同じサブフレームがスペシャルサブフレームであり、端末装置がプライマリセルとセカンダリセルとで同時送受信する能力が無い場合。
【０２２１】
ここで、スペシャルサブフレームとは、１つのサブフレーム中に下りリンク送信を行う領域（ＤｗＰＴＳ）とガードピリオド（ＧＰ）と上りリンク送信を行う領域（ＵｐＰＴＳ）の順で３つの領域を含むサブフレームであり、スペシャルサブフレーム設定とＣＰ長によりＤｗＰＴＳとＧＰとＵｐＰＴＳの長さが一意に決まる。ＰＭＣＨは、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）サービスを提供するためのチャネルであり、ＭＢＳＦＮサブフレームにおいてのみ配置されうる。
【０２２２】
なお、スペシャルサブフレーム設定は下記の１０個の設定のうちのいずれかが設定される。
スペシャルサブフレーム設定０では、通常の下りリンクＣＰにおいてＤｗＰＴＳは６５９２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは２１９２サンプル、拡張の上りリンクＣＰでは２５６０サンプルである。ＤｗＰＴＳは３個のＯＦＤＭシンボルで構成され、ＵｐＰＴＳは１個のＳＣ−ＦＤＭＡシンボルで構成される。
スペシャルサブフレーム設定１では、通常の下りリンクＣＰにおいてＤｗＰＴＳは１９７６０サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２０４８０サンプルであり、ＵｐＰＴＳは通常の上りリンクＣＰでは２１９２サンプル、拡張の上りリンクＣＰでは２５６０サンプルである。ＤｗＰＴＳには通常の下りリンクＣＰの場合は９個、拡張の下りリンクＣＰの場合は８個のＯＦＤＭシンボルで構成され、ＵｐＰＴＳは１個のＳＣ−ＦＤＭＡシンボルで構成される。
スペシャルサブフレーム設定２では、通常の下りリンクＣＰにおいてＤｗＰＴＳは２１９５２サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２３０４０サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１０個、拡張の下りリンクＣＰの場合は９個のＯＦＤＭシンボルで構成され、ＵｐＰＴＳは１個のＳＣ−ＦＤＭＡシンボルで構成される。
スペシャルサブフレーム設定３では、通常の下りリンクＣＰにおいてＤｗＰＴＳは２４１４４サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは２５６００サンプルであり、ＵｐＰＴＳは通常の上りリンクＣＰでは２１９２サンプル、拡張の上りリンクＣＰでは２５６０サンプルである。ＤｗＰＴＳは通常の下りリンクＣＰの場合は１１個、拡張の下りリンクＣＰの場合は１０個のＯＦＤＭシンボルで構成され、ＵｐＰＴＳは１個のＳＣ−ＦＤＭＡシンボルで構成される。
スペシャルサブフレーム設定４では、通常の下りリンクＣＰにおいてＤｗＰＴＳは２６３３６サンプルであり、ＵｐＰＴＳは通常の上りリンクＣＰでは２１９２サンプル、拡張の上りリンクＣＰでは２５６０サンプルである。一方、拡張の下りリンクＣＰにおいてＤｗＰＴＳは７６８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１２個、拡張の下りリンクＣＰの場合は３個のＯＦＤＭシンボルで構成され、ＵｐＰＴＳは通常の下りリンクＣＰの場合は１個のＳＣ−ＦＤＭＡシンボルで構成され、拡張の下りリンクＣＰの場合は２個のＳＣ−ＦＤＭＡシンボルで構成される。
スペシャルサブフレーム設定５では、通常の下りリンクＣＰにおいてＤｗＰＴＳは６５９２サンプルであり、ＵｐＰＴＳは通常の上りリンクＣＰでは４３８４サンプル、拡張
の上りリンクＣＰでは５１２０サンプルである。一方、拡張の下りリンクＣＰにおいてＤｗＰＴＳは２０４８０サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は３個、拡張の下りリンクＣＰの場合は８個のＯＦＤＭシンボルで構成され、ＵｐＰＴＳは２個のＳＣ−ＦＤＭＡシンボルで構成される。
スペシャルサブフレーム設定６では、通常の下りリンクＣＰにおいてＤｗＰＴＳは１９７６０サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは２３０４０サンプルであり、ＵｐＰＴＳは通常の上りリンクＣＰでは４３８４サンプル、拡張の上りリンクＣＰでは５１２０サンプルである。ＤｗＰＴＳは９個のＯＦＤＭシンボルで構成され、ＵｐＰＴＳは２個のＳＣ−ＦＤＭＡシンボルで構成される。
スペシャルサブフレーム設定７では、通常の下りリンクＣＰにおいてＤｗＰＴＳは２１９５２サンプルであり、ＵｐＰＴＳは通常の上りリンクＣＰでは４３８４サンプル、拡張の上りリンクＣＰでは５１２０サンプルである。一方、拡張の下りリンクＣＰにおいてＤｗＰＴＳは１２８００サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１０個、拡張の下りリンクＣＰの場合は５個のＯＦＤＭシンボルで構成され、ＵｐＰＴＳは２個のＳＣ−ＦＤＭＡシンボルで構成される。
スペシャルサブフレーム設定８では、通常の下りリンクＣＰにおいてＤｗＰＴＳは２４１４４サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は１１個のＯＦＤＭシンボルで構成され、ＵｐＰＴＳは２個のＳＣ−ＦＤＭＡシンボルで構成される。
スペシャルサブフレーム設定９では、通常の下りリンクＣＰにおいてＤｗＰＴＳは１３１６８サンプルであり、ＵｐＰＴＳは通常の上りリンクＣＰでは４３８４サンプル、拡張の上りリンクＣＰでは５１２０サンプルである。ＤｗＰＴＳは通常の下りリンクＣＰの場合は６個のＯＦＤＭシンボルで構成され、ＵｐＰＴＳは２個のＳＣ−ＦＤＭＡシンボルで構成される。
【０２２３】
ここで、ＵｐＰＴＳが１個のＳＣ−ＦＤＭＡシンボルで構成される場合は、端末装置は基地局装置からの要求に応じて、その１つのＳＣ−ＦＤＭＡシンボルを用いて上りリンクのサウンディングのための参照信号であるＳＲＳ（Ｓｏｕｎｄｉｎｇ  Ｒｅｆｅｒｅｎｃｅ  Ｓｉｇｎａｌ）を送信することができる。ＵｐＰＴＳが２個のＳＣ−ＦＤＭＡシンボルで構成される場合は、端末装置は基地局装置からの要求に応じて、その２つのＳＣ−ＦＤＭＡシンボルの少なくともいずれかを用いてＳＲＳを送信することができる。
【０２２４】
ここで、通常のＣＰにおいて、通常の下りリンクサブフレームは１４個のＯＦＤＭシンボルで構成され、通常の上りリンクサブフレームは１４個のＳＣ−ＦＤＭＡシンボルで構成される。また、拡張のＣＰにおいて、通常の下りリンクサブフレームは１２個のＯＦＤＭシンボルで構成され、通常の上りリンクサブフレームは１２個のＳＣ−ＦＤＭＡシンボルで構成される。
【０２２５】
また、ＵＬ／ＤＬ設定は下記の７個の設定のうちのいずれかが設定される。
ＵＬ／ＤＬ設定０では、１つの無線フレーム（１０サブフレーム）中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および上りリンクサブフレームである。下りリンクから上りリンクへの変換点の周期は５サブフレーム（５ミリ秒）である。
ＵＬ／ＤＬ設定１では、１つの無線フレーム中のサブフレーム０からサブフレーム９
が、順にそれぞれ下りリンクサブフレーム、スペシャルサブフレーム、上りリンクサブフレーム、上りリンクサブフレーム、下りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
ＵＬ／ＤＬ設定２では、１つの無線フレーム中のサブフレーム０からサブフレーム９が、順にそれぞれ下りリンクサブフレーム、スペシャルサブフレーム、上りリンクサブフレーム、下りリンクサブフレーム、下りリンクサブフレーム、下りリンクサブフレーム、スペシャルサブフレーム、上りリンクサブフレーム、下りリンクサブフレーム、および下りリンクサブフレームである。下りリンクから上りリンクへの変換点の周期は５サブフレームである。
ＵＬ／ＤＬ設定３では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレーム（１０ミリ秒）である。
ＵＬ／ＤＬ設定４では、１つの無線フレーム中のサブフレーム０からサブフレーム９が、順にそれぞれ下りリンクサブフレーム、スペシャルサブフレーム、上りリンクサブフレーム、上りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定５では、１つの無線フレーム中のサブフレーム０からサブフレーム９が、順にそれぞれ下りリンクサブフレーム、スペシャルサブフレーム、上りリンクサブフレーム、下りリンクサブフレーム、下りリンクサブフレーム、下りリンクサブフレーム、下りサブフレーム、下りリンクサブフレーム、下りリンクサブフレーム、および下りリンクサブフレームである。下りリンクから上りリンクへの変換点の周期は１０サブフレームである。
ＵＬ／ＤＬ設定６では、１つの無線フレーム中のサブフレーム０からサブフレーム９が、順にそれぞれ下りリンクサブフレーム、スペシャルサブフレーム、上りリンクサブフレーム、上りリンクサブフレーム、上りリンクサブフレーム、下りリンクサブフレーム、スペシャルサブフレーム、上りリンクサブフレーム、上りリンクサブフレーム、および下りリンクサブフレームである。下りリンクから上りリンクへの変換点の周期は５サブフレームである。
【０２２６】
ここで、少なくとも１つのサービングセルに対するＵＬ／ＤＬ設定がＵＬ／ＤＬ設定５である場合、２個より多いサービングセルは設定されない。
【０２２７】
アグリゲーションレベルＬにおけるＥＰＤＣＣＨのＵＳＳであるＥＳ（Ｌ）ｋはＥＰＤＣＣＨ候補の組により規定される。ここでＬは１、２、４、８、１６および３２のいずれかである。１つのＥＰＤＣＣＨ−ＰＲＢセットｐに対して、サーチスペースＥＳ（Ｌ）ｋのＥＰＤＣＣＨ候補ｍに対応するＥＣＣＥは、Ｌ（（Ｙｐ，ｋ＋ｆｌｏｏｒ（ｍＮＥＣＣＥ，ｐ，ｋ／（ＬＭ（Ｌ）ｐ））＋ｂ）ｍｏｄ（ｆｌｏｏｒ（ＮＥＣＣＥ，ｐ，ｋ／Ｌ）））＋ｉで与えられる。ここで、ｉ＝０、・・・、Ｌ−１である。また、ＥＰＤＣＣＨがモニタされるサービングセルに対してＣＩＦ（Ｃａｒｒｉｅｒ  Ｉｎｄｉｃａｔｏｒ  Ｆｉｅｌｄ）が設定されている場合、ｂはＣＩＦの値であり、それ以外の場合はｂ＝０である。また、ｍ＝０、１、・・・、Ｍ（Ｌ）ｐ−１である。ＥＰＤＣＣＨがモニタされるサービングセルに対してＣＩＦが設定されていない場合、Ｍ（Ｌ）ｐはＥＰＤＣＣＨがモニタされるそのサービングセルにおけるＥＰＤＣＣＨ−ＰＲＢセットｐ内のアグリゲーショ
ンレベルＬにおいてモニタすべきＥＰＤＣＣＨの数である。それ以外の場合、Ｍ（Ｌ）ｐはＣＩＦの値により示されるサービングセルにおけるＥＰＤＣＣＨ−ＰＲＢセットｐ内のアグリゲーションレベルＬにおきたモニタすべきＥＰＤＣＣＨの数である。ここで、ＣＩＦとは、ＤＣＩフォーマット内のフィールドであり、ＣＩＦの値はＤＣＩフォーマットがいずれのサービングセルのＰＤＳＣＨ送信、ＰＵＳＣＨ送信あるいはランダムアクセス手続きに対応するかを決定するために用いられ、プライマリセルあるいはセカンダリセルのいずれかに対応するサービングセルインデクスと同じ値を取る。 
【０２２８】
同一のサブフレーム内において、あるＥＰＤＣＣＨ候補に対応するＥＣＣＥが、ＰＢＣＨ、プライマリ同期信号あるいはセカンダリ同期信号のいずれかの送信と周波数上でオーバーラップするＰＲＢペアにマッピングされる場合、端末装置はそのＥＰＤＣＣＨ候補をモニタしない。
【０２２９】
端末装置が２個のＥＰＤＣＣＨ−ＰＲＢセットに同じ値のｎＥＰＤＣＣＨＩＤ，ｉが設定されており、その端末装置が一方のＥＰＤＣＣＨ−ＰＲＢセットに対応するあるＤＣＩペイロードサイズのＥＰＤＣＣＨ候補であって、あるＲＥの組にマッピングされるＥＰＤＣＣＨ候補を受信し、かつ、その端末装置が他方のＥＰＤＣＣＨ−ＰＲＢセットに対応する同じＤＣＩペイロードサイズのＥＰＤＣＣＨ候補であって、同じＲＥの組にマッピングされるＥＰＤＣＣＨ候補をモニタすることも設定されている場合であり、さらに受信されたＥＰＤＣＣＨの最初のＥＣＣＥの番号がＨＡＲＱ−ＡＣＫ送信のためのＰＵＣＣＨリソースの決定に用いられる場合は、その最初のＥＣＣＥの番号はｐ＝０のＥＰＤＣＣＨ−ＰＲＢセットに基づいて決められる。ここで、ｎＥＰＤＣＣＨＩＤ，ｉは、ＥＰＤＣＣＨに関連するＤＭＲＳ（Ｄｅｍｏｄｕｒａｔｉｏｎ  Ｒｅｆｅｒｅｎｃｅ  Ｓｉｇｎａｌ）の疑似ランダム系列生成の初期化に用いられるパラメータであり、上位層により設定される。なお、ｉは０または１の値を取り、ＤＭＲＳに関連するＥＰＤＣＣＨがいずれのＥＰＤＣＣＨセットに属すかを示す。すなわち、ｐとほぼ同義である。
【０２３０】
Ｙｐ，ｋはＹｐ，ｋ＝（ＡｐＹｐ，ｋ−１）ｍｏｄＤで定義される。ここで、Ｙｐ，−１は物理層において端末装置に設定される識別子であるＲＮＴＩの値であり、Ａ０は３９８２７であり、Ａ１は３９８２９であり、Ｄは６５５３７であり、ｋ＝ｆｌｏｏｒ（ｎｓ／２）である。すなわち、各サブフレームは２個のスロットで構成されるため、ｋは無線フレーム中のサブフレーム番号を示す。
【０２３１】
また、ＥＰＤＣＣＨ−ＰＲＢセットに含まれるＰＲＢ数とアグリゲーションレベルとモニタされるＥＰＤＣＣＨ候補の数との対応を規定できる。サーチスペースとモニタされるＥＰＤＣＣＨ候補の数を規定するアグリゲーションレベルは次のように与えられる。ここで、ＮＸｐＲＢは、ＥＰＤＣＣＨ−ＰＲＢセットｐを構成するＰＲＢペアの数である。
【０２３２】
ここで、サーチスペースとモニタされるＥＰＤＣＣＨ候補の数を規定するアグリゲーションレベルは、（１）端末装置に分散的送信のための１個のみのＥＰＤＣＣＨ−ＰＲＢが設定される場合、（２）端末装置に局所的送信のための１個のみのＥＰＤＣＣＨ−ＰＲＢが設定される場合、（３）端末装置に分散的送信のための２個のＥＰＤＣＣＨ−ＰＲＢが設定される場合、（４）端末装置に局所的送信のための２個のＥＰＤＣＣＨ−ＰＲＢが設定される場合、（５）端末装置に分散的送信のための１個のＥＰＤＣＣＨ−ＰＲＢと局所的送信のための１個のＥＰＤＣＣＨ−ＰＲＢとが設定される場合、にそれぞれ独立に規定できる。
【０２３３】
なお、本実施形態においては、ｐ１は局所的ＥＰＤＣＣＨ−ＰＲＢセットを識別する符号であり、ｐ１は局所的ＥＰＤＣＣＨ−ＰＲＢセットを識別する符号であり、ｐ２は分散的ＥＰＤＣＣＨ−ＰＲＢセットを識別する符号である。すなわち、ＮＸｐ１ＲＢは局所的
ＥＰＤＣＣＨ−ＰＲＢセットを構成するＰＲＢペアの数であり、ＮＸｐ２ＲＢは分散的ＥＰＤＣＣＨ−ＰＲＢセットを構成するＰＲＢペアの数である。また、Ｍ（Ｌ）ｐ１は局所的ＥＰＤＣＣＨ−ＰＲＢセット内のアグリゲーションレベルＬにおいてモニタすべきＥＰＤＣＣＨの数であり、Ｍ（Ｌ）ｐ２は分散的ＥＰＤＣＣＨ−ＰＲＢセット内のアグリゲーションレベルＬにおいてモニタすべきＥＰＤＣＣＨの数である。
【０２３４】
ＥＰＤＣＣＨ−ＰＲＢセットに含まれるＰＲＢ数とアグリゲーションレベルとモニタされるＥＰＤＣＣＨ候補の数との対応に対して、下記（ｃ１）から（ｃ４）の場合はケース１が、下記（ｃ５）から（ｃ７）の場合はケース２が、（ｃ８）の場合はケース３がそれぞれ適用される。
（ｃ１）通常のサブフレームかつ通常の下りリンクＣＰで、ＤＣＩフォーマット２、２Ａ、２Ｂ、２Ｃ、２Ｄのいずれかがモニタされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ２）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット２、２Ａ、２Ｂ、２Ｃ、２Ｄのいずれかがモニタされ、かつＭＤＬＲＢが２５以上の場合。すなわち、１つのＰＲＢペア内でＥＰＤＣＣＨ送信に用いることができるＲＥ数が比較的多く、かつＤＣＩフォーマットのペイロードサイズが非常に大きい場合。
（ｃ３）通常のサブフレームかつ通常の下りリンクＣＰで、ＤＣＩフォーマット１Ａ、１Ｂ、１Ｄ、１、２、２Ａ、２Ｂ、２Ｃ、２Ｄ、０あるいは４のいずれかがモニタされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ４）スペシャルサブフレーム設定３、４あるいは８のスペシャルサブフレームかつ通常の下りリンクＣＰ（つまりＤｗＰＴＳが１１個以上のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされ、かつｎＥＰＤＣＣＨが１０４より小さい場合。すなわち、１つのＰＲＢペア内でＥＰＤＣＣＨ送信に用いることができるＲＥ数が非常に少ない場合。
（ｃ５）通常のサブフレームかつ拡張の下りリンクＣＰで、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ６）スペシャルサブフレーム設定１、２、６、７あるいは９のスペシャルサブフレームかつ通常の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ７）スペシャルサブフレーム設定１、２、３、５あるいは６のスペシャルサブフレームかつ拡張の下りリンクＣＰ（つまりＤｗＰＴＳが６個以上かつ１０個以下のＯＦＤＭシンボルで構成されるスペシャルサブフレーム）で、ＤＣＩフォーマット１Ａ、１Ｂ、１Ｄ、１、２、２Ａ、２Ｂ、２Ｃ、２Ｄ、０あるいは４のいずれかがモニタされる場合。すなわち、１つのＰＲＢペア内でＥＰＤＣＣＨ送信に用いることができるＲＥ数が比較的少ない場合。
（ｃ８）上記（ｃ１）から（ｃ７）のいずれでもない場合。すなわち、１つのＰＲＢペア内でＥＰＤＣＣＨ送信に用いることができるＲＥ数が比較的多く、かつＤＣＩフォーマットのペイロードサイズがそれほど大きくない場合。
【０２３５】
ここで、端末装置が、ＥＰＤＣＣＨがモニタされるサービングセルに対してＣＩＦが設定されていない場合、ＭＤＬＲＢはＥＰＤＣＣＨがモニタされるサービングセルのＮＤＬＲＢである。端末装置が、ＥＰＤＣＣＨがモニタされるサービングセルに対してＣＩＦが設定されている場合、ＭＤＬＲＢはＣＩＦの値により指定されるサービングセルのＮＤＬＲＢである。ここで、ＮＤＬＲＢは下りリンクバンド幅設定であり、周波数方向のリソースブロックサイズの倍数単位で表現される。言い換えると、ＮＤＬＲＢはサービングセルにおける下りリンクコンポーネントキャリア内の周波数方向における総リソースブロック数である。また、ＤＣＩフォーマット１Ａ、１Ｂ、２Ｄ、１は、１つのＰＤＳＣＨを用いて１個のトランスポートブロックを送信可能な送信モードで用いられるＤＣＩフォーマットであり、それぞれ送信ダイバーシチ、単一ポートを用いた閉ループ空間多重、マルチユーザＭＩＭＯ（Ｍｕｌｔｉｐｌｅ  Ｉｎｐｕｔ  Ｍｕｌｔｉｐｌｅ  Ｏｕｔｐｕｔ）、単一アンテナポート送信というＰＤＳＣＨ送信方法に用いられる。また、ＤＣＩフォーマット２、２Ａ、２Ｂ、２Ｃ、２Ｄは、１つのＰＤＳＣＨを用いて２個までのトランスポートブロックを送信可能な送信モードで用いられるＤＣＩフォーマットであり、それぞれ閉ループ空間多重、大遅延ＣＤＤ（Ｃｙｃｌｉｃ  Ｄｅｌａｙ  Ｄｉｖｅｒｓｉｔｙ）、２レイヤ送信、８レイヤ以下送信、および８レイヤ以下送信というＰＤＳＣＨ送信方法に用いられる。また、ＤＣＩフォーマット２、２Ａはさらに送信ダイバーシチのＰＤＳＣＨ送信方法に、ＤＣＩフォーマット２Ｂ、２Ｃ、２Ｄはさらに単一アンテナポートのＰＤＳＣＨ送信方法にも用いられる。また、ＤＣＩフォーマット０および４は、それぞれ１つのＰＵＳＣＨを用いて１個および２個までのトランスポートブロックを送信可能な送信モードで用いられるＤＣＩフォーマットであり、それぞれ単一アンテナポート送信および閉ループ空間多重というＰＤＳＣＨ送信方法に用いられる。
【０２３６】
また、送信モードとは、上位層シグナリングを介して、ＰＤＣＣＨあるいはＥＰＤＣＣＨを介してシグナリングされたＰＤＳＣＨデータ送信を受信するために、端末装置に準静的に設定されるモードである。送信モードは、下記の送信モード１から送信モード１０のうちのいずれかが設定される。
送信モード１は、単一アンテナポート送信（アンテナポート０による送信）のＰＤＳＣＨ送信方法が用いられ、ＤＣＩフォーマット１あるいは１Ａが用いられる。
送信モード２は、送信ダイバーシチのＰＤＳＣＨ送信方法が用いられ、ＤＣＩフォーマット１あるいは１Ａが用いられる。
送信モード３は、大遅延ＣＤＤあるいは送信ダイバーシチのＰＤＳＣＨ送信方法が用いられ、ＤＣＩフォーマット１あるいは２Ａが用いられる。
送信モード４は、閉ループ空間多重あるいは送信ダイバーシチのＰＤＳＣＨ送信方法が用いられ、ＤＣＩフォーマット１あるいは２が用いられる。
送信モード５は、マルチユーザＭＩＭOあるいは送信ダイバーシチのＰＤＳＣＨ送信
方法が用いられ、ＤＣＩフォーマット１あるいは１Ｄが用いられる。
送信モード６は、単一ポートを用いた閉ループ空間多重あるいは送信ダイバーシチのＰＤＳＣＨ送信方法が用いられ、ＤＣＩフォーマット１あるいは１Ｂが用いられる。
送信モード７は、単一アンテナポート送信（アンテナポート５による送信）あるいは送信ダイバーシチか単一アンテナポート送信（アンテナポート０による送信）いずれかのＰＤＳＣＨ送信方法が用いられ、ＤＣＩフォーマット１あるいは１が用いられる。
送信モード８は、２レイヤ送信（アンテナポート７およびアンテナポート８による送信）あるいは送信ダイバーシチか単一アンテナポート送信（アンテナポート０による送信）いずれかのＰＤＳＣＨ送信方法が用いられ、ＤＣＩフォーマット１あるいは２Ｂが用いられる。
送信モード９は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは
２Ｃが用いられる。
送信モード１０は、８レイヤ以下送信（アンテナポート７からアンテナポート１４による送信）あるいは送信ダイバーシチか単一アンテナポート送信（アンテナポート０による送信）いずれか（ただし、ＭＢＳＦＮサブフレームの場合はアンテナポート７による単一アンテナポート送信）のＰＤＳＣＨ送信方法が用いられ、ＤＣＩフォーマット１あるいは２Ｃが用いられる。
【０２３７】
なお、これ以外の送信モード（例えば、送信モード９や１０と同様の規定による送信モード１１など）を用いてもよい。例えば、送信モード１１は、ＬＡＡセルにおいて用いられるＤＣＩフォーマットが用いられる。送信モード１１は、本実施形態で説明されるＬＡＡセルにおける処理方法、符号化方法、送信方法および／または受信方法が用いられる。
【０２３８】
端末装置に、ＣＩＦが設定されていない場合、その端末装置はＥＰＤＣＣＨをモニタするように設定されている各活性化されたサービングセルにおいて、図Ｘ１から図Ｘ１０の対応表によって与えられた各アグリゲーションレベルにおける１つのＥＰＤＣＣＨのＵＳＳをモニタする。端末装置に、ＥＰＤＣＣＨのモニタリングが設定されており、かつその端末装置にＣＩＦが設定されている場合、その端末装置は、上位層シグナリングによって設定されたように、１つ以上の活性化されたサービングセルにおいて、図Ｘ１から図Ｘ１０の対応表によって与えられた各アグリゲーションレベルにおける１つ以上のＥＰＤＣＣＨのＵＳＳをモニタする。サービングセルｃにおけるＥＰＤＣＣＨのモニタリングに関連するＣＩＦが設定されている端末装置は、サービングセルｃのＥＰＤＣＣＨのＵＳＳにおいて、ＣＩＦが設定され、かつＣ−ＲＮＴＩによってスクランブルされたＣＲＣが付加されたＥＰＤＣＣＨをモニタする。プライマリセルにおけるＥＰＤＣＣＨのモニタリングに関連するＣＩＦが設定されている端末装置は、プライマリセルのＥＰＤＣＣＨのＵＳＳにおいて、ＣＩＦが設定され、かつＳＰＳ−ＲＮＴＩ（Ｓｅｍｉ  Ｐｅｒｓｉｓｔｅｎｔ  Ｓｃｈｅｄｕｌｉｎｇ−ＲＮＴＩ）によってスクランブルされたＣＲＣが付加されたＥＰＤＣＣＨをモニタする。ここで、Ｃ−ＲＮＴＩは動的なＰＤＳＣＨ送信あるいはＰＵＳＣＨ送信に関連するＥＰＤＣＣＨ送信に用いられるＲＮＴＩであり、ＳＰＳ−ＲＮＴＩは準定常的なＰＤＳＣＨ送信あるいはＰＵＳＣＨ送信に関連するＥＰＤＣＣＨ送信に用いられるＲＮＴＩである。
【０２３９】
ＥＰＤＣＣＨがモニタされるサービングセルにおいて、端末装置にＣＩＦが設定されていない場合、その端末装置はＣＩＦを含まないＥＰＤＣＣＨのためにＥＰＤＣＣＨのＵＳＳをモニタし、端末装置にＣＩＦが設定されている場合、その端末装置はＣＩＦを含むＥＰＤＣＣＨのためにＥＰＤＣＣＨのＵＳＳをモニタする。すなわち、ＣＩＦが設定されているかどうかに応じて、ＥＰＤＣＣＨがＣＩＦを含むものとしてＥＰＤＣＣＨをデコードするか、ＥＰＤＣＣＨがＣＩＦを含まないものとしてＥＰＤＣＣＨをデコードするかが決まる。端末装置に、セカンダリセルに対応するＣＩＦを含むＥＰＤＣＣＨを他のサービングセルにおいてモニタすることが設定されている場合、その端末装置はそのセカンダリセルにおけるＥＰＤＣＣＨをモニタしない。ＥＰＤＣＣＨがモニタされるサービングセルおいて、その端末装置は少なくとも同じサービングセルに対するＥＰＤＣＣＨ候補をモニタする。
【０２４０】
あるサービングセル上の、ＣＩＦを含むあるＤＣＩフォーマットサイズの、Ｃ−ＲＮＴＩによりスクランブルされたＣＲＣが付加されたＥＰＤＣＣＨ候補をモニタすることが設定された端末装置は、そのＤＣＩフォーマットサイズで、ＣＩＦの取り得るあらゆる値に対応するあらゆるＥＰＤＣＣＨのＵＳＳにおいて、そのＤＣＩフォーマットサイズのＥＰＤＣＣＨ候補がそのサービングセル上で送信されるかもしれないと想定する。
【０２４１】
ＥＰＤＣＣＨがモニタされるサービングセルに対して、ポジショニング参照信号の送信
機会がＭＢＳＦＮサブフレーム内のみに設定され、かつサブフレーム０で用いられるＣＰ長が通常のＣＰである場合、端末装置は、ポジショニング参照信号の送信機会の一部であると上位層にとって設定されたサブフレームにおいてＥＰＤＣＣＨのモニタは要求されない。
【０２４２】
端末装置は、アンテナポート１０７と１０８のいずれかに関連するＥＰＤＣＣＨ候補をモニタリングする間、同じＣｉｎｉｔの値がアンテナポート１０７と１０８とに用いられると想定する。端末装置は、アンテナポート１０９と１１０のいずれかに関連するＥＰＤＣＣＨ候補をモニタリングする間、同じＣｉｎｉｔの値がアンテナポート１０９と１１０とに用いられると想定する。
【０２４３】
あるサービングセルに対して、上位層シグナリングを介して、端末装置が送信モード１から９に応じたＰＤＳＣＨのデータ送信を受信するように設定されている場合、その端末装置は、下記の（ｓ１）および（ｓ２）に従う。
（ｓ１）その端末装置に上位層パラメータであるｅｐｄｃｃｈ−ＳｔａｒｔＳｙｍｂｏｌ−ｒ１１が設定されている場合、１つのサブフレームにおける第１スロット内のインデクスであるｌＥＰＤＣＣＨＳｔａｒｔによって与えられる、ＥＰＤＣＣＨのための開始ＯＦＤＭシンボル（１つのサブフレームにおいてＥＰＤＣＣＨがマッピングされる最初のＯＦＤＭシンボルであり、ＥＰＤＣＣＨの開始位置とも呼ばれる）は、その上位層パラメータから決められる。ここで、上位層パラメータであるｅｐｄｃｃｈ−ＳｔａｒｔＳｙｍｂｏｌ−ｒ１１は、ＥＰＤＣＣＨセット毎に個別に設定可能なパラメータであり、ＥＰＤＣＣＨの開始ＯＦＤＭシンボルを指定するためのパラメータ（開始ＯＦＤＭシンボルを示す情報）である。上位層パラメータであるｅｐｄｃｃｈ−ＳｔａｒｔＳｙｍｂｏｌ−ｒ１１は、ＲＲＣメッセージを用いて設定される。
（ｓ２）その他の場合、１つのサブフレームにおける第１スロット内のインデクスであるｌＥＰＤＣＣＨＳｔａｒｔによって与えられる、ＥＰＤＣＣＨのための開始ＯＦＤＭシンボルは、ＮＤＬＲＢが１０より大きい場合、そのサービングセルのそのサブフレームにおけるＣＦＩ（Ｃｏｎｔｒｏｌ  Ｆｏｒｍａｔ  Ｉｎｄｉｃａｔｏｒ）の値により与えられ、ＮＤＬＲＢが１０以下の場合、そのサービングセルのそのサブフレームにおけるＣＦＩの値に１を加算することにより与えられる。ここでＣＦＩとは、値として１、２および３のうちのいずれかを取るパラメータであり、ＰＣＦＩＣＨを介して送受信される制御情報である。ＣＦＩは、１つのサブフレームにおいてＰＤＣＣＨの送信のために用いられるＯＦＤＭシンボルの数についての情報である。
【０２４４】
あるサービングセルに対して、上位層シグナリングを介して、端末装置が送信モード１０に応じたＰＤＳＣＨのデータ送信を受信するように設定されている場合、各ＥＰＤＣＣＨ＾ＰＲＢセットに対して、サブフレームｋにおけるＥＰＤＣＣＨのモニタリングのための開始ＯＦＤＭシンボルは、下記の（ｓ３）から（ｓ６）までのように、上位層のパラメータであるｐｄｓｃｈ−Ｓｔａｒｔ−ｒ１１に従う。ここで、上位層パラメータであるｐｄｓｃｈ−Ｓｔａｒｔ−ｒ１１は、ＰＤＳＣＨ用の４種類パラメータセットに対して個別に設定可能なパラメータであり、ＰＤＳＣＨの開始ＯＦＤＭシンボルを指定するためのパラメータ（開始ＯＦＤＭシンボルを示す情報）である。上位層パラメータであるｐｄｓｃｈ−Ｓｔａｒｔ−ｒ１１は、ＲＲＣメッセージを用いて設定される。
（ｓ３）ｐｄｓｃｈ−Ｓｔａｒｔ−ｒ１１の値が１、２、３および４の組に属している（値が１、２、３および４のいずれかである）場合、ｌ’ＥＰＤＣＣＨＳｔａｒｔはｐｄｓｃｈ−Ｓｔａｒｔ−ｒ１１によって与えられる。
（ｓ４）その他の場合（ｐｄｓｃｈ−Ｓｔａｒｔ−ｒ１１の値が１、２、３および４の組に属していない場合）、ｌ’ＥＰＤＣＣＨＳｔａｒｔは、ＮＤＬＲＢが１０より大きい場合、そのサービングセルのサブフレームｋにおけるＣＦＩの値により与えられ、ｌ’ＥＰＤＣＣＨＳｔａｒｔは、ＮＤＬＲＢが１０以下の場合、そのサービングセルのサブフ
レームｋにおけるＣＦＩの値に１を加算することにより与えられる。
（ｓ５）サブフレームｋが上位層パラメータであるｍｂｓｆｎ―ＳｕｂｆｒａｍｅＣｏｎｆｉｇＬｉｓｔ−ｒ１１によって指定されるサブフレームである、あるいはサブフレームｋがＴＤＤ用のサブフレーム構成におけるサブフレーム１または６である場合、ｌＥＰＤＣＣＨＳｔａｒｔは、ｌＥＰＤＣＣＨＳｔａｒｔ＝ｍｉｎ（２，ｌ’ＥＰＤＣＣＨＳｔａｒｔ）により与えられる。
（ｓ６）その他の場合（サブフレームｋが上位層パラメータであるｍｂｓｆｎ―ＳｕｂｆｒａｍｅＣｏｎｆｉｇＬｉｓｔ−ｒ１１によって指定されるサブフレームではない、かつサブフレームｋがＴＤＤ用のサブフレーム構成におけるサブフレーム１または６ではない場合）、ｌＥＰＤＣＣＨＳｔａｒｔは、ｌＥＰＤＣＣＨＳｔａｒｔ＝ｌ’ＥＰＤＣＣＨＳｔａｒｔにより与えられる。
【０２４５】
あるサービングセルに対して、上位層シグナリングを介して、端末装置が送信モード１から９に応じたＰＤＳＣＨのデータ送信を受信するように設定されており、かつＥＰＤＣＣＨのモニタが設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する（同一の送信点から送信されているものとして受信する、あるいは異なる送信点から送信されていないものとして受信する）。
【０２４６】
あるサービングセルに対して、上位層シグナリングを介して、端末装置が送信モード１０に応じたＰＤＳＣＨのデータ送信を受信するように設定されており、かつＥＰＤＣＣＨのモニタが設定されている場合、各ＥＰＤＣＣＨ−ＰＲＢセットに対して、下記の（ｑ１）および（ｑ１）
が適用される。
（ｑ１）その端末装置に、疑似コロケーションタイプＡに基づいてＰＤＳＣＨをデコードすることが上位層により設定されている場合、その端末装置は、そのサービングセルにおけるアンテナポート０から３と、１０７から１１０が、ドップラーシフト、ドップラースプレッド、平均遅延および遅延スプレッドに関して疑似コロケートであると想定する。
（ｑ２）その端末装置に、疑似コロケーションタイプＢに基づいてＰＤＳＣＨをデコードすることが上位層により設定されている場合、その端末装置は、上位層パラメータであるｑｃｌ−ＣＳＩ−ＲＳ−ＣｏｎｆｉｇＮＺＰＩｄ−ｒ１１に対応するアンテナポート１５から２２と、１０７から１１０とが、ドップラーシフト、ドップラースプレッド、平均遅延および遅延スプレッドに関して疑似コロケートであると想定する。ここで、上位層パラメータであるｑｃｌ−ＣＳＩ−ＲＳ−ＣｏｎｆｉｇＮＺＰＩｄ−ｒ１１は、ＰＤＳＣＨ用の４種類パラメータセットに対して個別に設定可能なパラメータであり、ＰＤＳＣＨの疑似コロケーションを指定するためのパラメータ（ＰＤＳＣＨに関連する端末固有参照信号がいずれのＣＳＩＲＳと疑似コロケートしているかを示す情報）である。上位層パラメータであるｑｃｌ−ＣＳＩ−ＲＳ−ＣｏｎｆｉｇＮＺＰＩｄ−ｒ１１は、ＲＲＣメッセージを用いて設定される。
ここで、疑似コロケーションタイプＡと疑似コロケーションタイプＢは、送信モード１０が設定された端末装置に対してサービングセル毎にいずれか１つが設定されるパラメータであり、タイプＡはアンテナポート７から１４が、そのサービングセルのＣＲＳアンテナポート０−３と疑似コロケートされていることを示し、タイプＢはアンテナポート７から１４が、いずれかのＣＳＩＲＳアンテナポート１５−２２と疑似コロケートされていることを示す。逆に言えば、タイプＢが設定される場合、ＣＳＩＲＳは必ずしもそのサービングセルに対応する基地局装置から送信されるわけではなく、別の基地局装置から送信されてもよい。その場合、そのＣＳＩＲＳと疑似コロケートされるＥＰＤＣＣＨやＰＤＳＣＨは、通常，そのＣＳＩＲＳと同じ送信点（例えば、基地局装置にバックホールで接続され
た遠隔地における張り出しアンテナ装置あるいは別の基地局装置）から送信されている。
【０２４７】
あるサービングセルに対して、上位層シグナリングを介して、端末装置が送信モード１０に応じたＰＤＳＣＨのデータ送信を受信するように設定されており、かつＥＰＤＣＣＨのモニタが設定されている場合、各ＥＰＤＣＣＨ−ＰＲＢセットに対して、その端末装置はそのＥＰＤＣＣＨのＲＥマッピングおよびアンテナポート疑似コロケーションの決定のために、上位層のパラメータであるＭａｐｐｉｎｇＱＣＬ−ＣｏｎｆｉｇＩｄ−ｒ１１によって指定されるパラメータを用いる。パラメータセットには、ＥＰＤＣＣＨのＲＥマッピングおよびアンテナポート疑似コロケーションの決定のための下記の（Ｑ１）から（Ｑ６）までのパラメータが含まれる。
（Ｑ１）ｃｒｓ−ＰｏｒｔｓＣｏｕｎｔ−ｒ１１。ｃｒｓ−ＰｏｒｔｓＣｏｕｎｔ−ｒ１１は、ＰＤＳＣＨやＥＰＤＣＣＨをＲＥのマッピングする際に用いられるＣＲＳのポート数を示すパラメータである。
（Ｑ２）ｃｒｓ−ＦｒｅｑＳｈｉｆｔ−ｒ１１。ｃｒｓ−ＦｒｅｑＳｈｉｆｔ−ｒ１１は、ＰＤＳＣＨやＥＰＤＣＣＨをＲＥのマッピングする際に用いられるＣＲＳの周波数シフトを示すパラメータである。
（Ｑ３）ｍｂｓｄｎ―ＳｕｂｆｒａｍｅＣｏｎｆｉｇＬｉｓｔ−ｒ１１。ｍｂｓｄｎ―ＳｕｂｆｒａｍｅＣｏｎｆｉｇＬｉｓｔ−ｒ１１は、ＰＤＳＣＨやＥＰＤＣＣＨをＲＥのマッピングする際に用いられるＭＢＳＦＮサブフレームの位置を示すパラメータである。このパラメータでＭＢＳＦＮサブフレームとして設定されたサブフレームでは、ＰＤＣＣＨが配置されうるＯＦＤＭシンボルにのみＣＲＳが存在するものとして（ＰＤＣＣＨが配置されないＯＦＤＭシンボルにはＣＲＳが存在しないものとして）、ＰＤＳＣＨやＥＰＤＣＣＨがマッピングされる。
（Ｑ４）ｃｓｉ−ＲＳ−ＣｏｎｆｉｇＺＰＩｄ−ｒ１１。ｃｓｉ−ＲＳ−ＣｏｎｆｉｇＺＰＩｄ−ｒ１１は、ＰＤＳＣＨやＥＰＤＣＣＨをＲＥのマッピングする際に用いられるゼロ電力ＣＳＩＲＳの位置を示すパラメータである。
（Ｑ５）ｐｄｓｃｈ−Ｓｔａｒｔ−ｒ１１。ｐｄｓｃｈ−Ｓｔａｒｔ−ｒ１１は、ＰＤＳＣＨやＥＰＤＣＣＨをＲＥのマッピングする際に用いられる開始ＯＦＤＭシンボルを示すパラメータである。
（Ｑ６）ｑｃｌ−ＣＳＩ−ＲＳ−ＣｏｎｆｉｇＮＺＰＩｄ−ｒ１１。ｑｃｌ−ＣＳＩ−ＲＳ−ＣｏｎｆｉｇＮＺＰＩｄ−ｒ１１は、ＰＤＳＣＨやＥＰＤＣＣＨを復調するための参照信号がいずれのＣＳＩＲＳとコロケートされているかを示すパラメータである。このパラメータは、１つ以上設定されたＣＳＩＲＳのいずれかのＩＤを指定することができる。ＰＤＳＣＨやＥＰＤＣＣＨを復調するための参照信号は、ＩＤが指定されたＣＳＩＲＳと疑似コロケートされているものとする。
【０２４８】
次に、第２のＥＰＤＣＣＨでスケジューリングされるＰＤＳＣＨについて説明する。第２のＥＰＤＣＣＨでスケジューリングされるＰＤＳＣＨの一例は、その第２のＥＰＤＣＣＨが検出された（マッピングされた）サブフレームにマッピングされるＰＤＳＣＨのみである。
【０２４９】
第２のＥＰＤＣＣＨでスケジューリングされるＰＤＳＣＨの別の一例は、その第２のＥＰＤＣＣＨが検出された（マッピングされた）サブフレームを含むバースト内のいずれかのサブフレームにマッピングされるＰＤＳＣＨを含む。ＰＤＳＣＨがマッピングされるサブフレームに関する情報（設定）は、ＲＲＣで設定されてもよいし、第２のＥＰＤＣＣＨで送信するＤＣＩに通じて通知されてもよい。また、第２のＥＰＤＣＣＨでスケジューリングされるＰＤＳＣＨは、１つのサブフレームでもよいし、複数のサブフレームでもよい。
【０２５０】
次に、第２のＥＰＤＣＣＨでスケジューリングされるＰＤＳＣＨが部分サブフレームに
マッピングされる場合において、そのＰＤＳＣＨのスタートシンボルおよび／またはエンドシンボルについて説明する。例えば、そのＰＤＳＣＨのスタートシンボルおよび／またはエンドシンボルは、スケジューリングする第２のＥＰＤＣＣＨにおけるＤＣＩに含まれる制御情報に基づいて決まる。また、例えば、そのＰＤＳＣＨのスタートシンボルおよび／またはエンドシンボルは、スケジューリングする第２のＥＰＤＣＣＨのスタートシンボルおよび／またはエンドシンボルに基づいて決まる。また、例えば、そのＰＤＳＣＨのスタートシンボルおよび／またはエンドシンボルは、スケジューリングする第２のＥＰＤＣＣＨのスタートシンボルおよび／またはエンドシンボルと同じである。また、例えば、そのＰＤＳＣＨのスタートシンボルおよび／またはエンドシンボルは、スケジューリングする第２のＥＰＤＣＣＨのスタートシンボルおよび／またはエンドシンボルから算出されるＯＦＤＭシンボルである。また、例えば、そのＰＤＳＣＨのスタートシンボルおよび／またはエンドシンボルは、スケジューリングする第２のＥＰＤＣＣＨのスタートシンボルおよび／またはエンドシンボルとは独立にＲＲＣシグナリングを通じて設定される。また、例えば、そのＰＤＳＣＨのスタートシンボルおよび／またはエンドシンボルは、そのサブフレームにマッピングされる物理チャネルまたは物理信号に含まれる制御情報で決まる。また、そのＰＤＳＣＨのスタートシンボルとエンドシンボルとは、その決定の方法または通知の方法がそれぞれ異なってもよい。
【０２５１】
また、第１のＥＰＤＣＣＨセットに対する第１のＥＰＤＣＣＨをモニタリングするサブフレームに関する設定と、第２のＥＰＤＣＣＨセットに対する第２のＥＰＤＣＣＨをモニタリングするサブフレームに関する設定とは、それぞれ異なってもよい。例えば、第１のＥＰＤＣＣＨをモニタリングするサブフレームは、全ての第１のＥＰＤＣＣＨセットで共通に設定され、ビットマップ形式の情報でサブフレーム毎にモニタリングするかどうかが設定される。第２のＥＰＤＣＣＨをモニタリングするサブフレーム関する設定の一例は、第１のＥＰＤＣＣＨをモニタリングするサブフレーム関する設定と同じであるが、独立に設定される。第２のＥＰＤＣＣＨをモニタリングするサブフレーム関する設定の別の一例は、端末がＬＡＡセルにおけるバースト（下りリンクバースト送信）を検出したサブフレームにおいて、第２のＥＰＤＣＣＨをモニタリングする。
【０２５２】
上記で説明された実施形態の一部は以下の通り言い換えることができる。
【０２５３】
本実施形態の端末装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定する上位層処理部と、第１のＥＰＤＣＣＨと第２のＥＰＤＣＣＨとをモニタリングする受信部とを備える。あるサブフレームにおける第１のＥＰＤＣＣＨのスタートシンボルと第２のＥＰＤＣＣＨのスタートシンボルとは独立に決まる。
【０２５４】
本実施形態の基地局装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定する上位層処理部と、第１のＥＰＤＣＣＨと第２のＥＰＤＣＣＨとを送信する送信部とを備える。あるサブフレームにおける第１のＥＰＤＣＣＨのスタートシンボルと第２のＥＰＤＣＣＨのスタートシンボルとは独立に決まる。
【０２５５】
第２のＥＰＤＣＣＨのスタートシンボルに設定できる最大の値は、第１のＥＰＤＣＣＨのスタートシンボルに設定できる最大の値よりも大きい。例えば、第１のＥＰＤＣＣＨのスタートシンボルに設定できる値は、１、２、３、または４である。第２のＥＰＤＣＣＨのスタートシンボルに設定できる値は、第１のＥＰＤＣＣＨのスタートシンボルに設定できる値とは異なる値を含む。
【０２５６】
第１のＥＰＤＣＣＨのスタートシンボルは、上位層のパラメータに基づいて設定される。第２のＥＰＤＣＣＨのスタートシンボルは、初期信号を検出したシンボルに基づいて決まる。例えば、第２のＥＰＤＣＣＨのスタートシンボルは、初期信号を検出したシンボルと同じである。
【０２５７】
第１のＥＰＤＣＣＨのエンドシンボルは、あるサブフレームにおける最後のシンボルである。  第２のＥＰＤＣＣＨのエンドシンボルは、上位層のパラメータに基づいて設定される。
【０２５８】
第２のＥＰＤＣＣＨによってスケジューリングされるＰＤＳＣＨのスタートシンボルおよび／またはエンドシンボルは、第２のＥＰＤＣＣＨのスタートシンボルおよび／またはエンドシンボルに基づいて決まる。
【０２５９】
第２のＥＰＤＣＣＨによってスケジューリングされるＰＤＳＣＨのスタートシンボルおよび／またはエンドシンボルは、第２のＥＰＤＣＣＨにおけるＤＣＩに基づいて決まる。
【０２６０】
本実施形態の端末装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを設定する上位層処理部と、第１のＥＰＤＣＣＨと第２のＥＰＤＣＣＨとをモニタリングする受信部とを備える。物理リソースブロックペア毎において、リソースエレメントに対する第１のＥＰＤＣＣＨと第２のＥＰＤＣＣＨとのマッピングを定義するために用いられるＥＲＥＧは、第１のＥＰＤＣＣＨと第２のＥＰＤＣＣＨとで共通である。第１のＥＰＤＣＣＨの送信に用いられるＥＣＣＥのそれぞれを構成するＥＲＥＧの数と、第１のＥＰＤＣＣＨの送信に用いられるＥＣＣＥのそれぞれを構成するＥＲＥＧの数とは、それぞれ独立に決まる。
【０２６１】
本実施形態の基地局装置は、第１のサービングセルに第１のＥＰＤＣＣＨのモニタリングのための第１のＥＰＤＣＣＨセットと、第２のサービングセルに第２のＥＰＤＣＣＨのモニタリングのための第２のＥＰＤＣＣＨセットとを端末装置に設定する上位層処理部と、第１のＥＰＤＣＣＨと第２のＥＰＤＣＣＨとを送信する送信部とを備える。物理リソースブロックペア毎において、リソースエレメントに対する第１のＥＰＤＣＣＨと第２のＥＰＤＣＣＨとのマッピングを定義するために用いられるＥＲＥＧは、第１のＥＰＤＣＣＨと第２のＥＰＤＣＣＨとで共通である。第１のＥＰＤＣＣＨの送信に用いられるＥＣＣＥのそれぞれを構成するＥＲＥＧの数と、第１のＥＰＤＣＣＨの送信に用いられるＥＣＣＥのそれぞれを構成するＥＲＥＧの数とは、それぞれ独立に決まる。
【０２６２】
第２のＥＰＤＣＣＨの送信に用いられるＥＣＣＥのそれぞれを構成するＥＲＥＧの数のうちの最大値は、第１のＥＰＤＣＣＨの送信に用いられるＥＣＣＥのそれぞれを構成するＥＲＥＧの数のうちの最大値よりも大きい。例えば、第１のＥＰＤＣＣＨの送信に用いられるＥＣＣＥのそれぞれを構成するＥＲＥＧの数は、４または８を含む。第２のＥＰＤＣＣＨの送信に用いられるＥＣＣＥのそれぞれを構成するＥＲＥＧの数は、第１のＥＰＤＣＣＨの送信に用いられるＥＣＣＥのそれぞれを構成するＥＲＥＧの数とは異なる数を含む。第２のＥＰＤＣＣＨの送信に用いられるＥＣＣＥのそれぞれを構成するＥＲＥＧの数は、４、８または１６を含む。
【０２６３】
第２のＥＰＤＣＣＨに関連付けられる復調参照信号がマッピングされるリソースエレメントは、第２のＥＰＤＣＣＨのスタートシンボルおよび／またはエンドシンボルに応じて決まる。
【０２６４】
第２のＥＰＤＣＣＨセットのために用いられる物理リソースブロックペアの数のうちの最大値は、第１のＥＰＤＣＣＨセットのために用いられる物理リソースブロックペアの数のうちの最大値よりも大きい。例えば、第１のＥＰＤＣＣＨセットのために用いられる物理リソースブロックペアの数は、２、４または８を含む。第２のＥＰＤＣＣＨセットのために用いられる物理リソースブロックペアの数は、第１のＥＰＤＣＣＨセットのために用いられる物理リソースブロックペアの数とは異なる数を含む。２、４、８または１６を含む。
【０２６５】
以下では、ＬＡＡセルにおいて、特定の端末装置に対する数量であるｎＥＰＤＣＣＨを定義するための基準、および、複素値シンボルのブロックであるｙ（０）、・・・、ｙ（Ｍｓｙｍｂ−１）をマッピングするための基準の詳細について説明する。特に、既に説明した上記の基準である（ａ５）、（ａ６）、（ｍ５）および（ｍ６）の詳細を説明する。
【０２６６】
また、以下の説明において、ＤＳは、ＣＲＳ（アンテナポート０〜３の一部または全部）、第１の同期信号（プライマリ同期信号）、第２の同期信号（セカンダリ同期信号）、第３の同期信号、非ゼロ電力ＣＳＩ−ＲＳ、ゼロ電力ＣＳＩ−ＲＳ（ＺＰ−ＣＳＩ−ＲＳ）、制御信号、制御チャネル、および／または、制御チャネルに関連付けられる復調信号を含むことができる。また、制御信号および／または制御チャネルは、オペレータを識別する情報（例えば、ＰＬＭＮ（Public Land Mobile Network））、送信バーストに関する情報、および／または、ＬＡＡセルに関する情報を含むことができる。また、第３の同期信号は、第２の同期信号と同じ方法で系列を生成できるが、第２の同期信号とは異なるリソースマッピングを行う信号にすることができる。また、第３の同期信号は、第２の同期信号と同じ方法で生成された複数の系列で構成されてもよい。なお、以下の説明において、下りリンクサブフレームは、スペシャルサブフレームのＤｗＰＴＳを含む。
【０２６７】
既に説明したように、ＥＰＤＣＣＨは、所定の基準を満たす所定のリソース（ＲＥ、ＥＲＥＧ、ＥＣＣＥ）に配置される。また、所定の処理、決定または演算において、ＥＰＤＣＣＨは、所定の基準を満たす所定のリソースに配置されることが想定される。
【０２６８】
上記の基準である（ａ５）、（ａ６）、（ｍ５）および（ｍ６）において、ＥＰＤＣＣＨは、ＤＳまたはＤＳの候補のために用いられると端末装置によって想定されるＲＥには配置されない。以下では、あるサブフレームにおいて、ＤＳとＥＰＤＣＣＨが配置される場合における、端末装置によるＥＰＤＣＣＨのマッピング（配置）の一例、またはマッピングの仮定（想定）の一例を説明する。
【０２６９】
ＤＳの送信タイミングの候補を含むサブフレームにおけるＥＰＤＣＣＨのマッピングの仮定の一例を説明する。この一例において、端末装置は、基地局装置から設定されたＤＭＴＣ区間内の全ての下りリンクサブフレームで、ＤＳが送信されると想定する。また、基地局装置は、端末装置に設定したＤＭＴＣ区間内の全ての下りリンクサブフレームのいずれかで、ＤＳを送信することができる。また、ＤＭＴＣ区間は、検出信号測定タイミング設定、ＤＭＴＣ  Ｏｃｃａｓｉｏｎとも呼称される。ＤＭＴＣ区間は、上位層のシグナリングである検出信号設定情報に含まれる第１のパラメータによって決まる。第１のパラメータは、既に説明したように検出信号を測定するため情報であり、例えば、dmtc-Offset
、dmtc-Periodicityなどを含む。
【０２７０】
例えば、ＤＭＴＣ区間内の全ての下りリンクサブフレームにおいてＤＳが送信される可能性があり、そのうちの１つのみでＤＳが送信されたとしても、基地局装置はそのＤＭＴＣ区間内の全ての下りリンクサブフレームでＤＳが配置されうるＲＥに、ＥＰＤＣＣＨをマッピングしない。また、ＤＭＴＣ区間内の全ての下りリンクサブフレームにおいてＤＳが送信される可能性があり、そのうちの１つのみでＤＳが送信されたとしても、端末装置
は、基地局装置がそのＤＭＴＣ区間内の全ての下りリンクサブフレームでＤＳが配置されうるＲＥに、ＥＰＤＣＣＨをマッピングしないと想定する。例えば、端末装置は、そのＤＭＴＣ区間内の全ての下りリンクサブフレームでＤＳの信号が配置される可能性のあるＲＥの全てにＥＰＤＣＣＨが配置されないと仮定して、ＥＰＤＣＣＨの復号を行う。
【０２７１】
例えば、ＬＡＡセルにおけるＤＳ設定が設定された場合、ＥＰＤＣＣＨはＤＳに含まれる以下の信号の送信に用いられると端末装置によって想定されるリソースエレメントには配置されない。
（１）そのＤＭＴＣ期間内の全ての下りリンクサブフレームおよび／または全てのスペシャルサブフレームのＤｗＰＴＳ内の、アンテナポート０のＣＲＳ。
（２）そのＤＭＴＣ期間内の全ての下りリンクサブフレームおよび／または全てのスペシャルサブフレームのＤｗＰＴＳ内の、第１の同期信号。
（３）そのＤＭＴＣ期間内の全ての下りリンクサブフレームおよび／または全てのスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２７２】
なお、ＥＰＤＣＣＨは、そのＤＭＴＣ期間内の全ての下りリンクサブフレームと全てのスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。例えば、ＣＲＳのアンテナポート０以外のアンテナポートに対応するリソースを用いて測定すること、または、ＣＲＳに対するアンテナポートの数（例えば、２つ以上のアンテナポート）が設定された場合には、対応するアンテナポートのリソースに対して、ＥＰＤＣＣＨのリソースは配置されなくてもよい。つまり、端末装置は、ＣＲＳに対して複数のアンテナポートを用いることが示された場合には、各アンテナポートに対応するリソースにおいて、ＥＰＤＣＣＨが配置されることを期待しない。
【０２７３】
なお、ＥＰＤＣＣＨは、そのＤＭＴＣ期間内の全ての下りリンクサブフレームと全てのスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。ＤＳ設定に第３の同期信号に関する設定が含まれる場合、または、ＤＳに第３の同期信号が含まれることが規定される場合には、端末装置は、第３の同期信号が配置されたリソースにＥＰＤＣＣＨが配置されることを期待しない。
【０２７４】
ＤＳの送信タイミングの候補を含むサブフレームにおけるＥＰＤＣＣＨのマッピングの仮定の別の一例を説明する。この一例において、端末装置は、基地局装置から設定されたＤＭＴＣ区間内の所定の下りリンクサブフレームで、ＤＳが送信されると想定する。その所定の下りリンクサブフレームは、基地局装置から端末装置に対して上位層のシグナリングを通じて設定される。また、基地局装置は、端末装置に設定したＤＭＴＣ区間内の所定の下りリンクサブフレームのいずれかで、ＤＳを送信することができる。また、その所定の下りリンクサブフレームを設定するためのパラメータは、第２のパラメータとも呼称される。
【０２７５】
例えば、ＤＭＴＣ区間内の上位層で設定された所定の下りリンクサブフレームにおいてＤＳが送信される可能性があり、そのうちの１つのみでＤＳが送信されたとしても、基地局装置はそのＤＭＴＣ区間内の上位層で設定された所定の下りリンクサブフレームでＤＳが配置されうるＲＥに、ＥＰＤＣＣＨをマッピングしない。また、ＤＭＴＣ区間内の所定の下りリンクサブフレームにおいてＤＳが送信される可能性があり、そのうちの１つのみ
でＤＳが送信されたとしても、端末装置は、基地局装置がそのＤＭＴＣ区間内の所定の下りリンクサブフレームでＤＳが配置されうるＲＥに、ＥＰＤＣＣＨをマッピングしないと想定する。例えば、端末装置は、そのＤＭＴＣ区間内の上位層で設定された所定の下りリンクサブフレームでＤＳの信号が配置される可能性のあるＲＥの全てにＥＰＤＣＣＨが配置されないと仮定して、ＥＰＤＣＣＨの復号を行う。
【０２７６】
例えば、ＤＳが送信される可能性がある下りリンクサブフレームを指示（設定）する上位層の情報は、ビットマップ（ビット列）であってもよい。例えば、そのビットマップの長さは、６ビット（すなわち、ＤＭＴＣ区間のサブフレーム数と同じビット数）または５ビット（すなわち、ＤＳ  ｏｃｃａｓｉｏｎの最大のサブフレーム数と同じビット数）であってもよい。また、ビットマップの各ビットで示される情報は、ＤＭＴＣ内の各サブフレームに対応してもよい。例えば、ビットの値が“１”にセットされている場合、対応するサブフレームにおいて、ＤＳが送信される可能性がある。ビットの値が“０”にセットされている場合、対応するサブフレームにおいて、ＤＳが送信される可能性がない。端末装置は、そのビット情報に基づいて、ＤＳを受信するタイミングおよび下りリンクサブフレームを決定する。
【０２７７】
例えば、ＤＳが送信される可能性がある下りリンクサブフレームを指示する上位層の情報は、最小値が０または１であり、最大値が５または６である値であってもよい。ＤＳが送信される可能性がある下りリンクサブフレームは、その値に基づいて決まる。具体的には、ＤＳが送信される可能性がある下りリンクサブフレームは、ＤＭＴＣ区間の先頭のサブフレームからその値により指示されるサブフレームまでである。
【０２７８】
例えば、ＬＡＡセルにおけるＤＳ設定が設定された場合、ＥＰＤＣＣＨはＤＳに含まれる以下の信号の送信に用いられると端末装置によって想定されるリソースエレメントには配置されない。所定の下りリンクサブフレームと所定のスペシャルサブフレームは、上位層で指示される。
（１）そのＤＭＴＣ期間内の所定の下りリンクサブフレームと所定のスペシャルサブフレームのＤｗＰＴＳ内の、アンテナポート０のＣＲＳ。
（２）そのＤＭＴＣ期間内の所定の下りリンクサブフレームと所定のスペシャルサブフレームのＤｗＰＴＳ内の、第１の同期信号。
（３）そのＤＭＴＣ期間内の所定の下りリンクサブフレームと所定のスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２７９】
なお、ＥＰＤＣＣＨは、そのＤＭＴＣ期間内の所定の下りリンクサブフレームと所定のスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。
【０２８０】
なお、ＥＰＤＣＣＨは、そのＤＭＴＣ期間内の所定の下りリンクサブフレームと所定のスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。
【０２８１】
なお、所定の下りリンクサブフレームと所定のスペシャルサブフレームは、予め規定されてもよい。例えば、所定の下りリンクサブフレームは、サブフレーム０、３、５、および８である、と予め規定されてもよい。
【０２８２】
ＤＳの送信タイミングの候補を含むサブフレームにおけるＥＰＤＣＣＨのマッピングの仮定の別の一例を説明する。ＰＤＣＣＨまたは別のＥＰＤＣＣＨのＤＣＩに含まれる情報によって、端末装置はそのＤＳの送信タイミングの候補において、ＤＳが送信されているか否かを識別することができる。例えば、プライマリセルまたはＬＡＡセル以外のセルにおけるＰＤＣＣＨおよび／またはＥＰＤＣＣＨのシグナリングによって、端末装置は当該ＬＡＡセルにおける所定のサブフレームにおいて、ＤＳの信号が配置されるか否かが指示される。その端末装置は、そのＤＣＩに基づいて、ＥＰＤＣＣＨのモニタリングを行う。
【０２８３】
例えば、ＤＳを送信しているか否かの情報は、１ビットの情報である。そのＤＳを送信しているか否かの情報が１（True, Enable）であった場合は、そのサブフレームにおいてＤＳが送信されていると想定される。一方で、そのＤＳを送信しているか否かの情報が０（False, Disable）であった場合は、そのサブフレームにおいてＤＳが送信されていないと想定される。そのサブフレームにおいてＤＳが送信されていない状態が通知された場合で、かつ、そのサブフレームでＥＰＤＣＣＨのモニタリングを行う場合は、ＤＳが配置される可能性のあったＲＥにＥＰＤＣＣＨが配置されていると想定される。または、複数のＤＳの送信タイミングの候補、または複数のＤＳの構成が設定される場合などにおいて、ＤＳを送信しているか否かの情報は複数のビットで表されてもよい。なお、ＤＳを送信しているか否かの情報は、送信バーストを送信しているか否かの情報と同じであってもよい。
【０２８４】
そのＰＤＣＣＨおよび／またはＥＰＤＣＣＨは、ＵＳＳに配置される。なお、そのＰＤＣＣＨは、ＣＳＳに配置されてもよい。
【０２８５】
すなわち、ＬＡＡセルにおけるＤＳ設定が設定された場合、ＥＰＤＣＣＨはＤＳに含まれる以下の信号の送信に用いられると端末装置によって想定されるリソースエレメントには配置されない。所定の下りリンクサブフレームと所定のスペシャルサブフレームは、ＤＣＩによって指示されるサブフレームである。
（１）そのＤＭＴＣ期間内の所定の下りリンクサブフレームと所定のスペシャルサブフレームのＤｗＰＴＳ内の、アンテナポート０のＣＲＳ。
（２）そのＤＭＴＣ期間内の所定の下りリンクサブフレームと所定のスペシャルサブフレームのＤｗＰＴＳ内の、第１の同期信号。
（３）そのＤＭＴＣ期間内の所定の下りリンクサブフレームと所定のスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２８６】
なお、ＥＰＤＣＣＨは、そのＤＭＴＣ期間内の所定の下りリンクサブフレームと所定のスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。
【０２８７】
なお、ＥＰＤＣＣＨは、そのＤＭＴＣ期間内の所定の下りリンクサブフレームと所定のスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。
【０２８８】
また、ＤＳの送信タイミングの候補を含むサブフレームにおけるＥＰＤＣＣＨのマッピングの仮定の一例を説明する。ＤＭＴＣで設定された測定を行う区間と送信バーストが重
なった場合、ＤＳはＤＳの送信のためのＬＢＴを行わずに送信されることができる。そのため、複数の送信タイミングの候補を用いて送信の確率を上げる必要がない。すなわち、送信バーストを端末装置が認知できる場合、かつ、その送信バーストと少なくとも１つのＤＳの送信タイミングの候補が時間領域で重なった場合、予め設定または規定された所定のＤＳの送信タイミングの候補でＤＳが送信される。または、端末装置がある送信バーストを認知し、かつ、その送信バーストと所定のＤＳの送信タイミングの候補が重なった場合、その端末装置は、その所定のＤＳの送信タイミングの候補においてＤＳが送信されると仮定し、他のＤＳの送信タイミングの候補においてはＤＳが送信されないと仮定する。
【０２８９】
所定のＤＳの送信タイミングの候補は、例えば、全てのＤＳの送信タイミングの候補のなかで、送信バーストと重なったＤＳの送信タイミングの候補のうちの、最初のＤＳの送信タイミングの候補である。また、所定のＤＳの送信タイミングの候補は、例えば、送信バーストと重なったＤＳの送信タイミングの候補のうちの、上位層で指定されたＤＳの送信タイミングの候補である。
【０２９０】
なお、送信バーストが検知できない場合でも、ＤＳが検知できた場合は、そのＤＳよりも後のＤＳの送信タイミングの候補において、ＤＳが送信されないと仮定してもよい。
【０２９１】
すなわち、ＬＡＡセルにおけるＤＳ設定が設定された場合、ＥＰＤＣＣＨはＤＳに含まれる以下の信号の送信に用いられると端末装置によって想定されるリソースエレメントには配置されない。所定の下りリンクサブフレームと所定のスペシャルサブフレームは、上位層で指示され、かつ、送信バーストと重なったサブフレームのうちの最初のサブフレームである。
（１）そのＤＭＴＣ期間内の所定の下りリンクサブフレームと所定のスペシャルサブフレームのＤｗＰＴＳ内の、アンテナポート０のＣＲＳ。
（２）そのＤＭＴＣ期間内の所定の下りリンクサブフレームと所定のスペシャルサブフレームのＤｗＰＴＳ内の、第１の同期信号。
（３）そのＤＭＴＣ期間内の所定の下りリンクサブフレームと所定のスペシャルサブフレームのＤｗＰＴＳ内の、第２の同期信号。
（４）そのＤＭＴＣ期間内のゼロ個以上のサブフレームの非ゼロ電力ＣＳＩ−ＲＳ。ＤＳの一部であるその非ゼロ電力ＣＳＩ−ＲＳはＤＳ設定で設定される。
【０２９２】
なお、ＥＰＤＣＣＨは、そのＤＭＴＣ期間内の所定の下りリンクサブフレームと所定のスペシャルサブフレームのＤｗＰＴＳ内の、ＣＲＳのアンテナポート０以外のＣＲＳのアンテナポート（すなわち、アンテナポート１、２、または、３）の送信に用いられるリソースエレメントには配置されなくてもよい。そのリソースエレメントに配置しないか否かは、上位層（ＤＳ設定）で設定される。
【０２９３】
なお、ＥＰＤＣＣＨは、そのＤＭＴＣ期間内の所定の下りリンクサブフレームと所定のスペシャルサブフレームのＤｗＰＴＳ内の、第３の同期信号の送信に用いられるリソースエレメントには配置されなくてもよい。そのリソースエレメントに配置しないか否かは、上位層（ＤＳ設定）で設定される。
【０２９４】
また、ＤＳの送信タイミングの候補を含むサブフレームにおけるＥＰＤＣＣＨのマッピングの仮定の一例を説明する。ＤＣＩフォーマットの中のフィールドの一つであるＥＰＤＣＣＨのＲＥの配置および準同一を示す情報（EPDCCH RE Mapping and Quasi-Co-Location indicator）のフィールドの情報を用いてＥＰＤＣＣＨとＤＳが多重されているか否か
を指示することができる。具体的には、そのフィールドの情報が、“００”の場合は、ＥＰＤＣＣＨとＤＳが多重されていないと認識してＥＰＤＣＣＨを復号し、そのフィールドの情報が“０１”の場合は、ＥＰＤＣＣＨと第１のパラメータセットで設定されたＤＳと
多重されていると認識してＥＰＤＣＣＨを復号し、そのフィールドの情報が“１０”の場合は、ＥＰＤＣＣＨと第２のパラメータセットで設定されたＤＳと多重されていると認識してＥＰＤＣＣＨを復号し、そのフィールドの情報が“１１”の場合は、ＥＰＤＣＣＨと第３のパラメータセットで設定されたＤＳと多重されていると認識してＥＰＤＣＣＨを復号する。パラメータセットには、ＣＲＳのポート数に関する情報、ゼロ電力ＣＳＩ−ＲＳに関する情報、同期信号の配置に関する情報、などが含まれる。
【０２９５】
上記の一例により、端末装置は、ＬＡＡセルにおいて、所定のサブフレームでＤＳとＥＰＤＣＣＨを効率よく同時に受信することができる。
【０２９６】
ただし、同期信号の配置次第では、所定のサブフレームの所定のリソースブロックにおいて、その同期信号と特定のＰＤＳＣＨおよび／またはＥＰＤＣＣＨが同時に配置できない場合がある。その場合において、端末装置は特定のＰＤＳＣＨおよび／またはＥＰＤＣＣＨを受信することを期待しない。その場合において、基地局装置は特定のＰＤＳＣＨおよび／またはＥＰＤＣＣＨを送信しない。以下では、その同期信号と特定のＰＤＳＣＨおよび／またはＥＰＤＣＣＨが同時に配置できない場合について説明する。
【０２９７】
プライマリ同期信号およびセカンダリ同期信号は、ＵＲＳまたはＤＭＲＳが配置されるＯＦＤＭシンボル（すなわち、６番目および７番目のＯＦＤＭシンボル）に配置される。そのため、プライマリ同期信号およびセカンダリ同期信号とＵＲＳまたはＤＭＲＳは同位置に重ねて配置することができない。また、そのＵＲＳを用いて受信処理を行う特定のＰＤＳＣＨも配置することができない。さらに、そのＤＭＲＳを用いて受信処理を行うＥＰＤＣＣＨも配置することができない。
【０２９８】
すなわち、所定のサブフレームにおいて、二つのＰＲＢが、そのうちの一方でもプライマリ同期信号またはセカンダリ同期信号の送信と周波数上に重なる場合、端末装置は、ＶＲＢ（virtual resource block）のペアが配置されるそのＰＲＢにおいて、アンテナポート５、７、８、９、１０、１１、１２、１３、または１４で送信されるＰＤＳＣＨリソースブロックを受信することを期待しない。また、所定のサブフレームにおいて、ＥＰＤＣＣＨ候補に関連するＥＣＣＥが配置されるＰＲＢペアが、プライマリ同期信号またはセカンダリ同期信号の送信と周波数上に重なる場合、端末装置は、そのＥＰＤＣＣＨ候補をモニタすることを期待しない。
【０２９９】
同様に、第１または第２の同期信号においても、ＵＲＳまたはＤＭＲＳが配置されるＯＦＤＭシンボルに配置される場合、第１または第２の同期信号とＵＲＳまたはＤＭＲＳは同位置に重ねて配置することができない。また、そのＵＲＳを用いて受信処理を行う特定のＰＤＳＣＨも配置することができない。さらに、そのＤＭＲＳを用いて受信処理を行うＥＰＤＣＣＨも配置することができない。
【０３００】
すなわち、そのサービングセルに対して第２のＤＳの設定がされた場合（ＥＰＤＣＣＨが設定されたサービングセルと同じ周波数（サービングセルに対応する周波数）において、第２のＤＳの設定がされた場合）、かつ、第１の同期信号または第２の同期信号が６番目または７番目のＯＦＤＭシンボルに配置される場合、かつ、所定のサブフレームにおいて、二つのＰＲＢが、そのうちの一方でも第１の同期信号または第２の同期信号の送信と周波数上に重なる場合、端末装置は、ＶＲＢ（virtual resource block）のペアが配置されるそのＰＲＢにおいて、アンテナポート５、７、８、９、１０、１１、１２、１３、または１４で送信されるＰＤＳＣＨリソースブロックを受信することを期待しない。また、所定のサブフレームにおいて、ＥＰＤＣＣＨ候補に関連するＥＣＣＥが配置されるＰＲＢペアが、第１の同期信号または第２の同期信号の送信と周波数上に重なる場合、端末装置は、そのＥＰＤＣＣＨ候補をモニタすることを期待しない。
【０３０１】
同様に、第３の同期信号においても、ＵＲＳまたはＤＭＲＳが配置されるＯＦＤＭシンボルに配置される場合、第３の同期信号とＵＲＳまたはＤＭＲＳは同位置に重ねて配置することができない。また、そのＵＲＳを用いて受信処理を行う特定のＰＤＳＣＨも配置することができない。さらに、そのＤＭＲＳを用いて受信処理を行うＥＰＤＣＣＨも配置することができない。
【０３０２】
すなわち、そのサービングセルに対して第２のＤＳの設定がされた場合、かつ、第３の同期信号が６番目または７番目のＯＦＤＭシンボルに配置される場合、かつ、所定のサブフレームにおいて、二つのＰＲＢが、そのうちの一方でも第３の同期信号の送信と周波数上に重なる場合、端末装置は、ＶＲＢ（virtual resource block）のペアが配置されるそのＰＲＢにおいて、アンテナポート５、７、８、９、１０、１１、１２、１３、または１４で送信されるＰＤＳＣＨリソースブロックを受信することを期待しない。また、所定のサブフレームにおいて、ＥＰＤＣＣＨ候補に関連するＥＣＣＥが配置されるＰＲＢペアが、第３の同期信号の送信と周波数上に重なる場合、端末装置は、そのＥＰＤＣＣＨ候補をモニタすることを期待しない。
【０３０３】
以下では、ＰＤＳＣＨのリソースエレメントへの配置（マッピング）の方法について説明する。
【０３０４】
ＰＤＳＣＨは、そのＰＤＳＣＨがスケジュールされたＰＲＢに周波数方向から順番に配置される。ただし、そのＰＲＢ内のＲＥのうち、ＰＳＳ、ＳＳＳ、ＰＢＣＨ、ＣＲＳ、そのＰＤＳＣＨに関連付けられたＵＲＳ、ゼロ電力ＣＳＩ−ＲＳ、非ゼロ電力ＣＳＩ−ＲＳ、および、そのＰＤＳＣＨに関連付けられたＥＰＤＣＣＨの送信のために用いられるＲＥには、ＰＤＳＣＨは配置されない。また、ＰＤＳＣＨの開始ＯＦＤＭシンボルの情報で指定されたＯＦＤＭシンボルよりも前のＯＦＤＭシンボルに対して、ＰＤＳＣＨは配置されない。
【０３０５】
すなわち、ＰＤＳＣＨが配置されるリソースエレメントのインデックス（ｋ，ｌ）は、サブフレームの第一スロットから開始されて、先にそのＰＤＳＣＨが割当てられたＰＲＢ上のインデックスｋ、次にインデックスｌ、の順番に増加する。ＰＤＳＣＨは、ＰＢＣＨ、および、同期信号の送信のために用いられるＲＥには配置されない。また、ＰＤＳＣＨは、ＣＲＳのために用いられると端末装置によって想定されるＲＥでは用いられない。また、ＰＤＳＣＨは、そのＰＤＳＣＨに関連付けられたＵＲＳの送信のために用いられるＲＥには配置されない。また、ＰＤＳＣＨは、そのＰＤＳＣＨに関連付けられたＤＣＩはＣ−ＲＮＴＩまたはｓｅｍｉ−ｐｅｒｓｉｓｔｅｎｔ  Ｃ−ＲＮＴＩ（ＳＰＳ  Ｃ−ＲＮＴＩ）を用いる場合、ゼロ電力ＣＳＩ−ＲＳ、およびＣＳＩ報告のための非ゼロ電力ＣＳＩ−ＲＳの送信のために用いられると端末装置によって想定されるＲＥに配置されない。そのゼロ電力ＣＳＩ−ＲＳの配置は、ゼロ電力ＣＳＩ−ＲＳのための設定によって与えられる。そのゼロ電力ＣＳＩ−ＲＳの配置は、ＤＳ設定の一部である最大５個の予約されたＣＳＩ−ＲＳリソースの設定によって与えられる。その非ゼロ電力ＣＳＩ−ＲＳの配置は、非ゼロ電力ＣＳＩ−ＲＳのための設定によって与えられる。また、ＰＤＳＣＨは、そのＰＤＳＣＨに関連付けられたＥＰＤＣＣＨを運搬するどのＰＲＢペアにも配置されない。また、サブフレームの第一スロットのインデックスｌは、ｌＤａｔａＳｔａｒｔ以上を満たす。つまり、ＰＤＳＣＨまたはＥＰＤＣＣＨの時間方向（時間シンボル方向／ＯＦＤＭシンボル方向）の開始位置（ＰＤＳＣＨの割当てが開始されるシンボルインデックスｌ）は、ｌＤａｔａＳｔａｒｔに基づいて決定される。ｌＤａｔａＳｔａｒｔは、上位層パラメータに基づいて与えられる。例えば、ｌＤａｔａＳｔａｒｔは、ＰＤＳＣＨの開始位置やＥＰＤＣＣＨの開始位置を示すパラメータに基づいて与えられてもよい。換言すると、あるサブフレームにおけるＰＤＳＣＨまたはＥＰＤＣＣＨは、ｌＤａｔａＳｔａｒｔで示さ
れるＯＦＤＭシンボルより前のＯＦＤＭシンボルに配置されない。
【０３０６】
また、リソースエレメントへのマッピングにおいて、ＰＤＳＣＨに関するＤＣＩがＣ−ＲＮＴＩまたはＳＰＳ  Ｃ−ＲＮＴＩを用い、且つ、送信ダイバーシチが用いられるとすれば、ＣＳＩ−ＲＳを含むために、端末装置によって想定されるＯＦＤＭシンボルにおけるリソースエレメントは、下記要件をすべて満たすとすれば、マッピングに用いられる。
（１）送信に対して割り当てられた各リソースブロックにおけるＯＦＤＭシンボルに対する偶数のリソースエレメントがある。
（２）複素シンボル（複素数値変調シンボル）ｙ（ｐ）（ｉ）とｙ（ｐ）（ｉ＋１）は、ｎ＜３である同じＯＦＤＭシンボルのリソースエレメント（ｋ，ｌ）と（ｋ＋ｎ，ｌ）にマップすることができる。
【０３０７】
以下では、ＣＲＳおよび／またはＣＳＩ−ＲＳで適用される系列について説明する。
【０３０８】
ＣＲＳの系列はゴールド系列に基づいて生成される。ＣＲＳの擬似乱数系列は、各ＯＦＤＭシンボルの先頭でパラメータＣｉｎｉｔを用いて初期化される。ＣＲＳの系列の生成に用いられるパラメータは、Ｃｉｎｉｔ＝２１０・（７・（ｎｓ＋１）＋ｌ＋１）・（２・ＮｃｅｌｌＩＤ＋１）＋２・ＮｃｅｌｌＩＤ＋ＮＣＰである。ここで、ｎｓは１無線フレームにおけるスロットインデックスであり、暗示的にサブフレームインデックスも示すことができる。ここで、ＮｃｅｌｌＩＤは物理セル識別子である。ここで、ＮＣＰはＣＰのタイプに基づいて０または１がセットされる。
【０３０９】
ＣＳＩ−ＲＳの系列はゴールド系列に基づいて生成される。ＣＳＩ−ＲＳの擬似乱数系列は、各ＯＦＤＭシンボルの先頭でパラメータＣｉｎｉｔを用いて初期化される。つまり、ＣＳＩ−ＲＳの擬似乱数系列生成器は、各ＯＦＤＭシンボルの先頭でパラメータＣｉｎｉｔを用いて初期化される。ＣＳＩ−ＲＳの系列の生成に用いられるパラメータは、Ｃｉｎｉｔ＝２１０・（７・（ｎｓ＋１）＋ｌ＋１）・（２・ＮＣＳＩＩＤ＋１）＋２・ＮＣＳＩＩＤ＋ＮＣＰである。ここで、ｎｓは１無線フレームにおけるスロットインデックスであり、暗示的にサブフレームインデックスも示すことができる。ここで、ＮＣＳＩＩＤは上位層で設定されたスクランブリング識別子であり、上位層で設定されなければ物理セル識別子である。ここで、ＮＣＰはＣＰのタイプに基づいて０または１がセットされる。
【０３１０】
ＬＡＡセルが属するオペレーティングバンドのキャリア周波数のＤＭＴＣに含まれるＣＲＳおよび／またはＣＳＩ−ＲＳに適用される系列は、そのＣＲＳおよび／またはＣＳＩ−ＲＳが送信されるサブフレームの番号に関連付けられなくてもよい。例えば、サブフレームに関連する番号は固定であってもよい（例えば、０または５）。なお、固定値を用いるかどうかは、上位層パラメータによって設定されてもよい。つまり、上位層パラメータによって固定値を用いないと設定された場合は、サブフレームの番号に基づいて、系列は生成されてもよい。系列の生成に用いられるサブフレームの番号は、上位層パラメータとして設定されてもよい。一方で、ＬＡＡ周波数のＤＭＴＣに含まれないＣＲＳおよび／またはＣＳＩ−ＲＳで適用される系列は、そのＣＲＳおよび／またはＣＳＩ−ＲＳが送信されるサブフレームの番号に関連付けられてもよい。ここで、ＬＡＡセルが属するオペレーティングバンドのキャリア周波数は、ＬＡＡ周波数と呼称されてもよい。
【０３１１】
ＬＡＡ以外のオペレーティングバンドのキャリア周波数において、ＤＭＴＣに含まれるか因らず、ＣＲＳおよび／またはＣＳＩ−ＲＳに適用される系列は、そのＣＲＳおよび／またはＣＳＩ−ＲＳが送信されるサブフレームの番号に関連付けられてもよい。
【０３１２】
なお、上記のサブフレームの番号は、サブフレームの番号に対応するスロットの番号であってもよい。また、上記のサブフレームの番号は、スロットの番号に置き換えられても
よい。また、上記のサブフレームの番号は、スロットに対応するサブフレームの番号であってもよい。
【０３１３】
なお、ＬＡＡ周波数のＤＭＴＣに含まれるすべてのＣＲＳおよび／またはＣＳＩ−ＲＳに適用される系列に対して用いられるサブフレームの番号（スロットの番号）は、ＤＭＴＣで設定されたサブフレームの番号に基づいて決定されてもよい。
【０３１４】
端末装置は、各サブフレームまたは各ＯＦＤＭシンボルの先頭で、各物理チャネルおよび／または物理信号の系列に対するパラメータＣｉｎｉｔを初期化する。つまり、端末装置は、各サブフレームまたは各ＯＦＤＭシンボルの先頭で、各物理チャネルおよび／または物理信号の検出に用いる系列生成器を、パラメータＣｉｎｉｔを用いて初期化する。Ｃｉｎｉｔは、ＬＡＡ周波数かどうか、サブフレームおよびＯＦＤＭシンボルがＤＭＴＣで設定されたサブフレーム（期間）に含まれるかどうかに基づいて、系列生成に用いられるパラメータの値を変えてもよい。
【０３１５】
ＬＢＴが行なわれるＬＡＡセルにおいて、部分サブフレームによる下りリンク送信（受信）および／または上りリンク送信（受信）がサポートされてもよい。部分サブフレームを用いた送受信を行なうか否かは、上位層パラメータに基づいて設定されてもよい。また、ＬＡＡセルは、端末装置の機能情報（能力情報）に基づいて、部分サブフレームを用いた送受信を行なうか否かを決定してもよい。
【０３１６】
端末装置は、ＣＳＩ−ＲＳが送信される可能性のあるサブフレームが部分サブフレームと重複する場合、そのサブフレームにおいてＣＳＩ−ＲＳが送信されると想定しない。つまり、基地局装置は、そのサブフレームでＣＳＩ−ＲＳを送信しなくてもよい。また、端末装置は、そのサブフレームにおけるＣＳＩ測定を行なわなくてもよい。また、端末装置は、そのサブフレームに対応するＣＳＩレポートを行なわなくてもよい。また、ＣＳＩレポートを行なう場合には、ＣＳＩの測定結果として、ＯＯＲ（Out Of Range）が設定されてもよい。つまり、端末装置は、部分サブフレームにおいて、ＣＳＩリクエストを検出した場合、そのサブフレームに対するＣＳＩレポートには、ＯＯＲを設定してもよい。
【０３１７】
次に、ＬＢＴが行なわれるＬＡＡセルの部分サブフレームにおける下りリンク信号（下りリンク物理チャネル、下りリンク物理信号）の検出処理について説明する。
【０３１８】
端末装置は、所定のサブフレーム（部分サブフレームと想定されるサブフレーム）において、以下のいずれかの条件を満たす場合、ＤＳが送信されていると期待しなくてもよい（想定しなくてもよい）。
（１）ＤＳ設定（測定ＤＳ設定）に、ＣＳＩ−ＲＳ設定（測定ＣＳＩ−ＲＳ設定）が含まれている。つまり、ＤＳにＣＳＩ−ＲＳが含まれる場合。
（２）ＤＳを構成する複数の信号のうちのいずれかの信号が、部分サブフレームを構成するＯＦＤＭシンボルに割り当てられない。つまり、ＤＳのうちの一部の信号が部分サブフレームにマップされない。換言すると、ＤＳの一部の信号が部分サブフレームで送信されない。
（３）ＤＳを構成する複数の信号のうちの特定の信号が、部分サブフレームを構成するＯＦＤＭシンボルに割り当てられない。
（４）部分サブフレームの先頭または所定のＯＦＤＭシンボル（例えば、ＯＦＤＭシンボル＃０）において、ＤＳを構成するＣＲＳを検出できない。
（５）そのサブフレームが部分サブフレームであることを示す制御情報またはその制御情報がマップされた物理チャネルのリソースを検出できない。
【０３１９】
端末装置は、部分サブフレームにおいて、以下のいずれかの条件を満たす場合、ＰＳＳ
が送信されていると期待しなくてもよい。
（１）ＳＳＳが部分サブフレームに含まれない。
（２）部分サブフレームの先頭または所定のＯＦＤＭシンボル（例えば、ＯＦＤＭシンボル＃０）において、ＣＲＳを検出できない。
（３）そのサブフレームが部分サブフレームであることを示す制御情報またはその制御情報がマップされた物理チャネルのリソースを検出できない。
【０３２０】
端末装置は、部分サブフレームにおいて、以下のいずれかの条件を満たす場合、ＳＳＳが送信されていると期待しなくてもよい。
（１）ＰＳＳが部分サブフレームに含まれない。
（２）部分サブフレームの先頭または所定のＯＦＤＭシンボル（例えば、ＯＦＤＭシンボル＃０）において、ＣＲＳを検出できない。
（３）そのサブフレームが部分サブフレームであることを示す制御情報またはその制御情報がマップされた物理チャネルのリソースを検出できない。
【０３２１】
端末装置は、部分サブフレームにおいて、以下のいずれかの条件を満たす場合、ＣＳＩ−ＲＳが送信されていると期待しなくてもよい。
（１）部分サブフレームの先頭または所定のＯＦＤＭシンボル（例えば、ＯＦＤＭシンボル＃０）において、ＣＲＳを検出できない。
（２）そのサブフレームが部分サブフレームであることを示す制御情報またはその制御情報がマップされた物理チャネルのリソースを検出できない。
（３）部分サブフレームに対して、ＣＳＩレポートを要求するためのＣＳＩリクエストを検出していない。
（４）部分サブフレーム内（ＤｗＰＴＳ長、ＯＦＤＭシンボル数）に、ＣＳＩリファレンスリソースとなるＣＳＩ−ＲＳが含まれていない。つまり、部分サブフレームを構成するＤｗＰＴＳとＣＳＩ−ＲＳのリソースが重複していない。
【０３２２】
なお、干渉測定に用いられるＣＳＩ−ＩＭ（CSI-Interference Measurement）／ＺＰ−ＣＳＩ−ＲＳも同様の条件で端末装置は部分サブフレームに含まれることを期待しなくてもよい。
【０３２３】
部分サブフレームであることを示す制御情報がＤｗＰＴＳ期間またはＯＦＤＭシンボル数を示す場合には、スペシャルサブフレーム設定のインデックスと対応付けられてもよい。これらの対応付けは、上位層によって設定されてもよいし、予め規定されてもよい。
【０３２４】
なお、“部分サブフレームに含まれない”とは、“部分サブフレームを構成するＤｗＰＴＳ／ＯＦＤＭシンボルに含まれない”と同義である。
【０３２５】
下りリンクの送信バーストに対して、１つのＣＳＩリクエストが検出された場合、ＣＳＩリファレンスリソースは、ＣＳＩリクエストを検出したサブフレームと同じサブフレームであるが、そのサブフレームが部分サブフレームで、リファレンスリソースとなるＣＳＩ−ＲＳがない場合には、その送信バースト内で送信されたＣＳＩ−ＲＳに基づいて、端末装置は、ＣＳＩレポートを生成してもよい。送信バーストが設定されるセルにおけるＣＳＩレポートに用いられるリファレンスリソースは、送信バーストを跨がない方が好ましい。つまり、ＣＳＩリクエストを検出したサブフレームがリファレンスリソースとならない場合には、同じ送信バーストの異なるサブフレームがリファレンスリソースとなった方が好ましい。同じ送信バーストで適切なリファレンスリソースを検出できなかった場合には、端末装置は、対応するＣＳＩレポートにＯＯＲを設定してもよい。
【０３２６】
上記条件の信号（ＰＳＳ／ＳＳＳ／ＣＳＩ−ＲＳ／ＤＳのうちの少なくとも１つの信号
）は、部分サブフレームの外、且つ、同じサブフレームで送信される可能性がある場合、つまり、上記条件の信号が、部分サブフレームではないＯＦＤＭシンボルにマップされる場合、端末装置は、そのサブフレームにおいて、上記条件の信号が送信されていると期待しなくてもよい。
【０３２７】
また、上記条件の信号およびＣＲＳは、送信バーストの直後のサブフレームなどｄｅｆｅｒ  ｐｅｒｉｏｄに相当する期間で送信されることを端末装置は期待しなくてもよい。つまり、端末装置は、特定の期間で平均化／フィルタリングを行なっている測定に対して、ｄｅｆｅｒ  ｐｅｒｉｏｄに相当する期間の信号を用いなくてもよい。
【０３２８】
なお、上記条件に関する部分サブフレームにはフルサブフレームが含まれてもよい。
【０３２９】
上記条件に基づいて、上記の下りリンク信号がマップされているリソースエレメントには、ＰＤＳＣＨまたはＥＰＤＣＣＨがマップされているものとして、端末装置はＰＤＳＣＨ／ＥＰＤＣＣＨのリソースの検出処理を行なってもよい。
【０３３０】
上記条件に基づいて、基地局装置は、上記の下りリンク信号の送信をスケジュールしてもよい。
【０３３１】
下りリンクのエンド部分サブフレームには、上りリンクグラントのみが割り当てられてもよい。その場合、端末装置は、次のサブフレームで上りリンク信号を送信するために、エンド部分サブフレームにおいて、下りリンク送信に用いられていないＯＦＤＭシンボルでＬＢＴ（ＣＣＡ）処理を行なってもよい。つまり、端末装置は、エンド部分サブフレームを構成するＯＦＤＭシンボルを含むサブフレームにおいて、上りリンクグラントを検出した場合には、そのサブフレームにおいて、ＬＢＴを行なってもよい。
【０３３２】
次に、部分サブフレームが適用されないサブフレームについて説明する。
【０３３３】
端末装置は、以下のいずれかの条件を満たす場合、そのサブフレームが部分サブフレームであると想定しなくてもよい。または、端末装置は、以下のいずれかの条件を満たす場合、そのサブフレームで、部分ＰＤＳＣＨや部分ＥＰＤＣＣＨが送信されていると期待しなくてもよい。
（１）ＰＳＳ／ＳＳＳが割り当てられる可能性のあるサブフレーム（例えば、サブフレーム＃０や＃５、ＤＭＴＣなど）。
（２）部分ＰＤＳＣＨおよび／または部分ＥＰＤＣＣＨがＵＲＳを用いて復調される。つまり、送信方式がＤＭＲＳ（ＵＲＳ）ベースのＰＤＳＣＨ／ＥＰＤＣＣＨである。なお、部分ＰＤＳＣＨ／部分ＥＰＤＣＣＨと記載しているが、単に、ＬＡＡセルにおけるＰＤＳＣＨ／ＥＰＤＣＣＨであってもよい。ただし、この場合、フルサブフレームであっても部分ＰＤＳＣＨおよび／または部分ＥＰＤＣＣＨが送信されてもよい。
（３）部分サブフレームを構成する先頭のＯＦＤＭシンボルにおいて、ＣＲＳがマップされていない、または、ＣＲＳが検出できない。
（４）そのサブフレームに対して、そのサブフレームが部分サブフレームであることを示す制御情報がない、または、検出できない。
（５）ＤＭＴＣによって設定されたＤＳ  ｏｃｃａｓｉｏｎ内のサブフレームにおいて、ＤＳを検出するまで。つまり、ＤＳ  ｏｃｃａｓｉｏｎ内のいずれかのサブフレームでＤＳを検出した場合、それ以降のサブフレームは、部分サブフレームであってもよい。
【０３３４】
部分サブフレームが適用されるＬＡＡセルにおけるＣＳＩ−ＲＳに含まれるリソース設定には、ＯＦＤＭシンボル＃２と＃３に配置される構成が追加されてもよい。基地局装置は、フルサブフレームのみが適用されるセル（部分サブフレームが適用されないセル）に
対して、ＣＳＩ−ＲＳ設定に含まれるリソース設定を、ＯＦＤＭシンボル＃２と＃３に配置される構成を含まない第１の構成からなるテーブルから選択してもよい。また、基地局装置は、部分サブフレームが適用されるセルに対して、ＣＳＩ−ＲＳに含まれるリソース設定を、ＯＦＤＭシンボル＃２と＃３に配置される構成を含む第２の構成が追加されたテーブルから選択してもよい。
【０３３５】
部分サブフレームにおいて、ＣＳＩ−ＲＳとＤＭＲＳ（ＵＲＳ）のリソースが重複する場合、端末装置は、ＣＳＩ−ＲＳの検出を優先してもよい。つまり、端末装置は、この場合、ＤＭＲＳ送信を受信することを期待しない。その際、部分サブフレームに配置されるＰＤＳＣＨ／ＥＰＤＣＣＨは、ＣＲＳに基づいて復調されてもよい。
【０３３６】
部分サブフレームにおいて、ＣＳＩ−ＲＳとＤＭＲＳ（ＵＲＳ）のリソースが重複する場合、端末装置は、ＤＭＲＳの検出を優先してもよい。つまり、端末装置は、この場合、ＣＳＩ−ＲＳ送信を受信することを期待しない。その際、端末装置は、ＣＳＩリファレンスリソースを１つ以上前のサブフレームのＣＳＩ−ＲＳにして、ＣＳＩを算出し、ＣＳＩレポートを行なってもよい。
【０３３７】
端末装置は、ＬＢＴが行なわれるＬＡＡセル（ＬＡＡ周波数）において、下りリンクサブフレームのＯＦＤＭシンボル＃０（サブフレーム内の先頭のＯＦＤＭシンボル）にマップされた物理チャネルから検出した制御情報（制御フォーマット）に基づいて、その下りリンクサブフレームに用いられるＯＦＤＭシンボルの数を認識する。つまり、端末装置は、受信した制御情報に基づいて、そのＯＦＤＭシンボルの数だけ下りリンク信号をモニタする。
【０３３８】
次に、第１のフレーム構成タイプのプライマリセルと第３のフレーム構成タイプのＬＡＡセルが集約されて通信する場合について説明する。
【０３３９】
端末装置は、集約されたセル間（つまり、プライマリセルとＬＡＡセル間）で同時に送信／受信する能力がない、且つ、プライマリセルにおいて、同時に送受信を行なわないＨＤ−ＦＤＤが適用されたとすれば、端末装置は、以下の制限が適用されてもよい。
（１）プライマリセルのサブフレームが上りリンクサブフレームであるとすれば、端末装置は、ＬＡＡセルの同じサブフレームで下りリンク送信に関するいずれの信号を受信することを期待しなくてもよい。
（２）プライマリセルのサブフレームが下りリンクサブフレームであるとすれば、ＬＡＡセルの同じサブフレームが下りリンクのフルサブフレームまたは部分サブフレームで、ＰＤＳＣＨ／ＰＤＣＣＨ／ＥＰＤＣＣＨを受信することを期待してもよい。
【０３４０】
次に、第２のフレーム構成タイプのプライマリセルと第３のフレーム構成タイプのＬＡＡセルが集約されて通信する場合について説明する。
【０３４１】
端末装置は、集約されたセル間（つまり、プライマリセルとＬＡＡセル間）で同時に送信／受信する能力がないとすれば、端末装置は、以下の制限が適用されてもよい。
（１）プライマリセルのサブフレームが上りリンクサブフレームであるとすれば、端末装置は、ＬＡＡセルの同じサブフレームで下りリンク送信に関するいずれの信号を受信することを期待しなくてもよい。
（２）プライマリセルのサブフレームがスペシャルサブフレームであり、且つ、ＬＡＡセルの同じサブフレームが下りリンクサブフレーム（下りリンクのフルサブフレーム）であれば、端末装置は、同じサブフレームでＰＤＳＣＨ／ＥＰＤＣＣＨ送信を受信すると期待しなくてもよい。また、端末装置は、この場合、プライマリセルのガードピリオドおよび／またはＵｐＰＴＳと重複しているＬＡＡセルのＯＦＤＭシンボルにおいて、他の何
れの信号を受信することを期待しなくてもよい。なお、この場合、ＰＤＳＣＨ／ＥＰＤＣＣＨの他にＰＭＣＨを含んでもよい。
（３）プライマリセルのサブフレームがスペシャルサブフレームであり、且つ、ＬＡＡセルの同じサブフレームが部分サブフレームであれば、端末装置は、同じサブフレームでＰＤＳＣＨ／ＥＰＤＣＣＨ送信を受信すると期待してもよい。その際、ＬＡＡセルの部分サブフレームで送信されるＰＤＳＣＨ／ＥＰＤＣＣＨを構成するＯＦＤＭシンボル数および／または部分サブフレームを構成するＤｗＰＴＳ期間は、プライマリセルのスペシャルサブフレームを構成するＤｗＰＴＳ期間（ＤｗＰＴＳ期間に対応するＯＦＤＭシンボル数）と同じまたは短い（少ない）方が好ましい。端末装置は、プライマリセルの同じサブフレームであるＬＡＡセルの部分サブフレームの先頭のＯＦＤＭシンボルにおいて、ＬＡＡセルのＤｗＰＴＳ期間がプライマリセルのスペシャルサブフレームのＤｗＰＴＳ期間よりも長いと判断した場合には、その部分サブフレームにおいていずれの信号を受信することを期待しなくてもよい。
【０３４２】
上記の条件において、端末装置が下りリンク信号の送信を受信することを期待しないサブフレームにおいて、基地局装置は、下りリンク信号を送信しなくてもよい。
【０３４３】
なお、端末装置１に所定のサービングセルに対してＬＡＡの通信に必要な設定（LAA-Config）が１つ以上された場合、所定のサービングセルはＬＡＡセルとみなしてもよい。ＬＡＡの通信に必要な設定は、例えば、予約信号に関するパラメータ、ＲＳＳＩの測定に関するパラメータ、第２のＤＳの設定に関するパラメータ、である。
【０３４４】
なお、端末装置１に所定のサービングセルに対してＬＡＡバンドに対応する中心周波数の情報（ＥＡＲＦＣＮ  ｖａｌｕｅ）が設定された場合、その周波数のセルはＬＡＡセルとみなおしてもよい。ＬＡＡバンド（ＬＡＡのオペレーティングバンド）とは、例えば、バンド番号が２５２〜２５５のいずれかであるバンド、ＴＤＤバンドでもＦＤＤバンドでもないバンド、ＴＤＤとＦＤＤの両方をサポートしているバンド、５ＧＨｚ帯で定義されるバンド、２０ＭＨｚの帯域幅のみで定義されるバンド、の特徴を１つ以上満たすバンドである。
【０３４５】
なお、所定の周波数は、ＬＡＡセルで用いられる周波数であることが好ましい。なお、所定の周波数は、ＬＢＴに基づいてＤＳが送信されるセルの周波数であることが好ましい。なお、所定の周波数は、アンライセンスバンドで運用されるセルの周波数であることが好ましい。なお、所定の周波数は、オペレーティングバンドの所定のインデックスに対応するオペレーティングバンドの周波数であることが好ましい。なお、所定の周波数は、ＬＡＡのオペレーティングバンドのインデックスに対応するオペレーティングバンドの周波数であることが好ましい。なお、上記所定の周波数は、オペレーティングバンド（Ｅ−ＵＴＲＡオペレーティングバンド）の所定のインデックスに対応するオペレーティングバンドであることが好ましい。例えば、オペレーティングバンドはテーブルで管理されることが好ましく、テーブルで管理される各オペレーティングバンドには、対応するインデックスが与えられる。該インデックスには、対応するアップリンクオペレーティングバンドとダウンリンクオペレーティングバンドとデュプレックスモードが紐付けられる。なお、アップリンクオペレーティングバンドは基地局装置における受信および端末装置における送信に使用されるオペレーティングバンドであり、ダウンリンクオペレーティングバンドは基地局装置における送信および端末装置における受信に使用されるオペレーティングバンドである。なお、アップリンクオペレーティングバンドとダウンリンクオペレーティングバンドは、それぞれ下限の周波数と上限の周波数（対応する周波数帯）で与えられることが好ましい。なお、デュプレックスモードはＴＤＤまたはＦＤＤで与えられることが好ましい。なお、ＬＡＡセルにおけるデュプレックスモードは、ＴＤＤとＦＤＤ以外であってもよい。例えば、ＬＡＡセルにおけるデュプレックスモードは、後述する送信バースト（
少なくともダウンリンクバーストを含む、アップリンクバーストを含むか否かは任意）であってもよい。
【０３４６】
例えば、オペレーティングバンドがテーブルで管理される場合、インデックス“１”からインデックス“４４”に対応するオペレーティングバンドはライセンスドバンド（ＬＡＡでないバンド）であることが好ましく、インデックス“２５２”からインデックス“２５５”に対応するオペレーティングバンドはアンライセンスドバンド（ＬＡＡのバンド）であることが好ましい。なお、インデックス“２５２”には、アップリンクオペレーティングバンドが適用されず（N/A, not applicable）、ダウンリンクオペレーティングバン
ドに５１５０ＭＨｚ−５２５０Ｈｚが適用され、デュプレックスモードにＦＤＤが適用されることが好ましい。また、インデックス“２５３”には、アップリンクオペレーティングバンドが予約され（将来使用されるものとして予約され）、ダウンリンクオペレーティングバンドが予約され、デュプレックスモードにＦＤＤが適用されることが好ましい。また、インデックス“２５４”には、アップリンクオペレーティングバンドが予約され（将来使用されるものとして予約され）、ダウンリンクオペレーティングバンドが予約され、デュプレックスモードにＦＤＤが適用されることが好ましい。なお、インデックス“２５５”には、アップリンクオペレーティングバンドが適用されず（N/A, not applicable）
、ダウンリンクオペレーティングバンドに５７２５ＭＨｚ−５８５０Ｈｚが適用され、デュプレックスモードにＦＤＤが適用されることが好ましい。なお、５１５０ＭＨｚ−５２５０Ｈｚと５７２５ＭＨｚ−５８５０Ｈｚはアンライセンスドバンド（ＬＡＡのバンド）であることが好ましい。すなわち、上記所定の周波数は、インデックス“２５２”からインデックス“２５５”に対応するオペレーティングバンドであることが好ましい。
【０３４７】
例えば、オペレーティングバンドがテーブルで管理される場合、インデックス“１”からインデックス“４４”に対応するオペレーティングバンドはライセンスドバンド（ＬＡＡでないバンド）であることが好ましく、インデックス“４５”に対応するオペレーティングバンドはアンライセンスドバンド（ＬＡＡのバンド）であることが好ましい。なお、５１５０ＭＨｚ−５２５０Ｈｚと５７２５ＭＨｚ−５８５０Ｈｚはアンライセンスドバンド（ＬＡＡのバンド）であることが好ましい。すなわち、上記所定の周波数は、インデックス“４５”に対応するオペレーティングバンドであることが好ましい。
【０３４８】
ＬＡＡ周波数を含むオペレーティングバンドに対して、１つのインデックスが割り当てられてもよい。さらに、そのオペレーティングバンドを細分化（区分け）したサブバンドに対応するインデックスが割り当てられてもよい。
【０３４９】
本実施形態において説明された内容の一部を換言すると以下の通りである。
【０３５０】
（１）本発明の一態様による端末装置は、基地局装置と通信する端末装置であって、ある周波数に対するＤＳ（Discovery Signal）設定と、前記周波数に対応するセルに部分サブフレームが設定されるか否かを指示する情報を含む上位層の信号を受信する受信部を備え、前記受信部は、前記ＤＳ設定に、ＣＳＩ−ＲＳ（Channel State Information Reference Signal）設定が含まれる場合、且つ、前記ＤＳの送信が前記部分サブフレームのＰＤＳＣＨおよび／またはＥＰＤＣＣＨの送信と重複する場合、前記部分サブフレームにおいて、前記ＤＳが送信されないと想定し、参照信号受信電力および参照信号受信品質を測定する。
【０３５１】
（２）本発明の一態様による端末装置は、上記の端末装置であって、前記受信部は、前記ＤＳ設定に、ＣＳＩ−ＲＳ設定が含まれない場合、前記部分サブフレームにおいて、前記ＤＳを含んで、参照信号受信電力および参照信号受信品質を測定する。
【０３５２】
（３）本発明の一態様による端末装置は、上記の端末装置であって、前記受信部は、前記ＣＳＩ−ＲＳ設定に基づくＣＳＩ−ＲＳが前記部分サブフレームを構成するＤｗＰＴＳに含まれる場合、前記部分サブフレームにおいて、前記ＤＳを含んで、参照信号受信電力および参照信号受信品質を測定する。
【０３５３】
（４）本発明の一態様による端末装置は、上記の端末装置であって、前記受信部は、ＣＳＩレポートのためのＣＳＩ−ＲＳ設定がセットされる場合、前記部分サブフレームをＣＳＩリファレンスリソースと想定しない。
【０３５４】
（５）本発明の一態様による基地局装置は、端末装置と通信する基地局装置であって、ある周波数に対するＤＳ（Discovery Signal）設定と、前記周波数に対応するセルに部分サブフレームが設定されるか否かを指示する情報を含む上位層の信号を送信する送信部を備え、前記送信部は、前記ＤＳ設定に、ＣＳＩ−ＲＳ（Channel State Information Reference Signal）設定を含む場合、前記部分サブフレームにおいて、前記ＤＳを送信しない。
【０３５５】
（６）本発明の一態様による基地局装置は、上記の基地局装置であって、前記送信部は、前記ＤＳ設定に、前記ＣＳＩ−ＲＳ設定を含まない場合には、前記部分サブフレームにおいて、前記ＤＳを送信する。
【０３５６】
（７）本発明の一態様による基地局装置は、上記の基地局装置であって、前記送信部は、前記ＣＳＩ−ＲＳ設定に基づくＣＳＩ−ＲＳが前記部分サブフレームを構成するＤｗＰＴＳに含まれる場合、前記ＤＳを送信する。
【０３５７】
（８）本発明の一態様による基地局装置は、上記の基地局装置であって、前記送信部は、ＣＳＩレポートのためのＣＳＩ−ＲＳ設定をセットする場合、前記部分サブフレームにおいて、ＣＳＩ−ＲＳを送信しない。
【０３５８】
（９）本発明の一態様による方法は、基地局装置と通信する端末装置における方法であって、ある周波数に対するＤＳ（Discovery Signal）設定と、前記周波数に対応するセルに部分サブフレームが設定されるか否かを指示する情報を含む上位層の信号を受信するステップと、前記ＤＳ設定に、ＣＳＩ−ＲＳ（Channel State Information Reference Signal）設定が含まれる場合、且つ、前記ＤＳの送信が前記部分サブフレームのＰＤＳＣＨおよび／またはＥＰＤＣＣＨの送信と重複する場合、前記部分サブフレームにおいて、前記ＤＳが送信されないと想定するステップと、前記想定に基づいて、参照信号受信電力および参照信号受信品質を測定するステップと、を有する。
【０３５９】
（１０）本発明の一態様による方法は、端末装置と通信する基地局装置における方法であって、ある周波数に対するＤＳ（Discovery Signal）設定と、前記周波数に対応するセルに部分サブフレームが設定されるか否かを指示する情報を含む上位層の信号を送信するステップと、前記ＤＳ設定に、ＣＳＩ−ＲＳ（Channel State Information Reference Signal）設定を含む場合、前記部分サブフレームにおいて、前記ＤＳを送信しないステップと、を有する。
【０３６０】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０３６１】
本発明に関わる基地局装置２および端末装置１で動作するプログラムは、本発明に関わ
る上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０３６２】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３６３】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３６４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３６５】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０３６６】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ
Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０３６７】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３６８】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３６９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３７０】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６、１００６  制御部
６０７、１００７  上位層
６０８  チャネル状態測定部
６０９、１００９  上りリンクサブフレーム生成部
６１０  上りリンク制御情報生成部
６１１、６１２、１０１１  ＳＣ−ＦＤＭＡ信号送信部
６１３、６１４、１０１３  送信アンテナ
【図１】
2019004194.tif 000003
【図２】
2019004194.tif 000004
【図３】
2019004194.tif 000005
【図４】
2019004194.tif 000006
【図５】
2019004194.tif 000007
【図６】
2019004194.tif 000008
【図７】
2019004194.tif 000009
【図８】
2019004194.tif 000010
【図９】
2019004194.tif 000011
【図１０】
2019004194.tif 000012